(57)【要約】【課題】封止具を係合する場合、袋の口が脱落してしまう恐れが少なく、拡がった袋の口を手で再度絞って係合しなければならないということが必要ない係止具を提供する。【解決手段】袋の口２を封止する係止具１であって、袋の口２を収容可能な容積部４を有する第１部材９５ｚｚと、第２部材９４ｚｚとで構成され、容積部４の外端１３Ａ、１３Ｂから容積部４の内側に向かって先窄まりしていく開口部６を容積部４に備え、開口部６は、口径を絞った該袋の口２Ａを出入し、開口したままの開口部６を含めた容積部４は、容積部４内に挿入後の口径を拡げた袋の口２Ｂを掛止し、第１部材９５ｚｚと第２部材９４ｚｚとが係止して、開口部６から挿入した袋の口２が第１部材９５ｚｚと第２部材９４ｚｚとによって封止される。【選択図】図３
2013209157.tif 000002
【特許請求の範囲】
【請求項１】
袋の口を封止する係止具であって、
該袋の口を収容可能な容積部を有する第１部材と、
第２部材とで構成され、
該容積部は開口部を備え、
該開口部は、口径を絞った該袋の口を出入し、
開口したままの該開口部を含めた容積部は、容積部内に挿入後の口径を拡げた該袋の口を掛止し、
該第１部材と第２部材とが係止して、該開口部から挿入した袋の口が第１部材と第２部材とによって封止されることを特徴とする係止具。
【請求項２】
前記第１部材の開口部側へ前記第２部材が押動されると、
前記容積部内に挿入後の口径を拡げた袋の口が該押動された第２部材によって開口部側へ押動され、
前記開口したままの開口部が該押動された袋の口によって覆われて塞がれ、
該第１部材と第２部材とが係止して、該第１部材と第２部材とによって袋の口が封止されることを特徴とする請求項１の係止具。
【請求項３】
前記第１部材の先端に前記開口部を設け、
該第１部材の後端側から第１部材の先端側へ前記第２部材が押動されると、
前記容積部内に挿入後の口径を拡げた袋の口が該押動された第２部材によって開口部側へ押動され、
前記開口したままの開口部が該押動された袋の口によって覆われて塞がれ、
該第１部材と第２部材とが係止して、該第１部材と第２部材とによって袋の口が封止されることを特徴とする請求項１の係止具。
【請求項４】
前記容積部を略Ｃ字状に設けたことを特徴とする請求項１〜３のいずれかの係止具。
【請求項５】
前記封止された袋の口に対応する空間を、前記係止した第１部材の容積部と、前記係止した第２部材とで、設けたことを特徴とする請求項１〜４のいずれかの係止具。
【請求項６】
前記容積部の外端から前記容積部の内側に向かって先窄まりしていく前記開口部を設けたことを特徴とする請求項１〜５のいずれかの係止具。
【請求項７】
前記第２部材が挿通する挿通孔を前記第１部材に設け、
または、
前記第１部材が挿通する挿通孔を前記第２部材に設けたことを特徴とする請求項１〜６のいずれかの係止具。
【請求項８】
前記第２部材の挿通孔内に挿入した前記第１部材の容積部上方に位置する該第２部材の挿通孔の一端を切り込んだことを特徴とする請求項７の係止具。
【請求項９】
前記第２部材の挿通孔と、
該第２部材の挿通孔内に挿入した前記第１部材との間に、
前記開口部から挿入した袋の口が挟まれることによって該第１部材と第２部材とが係止することを特徴とする請求項７〜８のいずれかの係止具。
【請求項１０】
前記開口したままの開口部が前記押動された袋の口によって覆われて塞がれ、
前記第２部材の挿通孔と、
該第２部材の挿通孔内に挿入した前記第１部材の容積部との間に、
該押動された袋の口が挟まれることによって該第１部材と第２部材とが係止することを特徴とする請求項７〜８のいずれかの係止具。
【請求項１１】
前記第１部材の挿通孔の内径に対して前記第２部材の外径を大きく設けることにより該第１部材と第２部材とが係止し、
または、
前記第２部材の挿通孔の内径に対して前記第１部材の外径を大きく設けることにより該第１部材と第２部材とが係止することを特徴とする請求項７〜８のいずれかの係止具。
【請求項１２】
前記第１部材に係合突起を設け、
または、
前記第２部材に係合突起を設けたことを特徴とする請求項１〜８のいずれかの係止具。
【請求項１３】
前記第１部材に設けた係合突起が係止される係止片を前記第２部材に設け、
または、
前記第１部材に設けた係合突起が係止される係止孔を前記第２部材に設け、
または、
前記第２部材に設けた係合突起が係止される係止片を前記第１部材に設け、
または、
前記第２部材に設けた係合突起が係止される係止孔を前記第１部材に設けたことを特徴とする請求項１２の係止具。
【請求項１４】
前記係止を、接着により係止することを特徴とする請求項１〜６のいずれかの係止具。
【請求項１５】
前記第１部材と前記第２部材とが連接した部位を設けたことを特徴とする請求項１〜１４のいずれかの係止具。
【請求項１６】
前記連接した部位を曲折したことを特徴とする請求項１５の係止具。
【請求項１７】
前記連接した部位をヒンジとしたことを特徴とする請求項１５〜１６のいずれかの係止具。
【請求項１８】
前記第１部材に脚部を設け、
該第１部材の脚部に前記第２部材が差し入れられると、該第２部材内面に脚部が摺接し、該脚部が弾性変形して、該第１部材の脚部に第２部材が係止され、
該係止された状態で脚部が押圧されると、脚部が弾性変形し、該係止された第２部材が第１部材の脚部から解除されることを特徴とする請求項１〜７のいずれかの係止具。
【請求項１９】
前記係止具を、合成樹脂製としたことを特徴とする請求項１〜１８のいずれかの係止具。
【発明の詳細な説明】
【技術分野】
【０００１】
本発明は、主に、大袋または袋の細部または付属品にて、端部や開口部の閉鎖構成または装置、あるいは、ブラケット、リングまたはロックを有するもので、特には、袋の開口部の閉鎖を構成する係止具に関する。
【背景技術】
【０００２】
合成樹脂製の袋等の開口部の閉鎖を構成するものとして、次のようなものがある。１件目について記す。凹み体と突起体との間に袋状物の開口部分の近くの部分を設置し、前記凹み体に前記突起体を係合させることによって前記開口部分を封止する袋物封止具であって、前記凹み体は、矩形部分と前記矩形部分の対向辺の中央部に接続される一対の半円部分とからなる開口と、前記矩形部分の他の対向辺を構成する一対の対向壁部と、前記半円部分の各々を構成し、前記対向壁部の各々に接続される一対の球状部とからなり、前記突起体は、前記対向壁部の内方面に沿って摺動自在となるように構成された一対の脚部と、前記脚部の各々の先端に設けられ、前記脚部が前記対向壁部に接した状態で前記対向壁部の一部に係合し、前記脚部を抜け止め状態とする一対の係合部と、前記脚部の各々の間に掛け渡すように取り付けられた平板部とからなる、袋物封止具（特許文献１参照）がある。また、次のようなものがある。次に、２件目について記す。挾持ピースと押圧ピースとからなり、上記挾持ピースは、相対する左右縦材および前後横材からなるフレームであって、該左右縦材の相対する内側面に長手方向の案内溝を設けた支持フレームと、上記支持フレームの枠内において上記一の横材からＶ字状に突出された一対のバーであって、上記Ｖ字の開き位置から閉じ位置に弾性変位自在の一対の挾持バーとからなり、上記押圧ピースは、互いに平行する左右一対の押圧バーを突出するコ字状体であって、該一対の押圧バーを上記左右縦材の両案内溝に移動可能に係合したとき、該両押圧バーの相対する内側面で上記Ｖ字状挾持バーに当接する位置関係に形成されると共に、上記押圧バーの相対する内側面を、上記Ｖ字状挾持バーを閉じるべく、先端がわから基部がわへ挾さくする傾斜押圧面に形成した、袋の封止具（特許文献２参照）がある。
【特許文献１】特願２００５−１７７０８８
【特許文献２】特願平１０−３９８３５
【発明の開示】
【発明が解決しようとする課題】
【０００３】
第１の課題を記す。特許文献１にて、例えば、袋の口（袋状物４０の開口部分４１の近くの部分）に封止具を装着しようとする場合、通常、拡がったままの面積の大きい状態の袋の口を一旦、手で絞って、袋の口の面積を縮小してから、袋の口に封止具を装着しようとする。手で絞った袋の口を片方の手で掴んで、残りの片方の手で突起体１５を掴んで、突起体１５の脚部１９ａ、脚部１９ｂの間のスペースに袋の口を通す。通した後、突起体１５を凹み体１６に対して係合するため、突起体１５と凹み体１６とを各々、別々の手で掴む必要から、掴んでいた袋の口を手から一旦離すと、その際、絞って面積を縮小していた袋の口が（通常、合成樹脂、紙など、軽微な弾力性を有する袋を使用するので）、素材の反発する力等により、元に戻ろうとして拡がってしまう。そのため、突起体１５を凹み体１６に対して係合する場合に、そのままでは、突起体１５の脚部１９ａ、脚部１９ｂの間のスペースから袋の口が脱落して抜き出てしまう恐れがある。あるいは、突起体１５の脚部１９ａ、脚部１９ｂの間のスペースから袋の口がはみ出したりする。はみ出した状態で封止具を強引に係合しようとして、袋の口の素材の一端を挟みそうになったりして支障をきたす恐れがある。よって、拡がった袋の口を再度、手で絞って、袋の口の面積を縮小してから、係合しなければならない。手で絞った袋の口を片方の手で掴んで、残りの片方の手で突起体１５を掴んで、突起体１５の脚部１９ａ、脚部１９ｂの間のスペースに袋の口を通した後、突起体１５を凹み体１６に対して係合する場合に、突起体１５を掴んだままの状態の片方の手に絞った袋の口をさらに掴ませて、残りの片方の手で凹み体１６を掴んで係合しなければならないという、手間を要する問題がある。つまり、拡がったままの面積の大きい状態の袋の口を一旦、手で絞って、袋の口の面積を縮小してから、袋の口に封止具を装着しようとする際、掴んでいた袋の口を手から一旦離すと、その際、絞って面積を縮小していた袋の口が、素材の反発する力等により、元に戻ろうとして拡がってしまい、封止具から袋の口が脱落して抜き出てしまう恐れがある。あるいは、その際、封止具から袋の口がはみ出したりする。はみ出したままで、封止具を強引に係合しようとして、はみ出した状態の袋の口の素材の一端を挟みそうになったりして支障をきたす恐れがある。よって、拡がった袋の口を再度、手で絞って、袋の口の面積を縮小してから、係合しなければならない、という問題がある（課題１−１）。前記問題を解消し、拡がったままの面積の大きい状態の袋の口を一旦、手で絞って、袋の口の面積を縮小してから、袋の口に封止具を装着しようとする際、掴んでいた袋の口を手から一旦離すため、絞って面積を縮小していた袋の口が元に戻ろうとして拡がってしまうが、封止具を装着して係合しようとしても、封止具から袋の口が脱落して抜き出てしまう恐れが少なく、または、封止具から袋の口がはみ出すことが少なく、つまり、袋の口の素材の一端を挟みそうになったりすることが少なく、よって、拡がった袋の口を手で再度絞って、袋の口の面積を縮小してから係合しなければならないということがほとんど必要ない係止具を提供することを目的とする。同様に、特許文献２にて、袋の口（袋の絞り口部）に封止具を装着しようとする場合、挾持ピース１と押圧ピース２の押圧バー１５、１５´との係合する前の装着については、絞った袋の口を片方の手で掴んで、挾持ピース１と係合する前の押圧ピース２の押圧バー１５、１５´の平坦面１７、１７間へ長手方向から挿入する。挿入後、そのままでは、押圧ピース２の押圧バー１５、１５´の平坦面１７、１７間から袋の口が脱落して抜き出てしまう恐れがある。あるいは、押圧ピース２の押圧バー１５、１５´の平坦面１７、１７間から袋の口がはみ出したりする。はみ出した状態で封止具を強引に係合しようとして、袋の口の素材の一端を挟みそうになったりして支障をきたす恐れがある。よって、拡がった袋の口を再度、手で絞って、袋の口の面積を縮小してから、係合しなければならない。つまり、押圧ピース２を掴んだままの状態の片方の手に絞った袋の口をさらに掴ませて係合しなければならないという、手間を要する問題がある（課題１−１）。次に、第２の課題を記す。特許文献２にて、袋の口（袋の絞り口部）に封止具を装着しようとする場合、挾持ピース１と押圧ピース２の押圧バー１５、１５´との係合した後の装着については、絞った袋の口を片方の手で掴んで、挾持ピース１と係合した後の押圧ピース２の押圧バー１５、１５´の平坦面１７、１７間へ上または下方向から挿入する。しかし、上または下方向から挿入するため、係合した挾持ピース１と押圧ピース２にて、押圧バー１５、１５´の平坦面１７、１７間に形成された面積より少ない面積まで袋の口を絞って縮小して、片方の手で絞った袋の口を掴んだまま、上または下方向から平坦面１７、１７間に挿入して通過しなければならず、方向的に挿入しづらいという問題がある。つまり、袋の口に封止具を装着しようとする場合、袋の口を絞って縮小して、絞った袋の口を片方の手で掴んだまま、上または下方向から挿入して通過しなければならず、方向的に挿入しづらいという問題がある（課題１−２）。前記問題を解消し、袋の口に封止具を装着しようとする場合、方向的に挿入しづらいということのない係止具を提供することを目的とする。また、特許文献２にて、挾持ピース１と押圧ピース２の押圧バー１５、１５´とを係合した後の封止具にて、特許文献１と同様に、袋の口を挿入後、挾持ピース１と押圧ピース２との距離を縮めて封止しようとする場合、袋の口が脱落して抜き出てしまう恐れがある。あるいは、袋の口の素材の一端を挟みそうになったりして支障をきたす恐れがある。よって、押圧ピース２を掴んだままの状態の片方の手に絞った袋の口を引き続き掴んで係合しなければならないという、手間を要する問題がある。（課題１−１）。次に、第３の課題を記す。特許文献２にて、挾持ピース１の支持フレーム３と挾持バー９、９´の間に、押圧ピース２の押圧バー１５、１５´を挟んで、支持フレーム３側と挾持バー９、９´側との両面から押圧バー１５、１５´を当接するようにしてあるので、複雑な構造となり、そのため、加工に要する手間も増加し、経費も増えてしまうという問題がある（課題１−３）。前記問題を解消し、複雑な構造となることがなく、また、加工に要する手間も比較的増加することがなく、経費の低減ができる係止具を提供することを目的とする。
【０００４】
また、袋の口を比較的容易に挿入でき、袋の口が挿入した後、袋の口が脱落して抜き出たり、はみ出したりすることが少なく、あるいは、操作の容易性、迅速性が高まることが可能な係止具を提供することを目的とする。また、係止具が分離してしまって紛失したりするということがなく、あるいは、片手で操作することができ、軽く押圧することによりでき、あるいは、手等で軽く押し倒すだけで、容易に重ねて係止できる係止具を提供することを目的とする。また、封止の確実性が高まる、あるいは、係止する位置が任意に調整できる係止具を提供することを目的とする。
【課題を解決するための手段】
【０００５】
本発明によると上記課題は、次のようにして解決される。
袋の口を封止する係止具であって、該袋の口を収容可能な容積部を有する第１部材と、第２部材とで構成され、該容積部は開口部を備え、該開口部は、口径を絞った該袋の口を出入し、開口したままの該開口部を含めた容積部は、容積部内に挿入後の口径を拡げた該袋の口を掛止し、該第１部材と第２部材とが係止して、該開口部から挿入した袋の口が第１部材と第２部材とによって封止されることを特徴とする係止具とする。
【０００６】
前記第１部材の開口部側へ前記第２部材が押動されると、前記容積部内に挿入後の口径を拡げた袋の口が該押動された第２部材によって開口部側へ押動され、前記開口したままの開口部が該押動された袋の口によって覆われて塞がれ、該第１部材と第２部材とが係止して、該第１部材と第２部材とによって袋の口が封止されることを特徴とする係止具とする。
【０００７】
前記第１部材の先端に前記開口部を設け、該第１部材の後端側から第１部材の先端側へ前記第２部材が押動されると、前記容積部内に挿入後の口径を拡げた袋の口が該押動された第２部材によって開口部側へ押動され、前記開口したままの開口部が該押動された袋の口によって覆われて塞がれ、該第１部材と第２部材とが係止して、該第１部材と第２部材とによって袋の口が封止されることを特徴とする係止具とする。
【０００８】
前記容積部を略Ｃ字状に設けたことを特徴とする係止具とする。
【０００９】
前記封止された袋の口に対応する空間を、前記係止した第１部材の容積部と、前記係止した第２部材とで、設けたことを特徴とする係止具とする。
【００１０】
前記容積部の外端から前記容積部の内側に向かって先窄まりしていく前記開口部を設けたことを特徴とする係止具とする。
【００１１】
前記第２部材が挿通する挿通孔を前記第１部材に設け、または、前記第１部材が挿通する挿通孔を前記第２部材に設けたことを特徴とする係止具とする。前記第２部材の挿通孔内に挿入した前記第１部材の容積部上方に位置する該第２部材の挿通孔の一端を切り込んだことを特徴とする係止具とする。
【００１２】
前記第２部材の挿通孔と、該第２部材の挿通孔内に挿入した前記第１部材との間に、前記開口部から挿入した袋の口が挟まれることによって該第１部材と第２部材とが係止することを特徴とする係止具とする。前記開口したままの開口部が前記押動された袋の口によって覆われて塞がれ、前記第２部材の挿通孔と、該第２部材の挿通孔内に挿入した前記第１部材の容積部との間に、該押動された袋の口が挟まれることによって該第１部材と第２部材とが係止することを特徴とする係止具とする。
【００１３】
前記第１部材の挿通孔の内径に対して前記第２部材の外径を大きく設けることにより該第１部材と第２部材とが係止し、または、前記第２部材の挿通孔の内径に対して前記第１部材の外径を大きく設けることにより該第１部材と第２部材とが係止することを特徴とする係止具とする。
【００１４】
前記第１部材に係合突起を設け、または、前記第２部材に係合突起を設けたことを特徴とする係止具とする。前記第１部材に設けた係合突起が係止される係止片を前記第２部材に設け、または、前記第１部材に設けた係合突起が係止される係止孔を前記第２部材に設け、または、前記第２部材に設けた係合突起が係止される係止片を前記第１部材に設け、または、前記第２部材に設けた係合突起が係止される係止孔を前記第１部材に設けたことを特徴とする係止具とする。
【００１５】
前記係止を、接着により係止することを特徴とする係止具とする。
【００１６】
前記第１部材と前記第２部材とが連接した部位を設けたことを特徴とする係止具とする。
【００１７】
前記連接した部位を曲折したことを特徴とする係止具とする。
【００１８】
前記連接した部位をヒンジとしたことを特徴とする係止具とする。
【００１９】
前記第１部材に脚部を設け、該第１部材の脚部に前記第２部材が差し入れられると、該第２部材内面に脚部が摺接し、該脚部が弾性変形して、該第１部材の脚部に第２部材が係止され、該係止された状態で脚部が押圧されると、脚部が弾性変形し、該係止された第２部材が第１部材の脚部から解除されることを特徴とする係止具とする。
【００２０】
前記係止具を、合成樹脂製としたことを特徴とする係止具とする。
【発明の効果】
【００２１】
本発明によれば、次のような効果を奏する。
（１）拡がったままの面積の大きい状態の袋の口を一旦、手で絞って、袋の口の面積を縮小してから、袋の口に封止具を装着しようとする際、掴んでいた袋の口を手から一旦離すため、絞って面積を縮小していた袋の口が元に戻ろうとして拡がってしまうが、封止具を装着して係合しようとしても、封止具から袋の口が脱落して抜き出てしまう恐れが少なく、または、封止具から袋の口がはみ出すことが少なく、つまり、袋の口の素材の一端を挟みそうになったりすることが少なく、よって、拡がった袋の口を手で再度絞って、袋の口の面積を縮小してから係合しなければならないということがほとんど必要ない。手等で掴んでおくのは、第２部材と、第１部材とのみでよく、差し入れる操作が容易になる（効果１−１）。また、袋の口に封止具を装着しようとする場合、方向的に挿入しづらいということがない（効果１−２）。また、複雑な構造となることがなく、また、加工に要する手間も比較的増加することがなく、経費の低減ができる（効果１−３）。また、開口部を備えた容積部を設けることにより、容積部に袋の口が挿入した後、容積部から袋の口が脱落して抜き出たり、はみ出したりすることが少なくなる、という効果がある（効果３２−３）（効果３７−４）。
（２）前記第１部材の開口部側へ前記第２部材が押動されると、前記容積部内に挿入後の口径を拡げた袋の口が該押動された第２部材によって開口部側へ押動され、前記開口したままの開口部が該押動された袋の口によって覆われて塞がれ、該第１部材と第２部材とが係止して、該第１部材と第２部材とによって袋の口が封止されることを特徴とする係止具とすることにより、以下の効果が加わる。開口部は、そのままの開口した形であるのにもかかわらず、開口したままの開口部を含めた容積部に挿入した袋の口が封止されるため、開口部を閉じるための機能を別に有する必要がなく、材料費を含めた加工コストが低減できる、という効果がある（効果１−１６）。また、開口したままの開口部を含めた容積部は、袋の口を掛止して、かつ、袋の口を封止する役目の一部を担うので、袋の口の掛止と封止とを同一箇所で行うことができ、つまり、同一部材で兼用することが可能で、材料費の低減等ができる、という効果がある。（効果３２−５）。
（３）前記第１部材の先端に前記開口部を設け、該第１部材の後端側から第１部材の先端側へ前記第２部材が押動されると、前記容積部内に挿入後の口径を拡げた袋の口が該押動された第２部材によって開口部側へ押動され、前記開口したままの開口部が該押動された袋の口によって覆われて塞がれ、該第１部材と第２部材とが係止して、該第１部材と第２部材とによって袋の口が封止されることを特徴とする係止具とする。また、前記容積部を略Ｃ字状に設けたことを特徴とする係止具とする。また、前記封止された袋の口に対応する空間を、前記係止した第１部材の容積部と、前記係止した第２部材とで、設けたことを特徴とする係止具とすることにより、以下の効果が加わる。開口部を形成している端面と端面に段差等が発生しにくいので、第１部材の後端側から第１部材の先端側へ第２部材が押動される場合に、通過途中に端面に接触して、第２部材が停止して係止できない可能性は低い、という効果がある（効果１−１８）。また、仮に、開口部を形成している端面と端面に段差等が発生したとしても、第１部材の先端に開口部を設けてあるので、第１部材の後端側から第１部材の先端側へ第２部材が押動される場合に、通過途中に端面に接触して、第２部材が停止して係止できないということがなく、そのまま、第２部材に第１部材が沿うようなかたちで、押動された第２部材が途中で停止することなく、第１部材に第２部材が係止され、該袋の口が封止される、という効果がある（効果１−１９）。折損等の発生の恐れが少ない、という効果がある（効果１−２０）。袋の口を挿入する方向と、袋の口を封止するために第２部材を押圧する方向と、が相対するので、かち合うことがなく、連続して操作する場合に、操作の容易性、迅速性が高まる、という効果がある（効果３２−４）。
（４）前記容積部の外端から前記容積部の内側に向かって先窄まりしていく前記開口部を設けたことを特徴とする係止具とすることにより、以下の効果が加わる。先窄まりしていくように開口部を設けてあるので、口径を絞った該袋の口を容積部内に挿入する場合、比較的容易に挿入できる（効果１−４）。また、先窄まりしていくように開口部を設けてあるので、容積部に袋の口が挿入した後、容積部から袋の口が脱落して抜き出たり、はみ出したりしづらい、という効果がある（効果１−５）。また、同時に、先窄まりしていくように開口部を設けてあるので、開口部は、そのままの開口した形であるのにもかかわらず、袋の口は、開口したままの開口部から抜け出すことはなく、容積部内に挿入後の口径を拡げた該袋の口を掛止する、という効果がある（効果１−補１）。
（５）前記第２部材が挿通する挿通孔を前記第１部材に設け、または、前記第１部材が挿通する挿通孔を前記第２部材に設けたことを特徴とする係止具とすることにより、以下の効果が加わる。第１部材と第２部材とが係止しようとする場合、第２部材が第１部材に案内、または、第１部材が第２部材に案内されるので、挿入が容易となる、という効果がある（効果３８−１）（効果１−１５）（効果３２−２）。
（６）前記第２部材の挿通孔内に挿入した前記第１部材の容積部上方に位置する該第２部材の挿通孔の一端を切り込んだことを特徴とする係止具とすることにより、以下の効果が加わる。第２部材の挿通孔と、該第２部材の挿通孔内に挿入した第１部材の容積部との間に、前記開口部から挿入した袋の口が挟まれることによって該第１部材と第２部材とが係止する、という効果がある（効果４７−２）。また、切り込むことにより、成型加工の方法によっては、溶着、融着、接着等の加工の手間が低減する、という効果がある（効果４７−３）。
（７）前記第２部材の挿通孔と、該第２部材の挿通孔内に挿入した前記第１部材との間に、前記開口部から挿入した袋の口が挟まれることによって該第１部材と第２部材とが係止することを特徴とする係止具とする。前記開口したままの開口部が前記押動された袋の口によって覆われて塞がれ、前記第２部材の挿通孔と、該第２部材の挿通孔内に挿入した前記第１部材の容積部との間に、該押動された袋の口が挟まれることによって該第１部材と第２部材とが係止することを特徴とする係止具とすることにより、以下の効果が加わる。第１部材に対して第２部材を移動させる場合、摺接させて移動させる必要等はないので、移動が容易になり、負荷も小さく、操作性が向上する、という効果がある（効果４６−１）。また、摺接させるように寸法、形状等を設定する必要がなく、製造が比較的容易である、という効果がある（効果４６−２）。また、さらに、袋の口が挟まれて封止されるので、封止の確実性が向上する、という効果がある（効果４６−３）。第１部材と第２部材との係止を解除する場合、引っ張る力が小さくて済む、という効果がある（効果４６−４）。
（８）前記第１部材の挿通孔の内径に対して前記第２部材の外径を大きく設けることにより該第１部材と第２部材とが係止し、または、前記第２部材の挿通孔の内径に対して前記第１部材の外径を大きく設けることにより該第１部材と第２部材とが係止することを特徴とする係止具とすることにより、以下の効果が加わる。複雑な構造とする必要がなく、コンパクトにでき、材料費の低減が可能である、という効果がある（効果３８−２）（効果３２−１）（効果３３−１）。また、係止する位置が任意に調整できる、という効果がある（効果３２−８）（効果３７−６）（効果３８−３）。
（９）前記第１部材に係合突起を設け、または、前記第２部材に係合突起を設けたことを特徴とする係止具とする。また、前記第１部材に設けた係合突起が係止される係止片を前記第２部材に設け、または、前記第１部材に設けた係合突起が係止される係止孔を前記第２部材に設け、または、前記第２部材に設けた係合突起が係止される係止片を前記第１部材に設け、または、前記第２部材に設けた係合突起が係止される係止孔を前記第１部材に設けたことを特徴とする係止具とすることにより、以下の効果が加わる。複雑な構造とする必要がなく、材料費の低減が可能である、という効果がある（効果４０−２）（効果４０−３）（効果４１−４）（効果４２−２）。
（１０）前記係止を、接着により係止することを特徴とする係止具とすることにより、以下の効果が加わる。第１部材と第２部材とが離れにくくなり、封止の確実性が高まる、という効果がある（効果３９−３）。また、材料費の低減が可能である、という効果がある（効果３９−４）。
（１１）前記第１部材と前記第２部材とが連接した部位を設けたことを特徴とする係止具とすることにより、以下の効果が加わる。第１部材と第２部材とが分離してしまって紛失したりするということがない、という効果がある（効果３７−２）。
（１２）前記連接した部位を曲折したことを特徴とする係止具とすることにより、以下の効果が加わる。第１部材の上に第２部材を重ねようとする場合に、重ねる位置が固定されるので、手等で軽く押し倒すだけで、容易に重ねることができ、または、容易に重ねて係止できる、という効果がある（効果３９−１）（効果４０−１）（効果４４−１）。
（１３）前記連接した部位をヒンジとしたことを特徴とする係止具とすることにより、以下の効果が加わる。また、耐久性があり、繰り返しの使用が可能である、という効果がある（効果３９−２）。
（１４）前記第１部材に脚部を設け、該第１部材の脚部に前記第２部材が差し入れられると、該第２部材内面に脚部が摺接し、該脚部が弾性変形して、該第１部材の脚部に第２部材が係止され、該係止された状態で脚部が押圧されると、脚部が弾性変形し、該係止された第２部材が第１部材の脚部から解除されることを特徴とする係止具とすることにより、以下の効果が加わる。第１部材に脚部を設けてあるので、第１部材に第２部材が係止される場合に、確実性が高まる（効果１−６）。
（１５）前記係止具を、合成樹脂製としたことを特徴とする係止具とすることにより、以下の効果が加わる。開口部にて、口径を絞った該袋の口の出入が容易となり、また、容積部内に挿入後の口径を拡げた該袋の口を掛止しやすく、また、第１部材と第２部材との係止が容易となる、という効果がある（効果１−１７）。また、第１部材を片手で掴んで短手方向に軽く押圧し、少しだけ湾曲させて弾性変形させることにより、第２部材を少しずつ移動させることができ、よって、第１部材と第２部材との係止にて、係止する位置が任意に調整できる、という効果がある（効果３２−６）。
【発明を実施するための最良の形態】
【００２２】
以下に、添付図面に基づいて本発明の実施の形態について詳細に説明するが、本発明の範囲は、以下に説明される実施の形態に限定されるものではない。なお、効果については、前記（発明が解決しようとする課題）の項で記載した各課題に対応するかたちで記載してある。各課題に付した番号に対応した番号を記載してある。例えば、（発明が解決しようとする課題）の項の（課題１−１）に対応する効果は（効果１−１）というようにしてある。また、例えば、（効果１−１）の初めの数字「１」は実施例１を、後の数字は連番を表現している。
【００２３】
本発明の一実施形態である、各実施例について記す。図について、一部、説明する。図５は、袋の口（２）を開口部（６）に挿入する前の図、図６は、袋の口（２）を開口部（６）に挿入している途中の図、図７は、袋の口（２）を開口部（６）に挿入後の図である。図８は、雌部材（３）が雄部材（５）に差し入れられる開始時の図、図９は、雌部材（３）が雄部材（５）に差し入れられている途中の図、図１０は、雌部材（３）が雄部材（５）に差し入れられて係止された図である。なお、差し入れ開始から係止されるまでの状態は、図８、図９、図１０の順番で、反対に、係止された状態から、解除されるまでの状態は、図１０、図９、図８の順番となっている。また、実施例１の図５〜１４、実施例７の図３１、実施例８の図３２、実施例１０の図３３、実施例９の図３４、実施例１１の図３５、実施例１２の図３６、実施例１３の図３７、実施例１４の図３８、実施例１５の図３９、実施例１６の図４０、実施例１７の図４１、実施例２８の図６１、実施例２９の図６２、実施例３０の図４２の正面図等は、他の正面図等に比べて約７６パーセント等に縮小してある。なお、図は、すべて概略図としてあり、肉厚等は一部省略してある。また、図１１等にて、直交する方向（矢印Ｔ）は、雌部材（３）が雄部材（５）の脚部（９Ａ）（９Ｂ）に差し入れられる方向（矢印Ｓ）に対して直交する方角にて表してある。戻り方向は（矢印Ｍ）としてある。また、同様に、直交する方角にて、内向きを（矢印Ｎ）、外向きを（矢印Ｏ）としてある。
【００２４】
次に、当該明細書にて、記載の用語の意味等について補完する。「係合」「係止」について記す。「係合」「係止」という用語は広辞苑には記載されていない。特許技術用語集第２版（日刊工業新聞社）には記載がある。「係合」は、係わり合うこと。（例）左右の歯車が係合し、回転が伝達される。受け具と可動突起が係合してドアが閉鎖される。「係止」は、係わり合って止まること。（例）移動板をストッパで係止する。歯車と係止爪が係合し回転が係止される。と記載されている。以上から、どちらかといえば、「係合」は過程、手段、「係止」は過程、手段および結果を表現するものであって、大きな差異はない。当該出願の文言にて、係止を係合と代えて記してもよい。係合具としてもよい。また、「係合」する「方向」、「係止」する「方向」の各々の「方向」について、「係合」「係止」の用語自体の中に含まれているという記載は特に見当たらない。よって、当該明細書では、「係合」「係止」の用語自体の中には、方向性は含まれないと認識する。次に、「封止」について記す。「封止」という用語は広辞苑には記載されていない。特許技術用語集第２版（日刊工業新聞社）には記載がある。開口を閉鎖すること。閉（封）じ込めること。と記載されている。開口を閉鎖する量的なものについて、「封止」の用語自体の中に含まれているという記載は特に見当たらない。よって、当該明細書では、「封止」の用語自体の中には、閉鎖する量的なものは含まれないと認識する。次に、「掛止」について記す。「掛止」という用語は広辞苑には記載されていない。特許技術用語集第２版（日刊工業新聞社）には記載がある。引っ掛けて止めること。と記載されている。次に、「収容」について記す。「収容」という用語は広辞苑に記載がある。人や物品を一定の場所におさめ入れること。と記載されている。
【００２５】
次に、実施例１である、係止具（１）について記す。実施例１である、係止具（１）は、図１〜１５、６３にて、次のようにしてある。図１〜５、１０にて、袋の口（２）を封止する係止具（１）であって、雌部材（３）と、該袋の口（２）を収容可能な容積部（４）を有する雄部材（５）とで構成してある。
【００２６】
ソケットである雌部材（３）に差し込み可能なプラグである雄部材（５）とで構成してある。
【００２７】
容積部（４）は、袋の口（２）を収容可能な空間を有する。容積部（４）、に代えて、空間部と称してもよい。容積部（４）は、環状、円形状に設けてある。図１５は、容積部（４）を捻った図であるが、図１５にて、例えば、容積部（４）は、円弧状の容積部（４Ａ）と、円弧状の容積部（４Ｂ）とで構成してある。右半分の容積部（４Ａ）と、左半分の容積部（４Ｂ）とで構成してある。なお、容積部（４）の形状は、四角形状、六角形状、多角形状、半円状、楕円状に設けてもよい。また、他の形状に設けてもよい。
【００２８】
図３にて、該容積部（４）は開口部（６）を備えてある。該容積部（４）の外端（１３Ａ）（１３Ｂ）から該容積部（４）の内側に向かって先窄まりしていく該開口部（６）を設けてある。
【００２９】
開口部（６）は、端部（１３Ａ）と、端部（１３Ｂ）とによって構成され、端部（１３Ａ）（１３Ｂ）間に配置してある。開口部（６）は、容積部（４）の外縁の一側の近傍に設けてある。図１１に描いてある開口部（６）を５００％に拡大した図６３にて、開口部（６）の辺ＶＡＲＡ、辺ＶＢＲＣは、容積部（４）の端部または一端から、容積部（４）の中心部（１４）に向かってＶ字状に先窄まりしてある。つまり、開口部（６）の辺ＶＡＲＡ、辺ＶＢＲＣは、容積部（４）の中心部（１４）から容積部（４）の端部（１３Ａ）（１３Ｂ）に向かって拡がるように設けてある。テーパー状にしてある。開口部（６）の辺ＲＡＲＢ、辺ＲＣＲＤは、容積部（４）の中心部（１４）に向かって真っ直ぐ、直線的に切り欠いてある。スリット状にしてある。辺ＲＡＲＢ、辺ＲＣＲＤに対して、辺ＶＡＲＡ、辺ＶＢＲＣは、４０度程度外側へ傾斜させて、拡がるように各々設けてある。開口部（６）は、辺ＶＡＲＡ、辺ＶＢＲＣ間、および、辺ＲＡＲＢ、辺ＲＣＲＤ間にて構成してある。容積部（４）の中心から点ＶＡまでの長さ、より、容積部（４）の中心から点ＲＢまでの長さ、を差し引いた長さ、と、容積部（４）の中心から点ＲＡまでの長さ、より、容積部（４）の中心から点ＲＢまでの長さ、を差し引いた長さ、との比率は、２対１程度としてある。容積部（４）の中心部（１４）寄りにある開口部（６）内側の辺ＲＡＲＢ、辺ＲＣＲＤ間の長さ（Ｒ）は、開口部（６）外側のＶＡＶＢ間の長さ（Ｖ）より小さくしてある。つまり、負荷が加わっていない開口部（６）にて、最小長さを長さ（Ｒ）に、最大長さを長さ（Ｖ）に設けてある。また、図６、７、６３にて、開口部（６）の最小長さ（Ｒ）は、指等で寄せて縮小させた袋の口（２Ａ）の最小長さより大きく、指等で寄せて縮小させた後、袋の弾性復帰する力等により戻って拡がった袋の口（２Ｂ）の長さより小さくしてある。なお、開口部（６）の各々の長さ、大きさは、袋の口（２）の長さ、大きさ、形状、袋の厚さ、袋の材質、弾力性等により相違し、また、容積部（４）等の材質により相違する。
【００３０】
次に、開口部（６）と、袋の口（２）との作用について、一部、説明する。図６にて、該開口部（６）は、口径を絞った該袋の口（２Ａ）を出入する。また、図７にて、該開口部（６）は、該容積部（４）内に挿入後の口径を拡げた該袋の口（２Ｂ）を掛止する。
【００３１】
開口部（６）は、口径を絞った該袋の口（２Ａ）を出入する、については、口径を絞った該袋の口（２Ａ）は、開口部（６）にて、出し入れの両方が可能であるということを表現している。また、該開口部（６）は、該容積部（４）内に挿入後の口径を拡げた該袋の口（２Ｂ）、については、開口部（６）へ向かって挿入して、容積部（４）内にある挿入後の該袋の口（２Ｂ）の口径を拡げたもの、を表現する。挿入できたのは、開口部（６）は、口径を絞った該袋の口（２Ａ）を出入する、と前段で記したように、口径を絞ったからで、口径を拡げたものは挿入が容易ではない。図５、６にて、開口部（６）は、口径（７）を絞った袋の口（２Ａ）を出入する。拡がっている袋の口（２）を寄せて指等で縮小させて、開口部（６）に挿入する。通常、合成樹脂、紙など、軽微な弾力性を有する袋を使用するので、図７にて、挿入した後の袋の口（２Ａ）は、袋の弾性復帰する力により、元の大きさに近い状態などに戻ろうとして、再度、拡がる（２Ｂ）。拡がるので、前記開口部（６）の最小長さ（Ｒ）によって、最小長さ（Ｒ）より拡がった袋の口（２Ｂ）は、開口部（６）に掛止され、開口部（６）から袋の口（２Ｂ）が脱落して抜き出たり、はみ出したりすることはない。つまり、開口部（６）を備えた容積部（４）を設けることにより、容積部（４）に袋の口（２Ｂ）が挿入した後、容積部（４）から袋の口（２Ｂ）が脱落して抜き出たり、はみ出したりすることが少なくなる、という効果がある（効果１−１）。また、容積部（４）の外端（１３Ａ）（１３Ｂ）から容積部（４）の内側に向かって先窄まりしていくように開口部（６）を設けてあるので、口径を絞った該袋の口（２Ａ）を容積部（４）内に挿入する場合、比較的容易に挿入できる（効果１−４）。あるいは、容積部（４）の外端（１３Ａ）（１３Ｂ）から容積部（４）の内側に向かって先窄まりしていくように開口部（６）を設けてあるので、容積部（４）に袋の口（２Ｂ）が挿入した後、容積部（４）から袋の口（２Ｂ）が脱落して抜き出たり、はみ出したりしづらい、という効果がある（効果１−５）。
【００３２】
図３、５、８にて、該雄部材（５）に脚部（９Ａ）（９Ｂ）を設けてある。図３にて、該脚部（９Ａ）（９Ｂ）は、該容積部（４）の一端（１０）より延出して設けてある。該脚部（９Ａ）（９Ｂ）は、該容積部（４）の該開口部（６）と反対の側（１１）に位置する該容積部（４）の奥部（１２）より延出して設けてある。
【００３３】
図３、１３にて、脚部（９Ａ）（９Ｂ）は、雌部材（３）への差し込みができる、差し込み部となっている。脚部は、脚部（９Ａ）と、脚部（９Ｂ）とで一対に設けてある。脚部（９Ａ）（９Ｂ）は、容積部（４）の奥部（１２）寄りに設けてある。例えば、脚部（９Ａ）は、膝の上部（２２）と、膝部（２３Ａ）と、膝の下部（２４Ａ）とで構成してある。膝の上部（２２）は大腿、膝の下部（２４Ａ）は下腿にあたるともいえる。膝の上部（２２）は、脚部（９Ａ）（９Ｂ）にて、共用できるように一体化して設けてある。一本になっている膝の上部（２２）から枝分かれするように、膝部（２３Ａ）（２３Ｂ）を各々分離して設けてある。膝の下部（２４Ａ）から膝部（２３Ａ）（２３Ｂ）を経て膝の下部（２４Ｂ）までは、およそ、矢じり状、急勾配の弓なり状に、やや近い形状に設けてある。また、例えば、膝の上部（２２）を容積部（４）の一端（１０）より延出して、膝部（２３Ａ）より片持ち梁状に膝の下部（２４Ａ）を配してある。膝の下部（２４Ａ）の下端に傾斜辺（３１Ａ）を配してある。膝の下部（２４Ａ）は、直交する方角にて内向き（矢印Ｎ）に膝部（２３Ａ）を起点として可動するように弾性を有している。内向き（矢印Ｎ）に湾曲する。脚部（９Ｂ）も同様にしてある。可撓性のあるロックアームとしてあり、弾性片となっている。
【００３４】
また、図３、１３にて、該脚部（９Ａ）（９Ｂ）の先端外側（１５Ａ）（１５Ｂ）に顎部〈あごぶ〉（１６Ａ）（１６Ｂ）を設けてある。
【００３５】
ロックアームの自由端に顎部（１６Ａ）（１６Ｂ）を配してある。図３、１３にて、顎部（１６Ａ）は、上面部（２５Ａ）と、側面部（２６Ａ）等とで構成してある。同様に、顎部（１６Ｂ）は、上面部（２５Ｂ）と、側面部（２６Ｂ）等とで構成してある。
【００３６】
また、図３、１４にて、差し入れ開口（１８）を有した筒状（１９）の該雌部材（３）を設けてある。
【００３７】
雌部材（３）は、扁平なハウジングとしてあり、中空となっている。四角形状としてある。差し入れ開口（１８）は、雄部材（５）を導入する役目を有している。
【００３８】
図３、１４にて、雌部材（３）は、筒状（１９）内側に、容積部（４）の一部を収納する収納部（２８）を有し、収納部（２８）上端には差し入れ第２開口（２９）、収納部（２８）下端には差し入れ開口（１８）を配置してある。
【００３９】
また、図３、１４にて、雌部材（３）が雄部材（５）に差し入れられた後、雄部材（５）の顎部（１６Ａ）（１６Ｂ）に係止されるように、顎部（１６Ａ）（１６Ｂ）に対応して、顎受け部（３０Ａ）（３０Ｂ）を設けてある。雌部材（３）の顎受け部（３０Ａ）（３０Ｂ）は、筒状（１９）の雌部材（３）の周縁にて、設けてある。筒状（１９）の雌部材（３）の周縁の一部にて、配置してある。つまり、顎受け部（３０Ａ）（３０Ｂ）は、雌部材（３）の周縁（２０Ａ）（２０Ｂ）にて、設けてある。差し入れ開口（１８）近傍に、差し入れ開口（１８）の外向きに両端に設けてある。顎受け部（３０Ａ）は、外壁（２１ＡＡ）と、外壁（２１ＡＡ）に直交する外壁（２１ＡＢ）とで構成してある。顎受け部（３０Ｂ）も、同様にしてある。外壁（２１ＡＡ）は、雄部材（５）の顎部（１６Ａ）の側面部（２６Ａ）に対応するように、外壁（２１ＡＢ）は、雄部材（５）の顎部（１６Ａ）の上面部（２５Ａ）に対応するように設けてある。外壁（２１ＢＡ）（２１ＢＢ）も同様にしてある。各々、対応する縁部として配してある。
【００４０】
また、図１４にて、雌部材（３）の一端（５５Ａ）（５５Ｂ）に内壁（２７Ａ）（２７Ｂ）を配してある。内壁（２７Ａ）は、雌部材（３）の収納部（２８）下端に、差し入れ開口（１８）に連なるようにして、両端外側に設けてある。例えば、内壁（２７Ａ）は、雌部材（３）の筒状（１９）の内面（１７Ａ）から９０度外向きに接続するように、筒状（１９）の内側に配置してある。ストッパー（５３Ａ）として内壁（２７Ａ）を設けてある。内壁（２７Ｂ）も同様にしてある。
【００４１】
次に、図の説明を一部付記する。雄部材（５）について、次のようにしてある。図９等にて、直交する方向（矢印Ｔ）にて、雄部材（５）に雌部材（３）が差し入れられている途中の係止される直前の、あるいは、係止された雌部材（３）が雄部材（５）から解除される途中の、押圧して、負荷がかかって弾性変形している脚部（９Ａ）（９Ｂ）間の最小長さを（Ｄ）としてある。図１１にて、雄部材（５）に雌部材（３）が差し入れられる前の、あるいは、差し入れられて係止された後の、直交する方向（矢印Ｔ）にて、無負荷状態の、脚部（９Ａ）（９Ｂ）間の最大長さを（Ｅ）としてある。また、雌部材（３）について、次のようにしてある。図１２にて、直交する方向（矢印Ｔ）にて、各々、差し入れ開口（１８）の最小長さを（Ｆ）、内壁（２７Ａ）と内壁（２７Ｂ）との間の長さ（Ｊ）、外壁（２１ＡＡ）と外壁（２１ＢＡ）との間の最小長さを（Ｇ）としてある。図１１にて、直交する方向（矢印Ｔ）にて、容積部（４）の最大長さを（Ｈ）としてある。なお、次のように設けてある。内壁（２７Ａ）と内壁（２７Ｂ）との間の長さ（Ｊ）は、差し入れ開口（１８）の最小長さ（Ｆ）と同等にしてある。長さ（Ｄ）＜長さ（Ｆ）（Ｊ）＜長さ（Ｅ）＜長さ（Ｇ）＜長さ（Ｈ）としてある。
【００４２】
次に、雌部材（３）、雄部材（５）の作用について説明する。図８〜１０にて、該雄部材（５）に雌部材（３）が差し入れられることにより、該雄部材（５）に雌部材（３）が係止され、該開口部（６）から挿入した袋の口（２）が封止される。
【００４３】
また、上記の、雌部材（３）、雄部材（５）の作用について、言い換えると次のようになる。図８、９、１０の順番にて、該雄部材（５）の脚部（９Ａ）（９Ｂ）に雌部材（３）が差し入れられる。差し入れられると、該雌部材（３）内面（１７Ａ）（１７Ｂ）に脚部（９Ａ）（９Ｂ）が摺接する。摺接し、該脚部（９Ａ）（９Ｂ）が弾性変形する。弾性変形して、該雄部材（５）の脚部（９Ａ）（９Ｂ）に雌部材（３）が係止される。また、逆の図１０、９、８の順番にて、該係止された状態で脚部（９Ａ）（９Ｂ）が押圧される。押圧されると、脚部（９Ａ）（９Ｂ）が弾性変形する。弾性変形し、該係止された雌部材（３）が雄部材（５）の脚部（９Ａ）（９Ｂ）から解除される。
【００４４】
また、同様に、上記の、雌部材（３）、雄部材（５）の作用について、言い換えると次のようになる。図８、９、１０と順番に図を見ていくと、該雄部材（５）の脚部（９Ａ）（９Ｂ）に雌部材（３）が差し入れられる。差し入れられると、該雌部材（３）内面（１７Ａ）（１７Ｂ）に脚部（９Ａ）（９Ｂ）が摺接する。摺接し、該脚部（９Ａ）（９Ｂ）が弾性変形する。弾性変形し、該雄部材（５）の顎部（１６Ａ）（１６Ｂ）に雌部材（３）が係止される。また、図１０、９、８と逆の順番に図を見ていくと、該係止された状態で脚部（９Ａ）（９Ｂ）が押圧される。押圧されると、該脚部（９Ａ）（９Ｂ）が弾性変形する。弾性変形し、該係止された雌部材（３）が雄部材（５）の顎部（１６Ａ）（１６Ｂ）から解除される。
【００４５】
また、同様に、上記の、雌部材（３）、雄部材（５）の作用について、言い換えると次のようになる。図８、９、１０と順番に図を見ていくと、該雌部材（３）の差し入れ開口（１８）が雄部材（５）の脚部（９Ａ）（９Ｂ）に差し入れられる。差し入れられると、該筒状（１９）の内面（１７Ａ）（１７Ｂ）に脚部（９Ａ）（９Ｂ）が摺接する。摺接し、該脚部（９Ａ）（９Ｂ）が弾性変形する。弾性変形し、該雌部材（３）の筒状（１９）の周縁（２０Ａ）（２０Ｂ）が雄部材（５）の顎部（１６Ａ）（１６Ｂ）に係止される。また、図１０、９、８と逆の順番に図を見ていくと、該係止された状態で脚部（９Ａ）（９Ｂ）が押圧される。押圧されると、該脚部（９Ａ）（９Ｂ）が弾性変形する。弾性変形し、該係止された雌部材（３）の筒状（１９）の周縁（２０Ａ）（２０Ｂ）が雄部材（５）の顎部（１６Ａ）（１６Ｂ）から解除される。
【００４６】
また、差し入れから係止までの作用についての詳細を一部追記する。筒状（１９）の内面（１７Ａ）（１７Ｂ）にて脚部（９Ａ）（９Ｂ）が抜き差しできるようにしてある。図８にて、雌部材（３）の差し入れ第２開口（２９）が雄部材（５）の脚部（９Ａ）（９Ｂ）に差し入れられる。差し入れられて、続いて、差し入れ開口（１８）が脚部（９Ａ）（９Ｂ）に差し入れられる。つまり、開口部（６）と反対の側より、雌部材（３）が雄部材（５）に差し入れられる。挿入する。差し入れられると、図８、９にて、筒状（１９）の内面（１７Ａ）（１７Ｂ）に、脚部（９Ａ）（９Ｂ）の傾斜辺（３１Ａ）（３１Ｂ）が摺接する。摺接して、直交する方角にて内向き（矢印Ｎ）に膝部（２３Ａ）（２３Ｂ）を起点として膝の下部（２４Ａ）（２４Ｂ）が弾性変形する。よって、筒状（１９）の内面（１７Ａ）（１７Ｂ）に、脚部（９Ａ）（９Ｂ）の傾斜辺（３１Ａ）（３１Ｂ）が撓（たわ）まる。膝の下部（２４Ａ）（２４Ｂ）の傾斜辺（３１Ａ）（３１Ｂ）に沿って弾性変形するので、脚部（９Ａ）（９Ｂ）の顎部（１６Ａ）（１６Ｂ）の側面部（２６Ａ）（２６Ｂ）が、脚部（９Ａ）（９Ｂ）間の長さ（Ｄ）程度になるまで押圧される。図１０にて、押圧された脚部（９Ａ）（９Ｂ）は、筒状（１９）の内面（１７Ａ）（１７Ｂ）を経て、差し入れ開口（１８）を通過して、周縁（２０Ａ）（２０Ｂ）に達すると、直交する方角にて外向き（矢印Ｏ）に復元する。弾性復帰する。復元して、脚部（９Ａ）（９Ｂ）間の最大長さ（Ｅ）に戻る。雌部材（３）の筒状（１９）の周縁（２０Ａ）（２０Ｂ）の外壁（２１ＡＡ）（２１ＢＡ）は、雄部材（５）の顎部（１６Ａ）（１６Ｂ）の側面部（２６Ａ）（２６Ｂ）に対応して、雌部材（３）の筒状（１９）の周縁（２０Ａ）（２０Ｂ）の外壁（２１ＡＢ）（２１ＢＢ）は、雄部材（５）の顎部（１６Ａ）（１６Ｂ）の上面部（２５Ａ）（２５Ｂ）に対応して、雄部材（５）に雌部材（３）が係止される。つまり、雌部材（３）の筒状（１９）の周縁（２０Ａ）（２０Ｂ）の外壁（２１ＡＡ）（２１ＢＡ）は、雄部材（５）の顎部（１６Ａ）（１６Ｂ）の側面部（２６Ａ）（２６Ｂ）に当接して、雌部材（３）の筒状（１９）の周縁（２０Ａ）（２０Ｂ）の外壁（２１ＡＢ）（２１ＢＢ）は、雄部材（５）の顎部（１６Ａ）（１６Ｂ）の上面部（２５Ａ）（２５Ｂ）に当接して、雄部材（５）に雌部材（３）が係止される。係合される。係止されると、戻り方向（矢印Ｍ）への、雌部材（３）に対する雄部材（５）の移動が規制される。戻り方向（矢印Ｍ）は、差し入れる方向（矢印Ｓ）と反対の方向である。戻り方向（矢印Ｍ）と差し入れる方向（矢印Ｓ）とは相反する。つまり、差し入れる方向（矢印Ｓ）にて、雌部材（３）が雄部材（５）の挿入を許容して、雌部材（３）が雄部材（５）に係止された後、戻り方向（矢印Ｍ）への移動が規制される。戻り方向（矢印Ｍ）への引き抜きを防止される、戻り方向（矢印Ｍ）への後退を停止される。雌部材（３）が雄部材（５）に差し入れられることにより、開口部（６）は閉塞される。
【００４７】
また、雄部材（５）に脚部（９Ａ）（９Ｂ）を設けてあるので、雄部材（５）に雌部材（３）が係止される場合に、確実性が高まる（効果１−６）。また、脚部（９Ａ）（９Ｂ）の先端外側（１５Ａ）（１５Ｂ）に顎部（１６Ａ）（１６Ｂ）を設けてあるので、雄部材（５）に雌部材（３）が係止される場合に、確実性が高まる（効果１−７）。また、差し入れ開口（１８）を有した筒状（１９）の雌部材（３）を設けてあるので、雌部材（３）が雄部材（５）に差し入れられる場合に、案内されて、差し入れが容易となる（効果１−８）。
【００４８】
また、図１０にて、前記雄部材（５）に前記雌部材（３）が係止された後、前記雄部材（５）の一端（５８Ａ）（５８Ｂ）に前記雌部材（３）の一端（５５Ａ）（５５Ｂ）が当接される。当接されることにより差し入れられる方向（矢印Ｓ）への移動が規制される（効果１−９）。
【００４９】
つまり、次のようになる。雌部材（３）が雄部材（５）に差し入れられると、既に記したように、筒状（１９）の内面（１７Ａ）（１７Ｂ）に摺接した脚部（９Ａ）（９Ｂ）は、そのあと、差し入れ開口（１８）を通過する。通過して、雄部材（５）に雌部材（３）が係止される。容積部（４）の最大長さ（Ｈ）より、内壁（２７Ａ）と内壁（２７Ｂ）との間の長さ（Ｊ）は小さくしてあるので、係止された後、直後、あるいは、ほぼ同時に、容積部（４）の下側の一部である容積部（４）の一端（５８Ａ）（５８Ｂ）が、内壁（２７Ａ）（２７Ｂ）である雌部材（３）の一端（５５Ａ）（５５Ｂ）に接触する。当接する。当接するので、雌部材（３）に対しての雄部材（５）の差し入れ動作は停止する。つまり、ストッパー（５３Ａ）（５３Ｂ）である内壁（２７Ａ）（２７Ｂ）によって、差し入れられる方向（矢印Ｓ）への移動が規制される。脚部（９Ａ）（９Ｂ）は差し入れ開口（１８）を通過するが、容積部（４）は差し入れ開口（１８）を通過することができない。よって、雌部材（３）が雄部材（５）に差し入れられて、雌部材（３）を雄部材（５）が通過して、差し入れ開口（１８）より下側に雄部材（５）の開口部（６）が位置することはない。差し入れられる方向（矢印Ｓ）にて、雌部材（３）から雄部材（５）が抜け出すことはない。つまり、図１０にて、容積部（４）の下側の一部と、内壁（２７Ａ）（２７Ｂ）との接触、および、外壁（２１ＡＡ）（２１ＢＡ）と、側面部（２６Ａ）（２６Ｂ）との接触、外壁（２１ＡＢ）（２１ＢＢ）と、上面部（２５Ａ）（２５Ｂ）との接触により、嵌合状態となり、保持される。
【００５０】
また、既に記したように、雄部材（５）に雌部材（３）が差し入れられる前の状態にて、開口部（６）から挿入した袋の口（２）が、容積部（４）より脱落して抜き出てしまう恐れが少なく、または、はみ出すことが少ない。よって、脱落して抜き出てしまう恐れが少なく、または、はみ出すことが少ないので、雄部材（５）に雌部材（３）が差し入れられる場合に、雌部材（３）と雄部材（５）とを手等で掴みながら、袋の口（２）を同時に掴んで押さえておく必要がほとんどない。雄部材（５）に雌部材（３）が差し入れられる場合に、手等で掴んでおくのは、雌部材（３）と雄部材（５）とのみでよく、差し入れる操作が容易になる、という効果がある（効果１−１）。
【００５１】
また、雄部材（５）の容積部（４）と、袋の口（２）との、差し入れられて係止され、封止されるまでの作用について一部追記する。図７〜１０にて、軽微な弾力性を有する袋を使用した場合、図７にて、挿入した後の袋の口（２）は、元の大きさに近い状態に戻ろうとして、再度、拡がる（２Ｂ）。その後、雌部材（３）が雄部材（５）に差し入れられて、雌部材（３）の差し入れ第２開口（２９）、あるいは、収納部（２８）上端と、容積部（４）の上側と、の間に挟まれるようにして、袋の口（２）は押さえられて、面積を少しずつ縮小させて、係止され、封止される。
【００５２】
また、図１０にて、該封止された袋の口（２）に対応する空間（８）を、該係止された雌部材（３）と、該係止した雄部材（５）の容積部（４）とで、設けてある。
【００５３】
封止された袋の口（２）に対応する空間（８）は、雌部材（３）の差し入れ第２開口（２９）、あるいは、収納部（２８）上端と、開口部（６）を有する容積部（４）の上側で構成されている。封止された袋の口（２）の幅に対応する空間（８）を、係止された雌部材（３）と、係止した雄部材（５）の容積部（４）とで、設けてある。図８〜１０にて、雌部材（３）が雄部材（５）に差し入れられることにより、容積部（４）が閉塞される。雌部材（３）によって、容積部（４）が閉塞される。言い方をかえると次のようにも記すことができる。容積部（４）は雌部材（３）により壅寒され、容積部（４）が壅寒された容積部（４）と雌部材（３）とで、開口部（６）から挿入した袋の口（２）が挟扼される間隙（８）を設けてある。
【００５４】
なお、雌部材（３）が雄部材（５）に差し入れられて、雌部材（３）の差し入れ第２開口（２９）と、収納部（２８）上端との間、あるいは、雌部材（３）の差し入れ第２開口（２９）と、容積部（４）の上側との間に挟まれるようにして、袋の口（２）は押さえられて、係止されるが、開口部（６）の最小長さ（Ｒ）は、係止された後でも一定であるので、袋の口（２）を指等で掴んで強く引っ張れば、袋、例えば、袋の厚さ、袋の口（２）の長さ、大きさによっては、容積部（４）内より抜き出すことができる。よって、雄部材（５）に係止された雌部材（３）が雄部材（５）から解除されなくても容積部（４）内より袋の口（２）を抜き出すことができる（効果１−１０）。ただし、袋の口（２）を指等で掴んで強く引っ張ったりしない通常の動作においては、容積部（４）内より袋の口（２）が抜き出すことはない。
【００５５】
なお、特に図示しないが、次のようにしてもよい。実施例１である、係止具（１）にて、雌部材（３）の収納部（２８）にある内壁（２７Ａ）（２７Ｂ）を設けないようにする。内壁（２７Ａ）（２７Ｂ）がないので、雄部材（５）に雌部材（３）が係止された後、雄部材（５）の容積部（４）の一端（５４Ａ）（５４Ｂ）に雌部材（３）の一端（５５Ａ）（５５Ｂ）が当接することがなくなる。そのまま、引き続き、雌部材（３）が雄部材（５）に差し入れ続けられると、容積部（４）は差し入れ開口（１８）を通過しようと、差し入れられる方向（矢印Ｓ）に移動する。しかし、既に記したように、雌部材（３）が雄部材（５）に差し入れられると、雌部材（３）の差し入れ第２開口（２９）、あるいは、収納部（２８）上端と、容積部（４）の上側と、の間に挟まれるようにして、袋の口（２）は押さえられて、面積を少しずつ縮小させる。よって、縮小した袋の口（２）が障害となり、雌部材（３）に対しての雄部材（５）の差し入れ動作は停止し、差し入れられる方向（矢印Ｓ）にて、雌部材（３）から雄部材（５）が抜け出すことはない。つまり、内壁（２７Ａ）（２７Ｂ）を設けないようにしても、雌部材（３）から雄部材（５）が抜け出すことはなく、係止される。
【００５６】
また、次に、係止から解除までの作用についての詳細を一部追記する。図９、１０にて、係止された状態で脚部（９Ａ）（９Ｂ）を、脚部（９Ａ）（９Ｂ）間の長さ（Ｄ）になるまで押圧する。図９にて、押圧すると、直交する方角にて内向き（矢印Ｎ）に膝部（２３Ａ）（２３Ｂ）を起点として膝の下部（２４Ａ）（２４Ｂ）が弾性変形する。雌部材（３）の筒状（１９）の周縁（２０Ａ）（２０Ｂ）の外壁（２１ＡＡ）（２１ＢＡ）は雄部材（５）の顎部（１６Ａ）（１６Ｂ）の側面部（２６Ａ）（２６Ｂ）から離れ、同時に、雌部材（３）の筒状（１９）の周縁（２０Ａ）（２０Ｂ）の外壁（２１ＡＢ）（２１ＢＢ）は雄部材（５）の顎部（１６Ａ）（１６Ｂ）の上面部（２５Ａ）（２５Ｂ）から離れる。よって、係止された雌部材（３）の筒状（１９）の周縁（２０Ａ）（２０Ｂ）が雄部材（５）の顎部（１６Ａ）（１６Ｂ）から解除される。離れた後、脚部（９Ａ）（９Ｂ）間の長さ（Ｄ）になった脚部（９Ａ）（９Ｂ）の顎部（１６Ａ）（１６Ｂ）の側面部（２６Ａ）（２６Ｂ）が、膝の下部（２４Ａ）（２４Ｂ）の傾斜辺（３１Ａ）（３１Ｂ）に沿って、筒状（１９）の内面（１７Ａ）（１７Ｂ）に摺接して、図８にて、内面（１７Ａ）（１７Ｂ）から離れて、直交する方角にて外向き（矢印Ｏ）に復元して、解除する。
【００５７】
また、次に、雌部材（３）、雄部材（５）の解除した後の、雄部材（５）の容積部（４）からの袋の口（２）の取り出しの作用について記す。容積部（４）からの袋の口（２）を取り出す場合、拡がった袋の口（２）を寄せ集めて縮小させて、開口部（６）より取り出す。あるいは、図１５にて、容積部（４Ａ）外端（１３Ａ）を下方向（矢印Ｋ）に、容積部（４Ｂ）外端（１３Ｂ）を上方向（矢印Ｕ）に傾斜させ、つまりは、指などで捻って、開口部（６）を拡げて、袋の口（２）を取り出す。容易に捻られるように、容積部（４）等は、可撓性を有する材質を用いている。なお、捻らないで取り出す場合は、可撓性を有する材質を用いる必要は特にない。その際は、開口部（６）の大きさをやや大きめにとり、取り出しが容易なように設けてもよい。
【００５８】
次に、発明が解決しようとする課題、で記した実施例１の課題と効果について、重複するが以下に記載する。第１の課題を記す。特許文献１にて、例えば、袋の口（袋状物４０の開口部分４１の近くの部分）に封止具を装着しようとする場合、通常、拡がったままの面積の大きい状態の袋の口を一旦、手で絞って、袋の口の面積を縮小してから、袋の口に封止具を装着しようとする。手で絞った袋の口を片方の手で掴んで、残りの片方の手で突起体１５を掴んで、突起体１５の脚部１９ａ、脚部１９ｂの間のスペースに袋の口を通す。通した後、突起体１５を凹み体１６に対して係合するため、突起体１５と凹み体１６とを各々、別々の手で掴む必要から、掴んでいた袋の口を手から一旦離すと、その際、絞って面積を縮小していた袋の口が（通常、合成樹脂、紙など、軽微な弾力性を有する袋を使用するので）、素材の反発する力等により、元に戻ろうとして拡がってしまう。そのため、突起体１５を凹み体１６に対して係合する場合に、そのままでは、突起体１５の脚部１９ａ、脚部１９ｂの間のスペースから袋の口が脱落して抜き出てしまう恐れがある。あるいは、突起体１５の脚部１９ａ、脚部１９ｂの間のスペースから袋の口がはみ出したりする。はみ出した状態で封止具を強引に係合しようとして、袋の口の素材の一端を挟みそうになったりして支障をきたす恐れがある。よって、拡がった袋の口を再度、手で絞って、袋の口の面積を縮小してから、係合しなければならない。手で絞った袋の口を片方の手で掴んで、残りの片方の手で突起体１５を掴んで、突起体１５の脚部１９ａ、脚部１９ｂの間のスペースに袋の口を通した後、突起体１５を凹み体１６に対して係合する場合に、突起体１５を掴んだままの状態の片方の手に絞った袋の口をさらに掴ませて、残りの片方の手で凹み体１６を掴んで係合しなければならないという、手間を要する問題がある。つまり、拡がったままの面積の大きい状態の袋の口を一旦、手で絞って、袋の口の面積を縮小してから、袋の口に封止具を装着しようとする際、掴んでいた袋の口を手から一旦離すと、その際、絞って面積を縮小していた袋の口が、素材の反発する力等により、元に戻ろうとして拡がってしまい、封止具から袋の口が脱落して抜き出てしまう恐れがある。あるいは、その際、封止具から袋の口がはみ出したりする。はみ出したままで、封止具を強引に係合しようとして、はみ出した状態の袋の口の素材の一端を挟みそうになったりして支障をきたす恐れがある。よって、拡がった袋の口を再度、手で絞って、袋の口の面積を縮小してから、係合しなければならない、という問題がある（課題１−１）。前記問題を解消し、拡がったままの面積の大きい状態の袋の口を一旦、手で絞って、袋の口の面積を縮小してから、袋の口に封止具を装着しようとする際、掴んでいた袋の口を手から一旦離すため、絞って面積を縮小していた袋の口が元に戻ろうとして拡がってしまうが、封止具を装着して係合しようとしても、封止具から袋の口が脱落して抜き出てしまう恐れが少なく、または、封止具から袋の口がはみ出すことが少なく、つまり、袋の口の素材の一端を挟みそうになったりすることが少なく、よって、拡がった袋の口を手で再度絞って、袋の口の面積を縮小してから係合しなければならないということがほとんど必要ない係止具を提供することができる（効果１−１）。同様に、特許文献２にて、袋の口（袋の絞り口部）に封止具を装着しようとする場合、挾持ピース１と押圧ピース２の押圧バー１５、１５´との係合する前の装着については、絞った袋の口を片方の手で掴んで、挾持ピース１と係合する前の押圧ピース２の押圧バー１５、１５´の平坦面１７、１７間へ長手方向から挿入する。挿入後、そのままでは、押圧ピース２の押圧バー１５、１５´の平坦面１７、１７間から袋の口が脱落して抜き出てしまう恐れがある。あるいは、押圧ピース２の押圧バー１５、１５´の平坦面１７、１７間から袋の口がはみ出したりする。はみ出した状態で封止具を強引に係合しようとして、袋の口の素材の一端を挟みそうになったりして支障をきたす恐れがある。よって、拡がった袋の口を再度、手で絞って、袋の口の面積を縮小してから、係合しなければならない。手で絞った袋の口を片方の手で掴んで、係合する場合に、同様に、押圧ピース２を掴んだままの状態の片方の手に絞った袋の口をさらに掴ませて係合しなければならないという、手間を要する問題がある（課題１−１）。次に、第２の課題を記す。特許文献２にて、袋の口（袋の絞り口部）に封止具を装着しようとする場合、挾持ピース１と押圧ピース２の押圧バー１５、１５´との係合した後の装着については、絞った袋の口を片方の手で掴んで、挾持ピース１と係合した後の押圧ピース２の押圧バー１５、１５´の平坦面１７、１７間へ上または下方向から挿入する。しかし、上または下方向から挿入するため、係合した挾持ピース１と押圧ピース２にて、押圧バー１５、１５´の平坦面１７、１７間に形成された面積より少ない面積まで袋の口を絞って縮小して、片方の手で絞った袋の口を掴んだまま、上または下方向から平坦面１７、１７間に挿入して通過しなければならず、方向的に挿入しづらいという問題がある。つまり、袋の口に封止具を装着しようとする場合、袋の口を絞って縮小して、絞った袋の口を片方の手で掴んだまま、上または下方向から挿入して通過しなければならず、方向的に挿入しづらいという問題がある（課題１−２）。前記問題を解消し、袋の口に封止具を装着しようとする場合、方向的に挿入しづらいということのない係止具を提供することができる（効果１−２）。また、特許文献１と同様に、袋の口を挿入後、挾持ピース１と押圧ピース２との距離を縮めて封止しようとする場合、袋の口が脱落して抜き出てしまう恐れがある。あるいは、袋の口の素材の一端を挟みそうになったりして支障をきたす恐れがある。よって、押圧ピース２を掴んだままの状態の片方の手に絞った袋の口を引き続き掴んで係合しなければならないという、手間を要する問題がある。（課題１−１）。次に、第３の課題を記す。特許文献２にて、挾持ピース１の支持フレーム３と挾持バー９、９´の間に、押圧ピース２の押圧バー１５、１５´を挟んで、支持フレーム３側と挾持バー９、９´側との両面から押圧バー１５、１５´を当接するようにしてあるので、複雑な構造となり、そのため、加工に要する手間も増加し、経費も増えてしまうという問題がある（課題１−３）。前記問題を解消し、複雑な構造と��ることがなく、また、加工に要する手間も比較的増加することがなく、経費の低減ができる係止具を提供することができる（効果１−３）。以上のような顕著な効果を本発明は達成する。本発明を当業者が容易になし得るものではないと確信する。
【００５９】
また、容積部（４）、脚部（９Ａ）（９Ｂ）は、手等で掴む場合の取っ手として、各々、代用可能である（効果１−１１）。また、雄部材（５）は、左右対称に設けてあるので、そのまま、左右反対にした雄部材（５）に雌部材（３）が差し入れられても、使用可能である（効果１−１２）。
【００６０】
次に、実施例２である、係止具（１ａ）について記す。図について、一部、説明する。図１８は、雄部材（５ａ）の右半分のみを描いた図、図１９は、雌部材（３ａ）の右半分のみを描いた図である。図１６〜２１にて、次のようにしてある。袋の口を封止する係止具（１ａ）であって、雌部材（３ａ）と、該袋の口（２ａ）を収容可能な容積部（４ａ）を有する雄部材（５ａ）とで構成してある。
【００６１】
容積部（４ａ）は、基部（４０）、線状部（４６Ａ）（４６Ｂ）、鍔部（４１Ａ）（４１Ｂ）等にて構成してある。
【００６２】
該雄部材（５ａ）に脚部（９Ａａ）（９Ｂａ）を設けてある。該脚部（９Ａａ）（９Ｂａ）は、該容積部（４ａ）の一端（１０Ａａ）（１０Ｂａ）より延出して設けてある。
【００６３】
前記脚部（９Ａａ）（９Ｂａ）は、前記開口部（６ａ）近傍に設けてある。
【００６４】
脚部は、脚部（９Ａａ）と、脚部（９Ｂａ）とで一対に設けてある。例えば、脚部（９Ａａ）の下部（３４Ａ）には、外側にて、傾斜辺（３１Ａａ）を配してある。脚部（９Ａａ）は、直交する方角にて内向き（矢印Ｎ）に可動するように弾性を有している。内向き（矢印Ｎ）に湾曲する。脚部（９Ｂａ）も同様にしてある。脚部（９Ａａ）（９Ｂａ）は、雌部材（３ａ）への差し込みができる、差し込み部となっている。
【００６５】
脚部（９Ａａ）（９Ｂａ）の先端内側に鍔部〈つばぶ〉（４１Ａ）（４１Ｂ）を設けてある。例えば、鍔部（４１Ａ）は、上辺（４２Ａ）、側辺（４３Ａ）、下辺（４４Ａ）より構成してある。鍔部（４１Ｂ）も同様としてある。鍔部（４１Ａ）（４１Ｂ）は突状としてある。一方の脚部（９Ａａ）に設けた鍔部（４１Ａ）と残りの一方の脚部（９Ｂａ）に設けた鍔部（４１Ｂ）とを対向するようにして配置してある。
【００６６】
該容積部（４ａ）は開口部（６ａ）を備えてある。該容積部（４ａ）の外端（１３Ａａ）（１３Ｂａ）から該容積部（４ａ）の内側に向かって先窄まりしていく該開口部（６ａ）を設けてある。開口部（６ａ）と、袋の口（２ａ）との作用について説明する。該開口部（６ａ）は、口径を絞った該袋の口（２ａ）を出入する。また、該開口部（６ａ）は、該容積部（４ａ）内に挿入後の口径を拡げた該袋の口（２ａ）を掛止する。実施例１と同様である。
【００６７】
開口部（６ａ）は、鍔部（４１Ａ）と、鍔部（４１Ｂ）とによって構成され、鍔部（４１Ａ）（４１Ｂ）間に配置してある。脚部（９Ａａ）（９Ｂａ）の下端部（３９Ａ）（３９Ｂ）から容積部（４ａ）の内側である中心部（１４ａ）に向かって先窄まりしていく開口部（６ａ）を設けてある。例えば、脚部（９Ａａ）の下端部（３９Ａ）の内側辺（４５Ａ）から下辺（４４Ａ）、側辺（４３Ａ）へと傾斜してある。傾斜度合は、下辺（４４Ａ）と比べて、内側辺（４５Ａ）、側辺（４３Ａ）は緩やかにしてある。脚部（９Ｂａ）側も同様としてある。
【００６８】
また、該脚部（９Ａａ）（９Ｂａ）の先端外側（１５Ａａ）（１５Ｂａ）に顎部（１６Ａａ）（１６Ｂａ）を設けてある。
【００６９】
鍔部（４１Ａ）（４１Ｂ）と反対の側に顎部（１６Ａａ）（１６Ｂａ）を配置してある。例えば、顎部（１６Ａａ）は、上面部（２５Ａａ）と、側面部（２６Ａａ）等とで構成してある。上面部（２５Ａａ）と、側面部（２６Ａａ）等は、脚部（９Ａａ）（９Ｂａ）の基部（４０）側に向けられた係合面としてある。顎部（１６Ｂａ）も同様にしてある。
【００７０】
また、差し入れ開口（１８ａ）を有した筒状（１９ａ）の該雌部材（３ａ）を設けてある。
【００７１】
また、差し入れ開口（１８ａ）を有した筒状（１９ａ）の周縁（２０ＡＡａ）（２０ＢＡａ）に窓穴部（３７Ａ）（３７Ｂ）を配置した該雌部材（３ａ）を設けてある。
【００７２】
雌部材（３ａ）は、筒状（１９ａ）内側上部に、容積部（４ａ）の一部を収納する収納部（２８ａ）を有し、収納部（２８ａ）上端には差し入れ開口（１８ａ）を設けてある。収納部（２８ａ）上部側面には側壁（３８Ａ）（３８Ｂ）を設けてある。収納部（２８ａ）上部両側面には側壁（３８Ａ）（３８Ｂ）を設け、雌部材（３ａ）下部両側面には窓穴部（３７Ａ）（３７Ｂ）を設けてある。差し入れ開口（１８ａ）に続く縦側板部の一方の一部及び差し入れ開口（１８ａ）に続く横側板部の一方の一部を欠切（けっせつ）するようにして窓穴部（３７Ａ）（３７Ｂ）を形成してある。雌部材（３ａ）下端には下壁（３５）を配置してある。下壁（３５）によって、窓穴部（３７Ａ）（３７Ｂ）の一部を構成してある。直交する方角にて内向き（矢印Ｎ）に、脚部（９Ａａ）（９Ｂａ）を押圧して、弾性変形する際、あるいは、弾性変形してから、直交する方角にて外向き（矢印Ｏ）に復元する際の案内をするための開口箇所として、窓穴部（３７Ａ）（３７Ｂ）は設けてある。窓穴部（３７Ａ）（３７Ｂ）は、湾曲状に設けてあるが、形状は特に限定しない。
【００７３】
また、雌部材（３ａ）が雄部材（５ａ）に差し入れられた後、例えば、雄部材（５ａ）の顎部（１６Ａａ）に係止されるように、顎部（１６Ａａ）に対応して、顎受け部（３０Ａａ）を設けてある。顎受け部（３０Ａａ）は、雌部材（３ａ）の周縁（２０Ａａ）にて設けてある。差し入れ開口（１８ａ）近傍に、差し入れ開口（１８ａ）の外向きに両端に配してある。つまり、顎受け部（３０Ａａ）は、窓穴部（３７Ａ）上部に設けてある。顎受け部（３０Ａａ）は、外壁（２１ＡＢａ）に直交する内壁（３６Ａ）とで構成してある。外壁（２１ＡＢａ）は、雄部材（５ａ）の顎部（１６Ａａ）の上面部（２５Ａａ）に対応するように、内壁（３６Ａ）は、雄部材（５ａ）の顎部（１６Ａａ）の側面部（２６Ａａ）に対応するように、係合する係合面として設けてある。各々、対応する縁部として配してある。また、顎受け部（３０Ｂａ）も同様にしてある。
【００７４】
次に、図の説明を一部付記する。雄部材（５ａ）について、次のようにしてある。図２１にて、直交する方向（矢印Ｔ）にて、開口部（６ａ）の長さを（Ｌ）としてある。つまり、開口部（６ａ）を構成する、容積部（４ａ）の鍔部（４１Ａ）（４１Ｂ）間の長さとしてある。雄部材（５ａ）に雌部材（３ａ）が差し入れられる前の、あるいは、差し入れられて係止された後の、直交する方向（矢印Ｔ）にて、無負荷状態の、脚部（９Ａａ）（９Ｂａ）間の最大長さを（Ｅａ）としてある。また、特に図示しないが、実施例１と同様に、直交する方向（矢印Ｔ）にて、雄部材（５ａ）に雌部材（３ａ）が差し入れられている途中の係止される直前の、あるいは、係止された雌部材（３ａ）が雄部材（５ａ）から解除される途中の、押圧して、負荷がかかって弾性変形している脚部（９Ａａ）（９Ｂａ）間の長さを（Ｄａ）とする。また、長さ（Ｅａ）から長さ（Ｄａ）を差し引いた差を、つまり、長さ（Ｅａ）―長さ（Ｄａ）＝長さ（ＥＤ）とする。また、長さ（ＥＤ）＜長さ（Ｌ）としてある。よって、直交する方向（矢印Ｔ）にて、雄部材（５ａ）に雌部材（３ａ）が差し入れられている途中の係止される直前の、あるいは、係止された雌部材（３ａ）が雄部材（５ａ）から解除される途中の、脚部（９Ａａ）（９Ｂａ）にて、押圧して、弾性変形しても、容積部（４ａ）の鍔部（４１Ａ）と（４１Ｂ）とは衝突しない（効果２−１）。
【００７５】
なお、実施例１、２を比較した場合、次のことがいえる。実施例１は、脚部（９Ａ）（９Ｂ）は、容積部（４）の開口部（６）と反対の側（１１）に位置する容積部（４）の奥部（１２）より延出して設けてあるので、衝突することがなく、実施例２のように、長さ（ＥＤ）＜長さ（Ｌ）とする必要がなく、長さ（Ｌ）を短くすることができる。実施例１にて、開口部（６）の長さを短くできるので、口径を拡げた挿入後の袋の口（２Ｂ）を開口部（６）にて掛止する場合、より確実に掛止でき、抜き出ることが少なくなる。また、袋の厚さが薄いものを使用することで、袋の口（２）の長さが短くなるもの、袋の口（２）の大きさが小さくなるもの、など、袋の口（２）の大きさが小さくても、開口部（６）の長さを短くできるので、口径を拡げた挿入後の袋の口（２Ｂ）を開口部（６）にて掛止する場合、より確実に掛止でき、抜き出ることが少なくなる（効果１−１３）。
【００７６】
例えば、脚部（９Ａａ）に押圧部（３２Ａ）を設けてある。押圧部（３２Ａ）は、脚部（９Ａａ）の上部（３３Ａ）から下部（３４Ａ）にて、外側に配置してある。鍔部（４１Ａ）と反対の側に設けてある。顎部（１６Ａａ）より先端側に延出してある。顎部（１６Ａａ）の下に配置してある。押圧部（３２Ｂ）も同様にしてある。
【００７７】
次に、雌部材（３ａ）、雄部材（５ａ）の作用について説明する。該雄部材（５ａ）に雌部材（３ａ）が差し入れられることにより、該雄部材（５ａ）に雌部材（３ａ）が係止され、該開口部（６ａ）から挿入した袋の口（２ａ）が封止される。
【００７８】
また、上記の、雌部材（３ａ）、雄部材（５ａ）の作用について、言い換えると次のようになる。該雄部材（５ａ）の脚部（９Ａａ）（９Ｂａ）に雌部材（３ａ）が差し入れられる。差し入れられると、該雌部材（３ａ）内面（１７Ａａ）（１７Ｂａ）に脚部（９Ａａ）（９Ｂａ）が摺接する。摺接し、該脚部（９Ａａ）（９Ｂａ）が弾性変形する。弾性変形して、該雄部材（５ａ）の脚部（９Ａａ）（９Ｂａ）に雌部材（３ａ）が係止される。また、該係止された状態で脚部（９Ａａ）（９Ｂａ）が押圧される。押圧されると、脚部（９Ａａ）（９Ｂａ）が弾性変形する。弾性変形し、該係止された雌部材（３ａ）が雄部材（５ａ）の脚部（９Ａａ）（９Ｂａ）から解除される。
【００７９】
また、同様に、上記の、雌部材（３ａ）、雄部材（５ａ）の作用について、言い換えると次のようになる。該雄部材（５ａ）の脚部（９Ａａ）（９Ｂａ）に雌部材（３ａ）が差し入れられる。差し入れられると、該雌部材（３ａ）内面（１７Ａａ）（１７Ｂａ）に脚部（９Ａａ）（９Ｂａ）が摺接する。摺接し、該脚部（９Ａａ）（９Ｂａ）が弾性変形する。弾性変形し、該雄部材（５ａ）の顎部（１６Ａａ）（１６Ｂａ）に雌部材（３ａ）が係止される。また、該係止された状態で脚部（９Ａａ）（９Ｂａ）が押圧される。押圧されると、該脚部（９Ａａ）（９Ｂａ）が弾性変形する。弾性変形し、該係止された雌部材（３ａ）が雄部材（５ａ）の顎部（１６Ａａ）（１６Ｂａ）から解除される。
【００８０】
また、同様に、上記の、雌部材（３ａ）、雄部材（５ａ）の作用について、言い換えると次のようになる。該雌部材（３ａ）の差し入れ開口（１８ａ）が雄部材（５ａ）の脚部（９Ａａ）（９Ｂａ）に差し入れられる。差し入れられると、該筒状（１９ａ）の内面（１７Ａａ）（１７Ｂａ）に脚部（９Ａａ）（９Ｂａ）が摺接する。摺接し、該脚部（９Ａａ）（９Ｂａ）が弾性変形する。弾性変形し、該雌部材（３ａ）の筒状（１９ａ）の周縁（２０Ａａ）（２０Ｂａ）が雄部材（５ａ）の顎部（１６Ａａ）（１６Ｂａ）に係止される。また、該係止された状態で脚部（９Ａａ）（９Ｂａ）が押圧される。押圧されると、該脚部（９Ａａ）（９Ｂａ）が弾性変形する。弾性変形し、該係止された雌部材（３ａ）の筒状（１９ａ）の周縁（２０Ａａ）（２０Ｂａ）が雄部材（５ａ）の顎部（１６Ａａ）（１６Ｂａ）から解除される。
【００８１】
また、同様に、上記の、雌部材（３ａ）、雄部材（５ａ）の作用について、言い換えると次のようになる。該雌部材（３ａ）の差し入れ開口（１８ａ）が雄部材（５ａ）の脚部（９Ａａ）（９Ｂａ）に差し入れられる。差し入れられると、該筒状（１９ａ）の内面（１７Ａａ）（１７Ｂａ）に脚部（９Ａａ）（９Ｂａ）が摺接する。摺接し、該脚部（９Ａａ）（９Ｂａ）が弾性変形する。弾性変形し、該雌部材（３ａ）の窓穴部（３７Ａ）（３７Ｂ）が雄部材（５ａ）の顎部（１６Ａａ）（１６Ｂａ）に係止される。また、該係止された状態で脚部（９Ａａ）（９Ｂａ）が押圧される。押圧されると、該脚部（９Ａａ）（９Ｂａ）が弾性変形する。弾性変形し、該係止された雌部材（３ａ）の窓穴部（３７Ａ）（３７Ｂ）が雄部材（５ａ）の顎部（１６Ａａ）（１６Ｂａ）から解除される。
【００８２】
また、差し入れから係止までの作用についての詳細を一部追記する。雌部材（３ａ）が雄部材（５ａ）に差し入れられる方向（Ｓ）は、雌部材（３ａ）の差し入れ開口（１８ａ）に対して、雄部材（５ａ）の脚部（９Ａａ）（９Ｂａ）が先に挿入され、次に、容積部（４ａ）が挿入される順になる方向としてある。雌部材（３ａ）が雄部材（５ａ）に差し入れられると、収納部（２８ａ）上部側面の側壁（３８Ａ）の内側、つまり、筒状（１９ａ）の内面（１７Ａａ）に、脚部（９Ａａ）が、下部（３４Ａ）の下端部（３９Ａ）から摺接していく。摺接して、脚部（９Ａａ）の下部（３４Ａ）の傾斜辺（３１Ａａ）に沿って弾性変形する。脚部（９Ｂａ）側も同様となる。弾性変形するので、特に図示しないが、脚部（９Ａａ）（９Ｂａ）間の長さ（Ｄａ）になるまで脚部（９Ａａ）（９Ｂａ）が押圧される。その後、脚部（９Ａａ）（９Ｂａ）の復元しようとする弾発により、顎部（１６Ａａ）（１６Ｂａ）が所定の位置で窓穴部（３７Ａ）（３７Ｂ）に入り込む。窓穴部（３７Ａ）（３７Ｂ）の筒状（１９ａ）の周縁（２０Ａａ）（２０Ｂａ）に脚部（９Ａａ）（９Ｂａ）の一部を引っ掛けて係合面と係合して留め付けられる。窓穴部（３７Ａ）（３７Ｂ）の顎受け部（３０Ａａ）は、つまり、雌部材（３ａ）の筒状（１９ａ）の周縁（２０Ａａ）の外壁（２１ＡＢａ）は、雄部材（５ａ）の顎部（１６Ａａ）の上面部（２５Ａａ）に対応して、雌部材（３ａ）の筒状（１９ａ）の周縁（２０Ａａ）の内壁（３６Ａ）は、雄部材（５ａ）の顎部（１６Ａａ）の側面部（２６Ａａ）に対応して、雄部材（５ａ）に雌部材（３ａ）は係止される。顎部（１６Ｂａ）側も同様となる。脚部（９Ａａ）（９Ｂａ）の一部を筒状（１９ａ）の外方に弾み出させ、顎部（１６Ａａ）（１６Ｂａ）を窓穴部（３７Ａ）（３７Ｂ）に突き出させる。つまり、上面部（２５Ａａ）と、外壁（２１ＡＢａ）との接触、および、側面部（２６Ａａ）と、内壁（３６Ａ）との接触、および、脚部（９Ａａ）の下部（３４Ａ）の下端（３９Ａ）と、雌部材（３ａ）の下壁（３５）とにより、係止、係合され、保持される。脚部（９Ｂａ）も同様となる。なお、上面部（２５Ａａ）と、外壁（２１ＡＢａ）との間、または、下端（３９Ａ）と、下壁（３５）との間には、各々、隙間、逃がし代を設けてあり、係止した後でも、雄部材（５ａ）と雌部材（３ａ）は上下に微動可能である。脚部（９Ｂａ）側も同様としてある。
【００８３】
また、次のようにも記すことができる。前記雄部材（５ａ）に前記雌部材（３ａ）が係止された後、前記雄部材（５ａ）の一端（６０Ａ）（６０Ｂ）に前記雌部材（３ａ）の一端（６１Ａ）（６１Ｂ）が当接される。当接されることにより差し入れられる方向（矢印Ｓ）への移動が規制される。
【００８４】
つまり、次のようになる。雌部材（３ａ）が雄部材（５ａ）に差し入れられると、係止された後、脚部（９Ａａ）の下部（３４Ａ）の下端（３９Ａ）である脚部（９Ａａ）の一端（６０Ａ）が、下壁（３５）である雌部材（３ａ）の一端（６１Ａ）に接触する。当接する。脚部（９Ｂａ）側も同様となる。
【００８５】
また、図２０にて、該封止された袋の口（２ａ）に対応する空間（８ａ）を、該係止された雌部材（３ａ）と、該係止した雄部材（５ａ）の容積部（４ａ）とで、設けてある。
【００８６】
また、次に、係止から解除までの作用についての詳細を一部追記する。係止された状態で窓穴部（３７Ａ）（３７Ｂ）より突出した押圧部（３２Ａ）（３２Ｂ）を、特に図示しないが、脚部（９Ａａ）（９Ｂａ）間の長さ（Ｄａ）になるまで押圧する。押圧すると、脚部（９Ａａ）（９Ｂａ）が弾性変形し、係止された窓穴部（３７Ａ）（３７Ｂ）が顎部（１６Ａａ）（１６Ｂａ）から解除される。
【００８７】
実施例２は、脚部（９Ａａ）（９Ｂａ）は、開口部（６ａ）近傍に設けてあるので、雌部材（３ａ）が雄部材（５ａ）に差し入れられて係止されることによって、雌部材（３ａ）の上端により開口部（６ａ）を完全に閉鎖できるので、袋の口（２ａ）が容積部（４ａ）から脱落して抜き出ることがない（効果２−２）。なお、特に記載しないが、実施例２の一部の効果は、実施例１と同程度のものもある。
【００８８】
また、実施例３〜６にて、図について、一部、説明する。図２３、２５、２６、２９、３０にて、図中の雄部材、雌部材の右半分側は、細部の名称、記号を含めて記載し、左半分側は、細部の名称、記号を一部省略して記載してある。
【００８９】
次に、実施例３である、係止具（１ｂ）について記す。図２２〜２３にて、袋の口を封止する係止具（１ｂ）であって、雌部材（３ｂ）と、該袋の口を収容可能な容積部（４ｂ）を有する雄部材（５ｂ）とで構成してある。該容積部（４ｂ）は開口部（６ｂ）を備えてある。該容積部（４ｂ）の外端（１３Ａｂ）（１３Ｂｂ）から該容積部（４ｂ）の内側に向かって先窄まりしていく該開口部（６ｂ）を設けてある。開口部（６ｂ）と、袋の口との作用について説明する。該開口部（６ｂ）は、口径を絞った該袋の口を出入する。また、該開口部（６ｂ）は、該容積部（４ｂ）内に挿入後の口径を拡げた該袋の口を掛止する。該雄部材（５ｂ）に脚部（９Ａｂ）（９Ｂｂ）を設けてある。該脚部（９Ａｂ）（９Ｂｂ）は、該容積部（４ｂ）の一端（１０Ａｂ）（１０Ｂｂ）より延出して設けてある。
【００９０】
実施例２である、係止具（１ａ）と同様に、前記脚部（９Ａｂ）（９Ｂｂ）は、前記開口部（６ｂ）近傍に設けてある。
【００９１】
例えば、脚部（９Ａｂ）の一部は、実施例１である、係止具（１）と同様にしてある。膝の上部（２２Ａｂ）を容積部（４ｂ）の一端（１０Ａｂ）より延出して、膝部（２３Ａｂ）より片持ち梁状に膝の下部（２４Ａｂ）を配してある。脚部（９Ｂｂ）も同様としてある。脚部（９Ａｂ）（９Ｂｂ）は、一対としてある。
【００９２】
また、該脚部（９Ａｂ）（９Ｂｂ）の先端外側（１５Ａｂ）（１５Ｂｂ）に顎部（１６Ａｂ）（１６Ｂｂ）を設けてある。
【００９３】
顎部（１６Ａｂ）（１６Ｂｂ）は、実施例１である、係止具（１）と同様にしてある。
【００９４】
また、差し入れ開口（１８ｂ）を有した筒状（１９ｂ）の該雌部材（３ｂ）を設けてある。
【００９５】
雌部材（３ｂ）の一部は、実施例１である、係止具（１）と同様にしてある。雌部材（３ｂ）は、筒状（１９ｂ）内側に、容積部（４ｂ）の一部を収納する収納部（２８ｂ）を有し、収納部（２８ｂ）上端には差し入れ第２開口（２９ｂ）、収納部（２８ｂ）下端には差し入れ開口（１８ｂ）を配置してある。
【００９６】
また、雌部材（３ｂ）が雄部材（５ｂ）に差し入れられた後、雄部材（５ｂ）の顎部（１６Ａｂ）（１６Ｂｂ）に係止されるように、顎部（１６Ａｂ）（１６Ｂｂ）に対応して、顎受け部（３０Ａｂ）（３０Ｂｂ）を設けてある。実施例１である、係止具（１）と同様にしてある。
【００９７】
次に、図の説明を一部付記する。実施例２である、係止具（１ａ）と同様に、次のようにしてある。雄部材（５ｂ）について、次のようにしてある。直交する方向（矢印Ｔ）にて、開口部（６ｂ）の長さを（Ｌｂ）としてある。つまり、開口部（６ｂ）を構成する、容積部（４ｂ）の鍔部（４１Ａｂ）（４１Ｂｂ）間の長さとしてある。雄部材（５ｂ）に雌部材（３ｂ）が差し入れられる前の、あるいは、差し入れられて係止された後の、直交する方向（矢印Ｔ）にて、無負荷状態の、脚部（９Ａｂ）（９Ｂｂ）間の最大長さを（Ｅｂ）としてある。また、特に図示しないが、実施例１と同様に、直交する方向（矢印Ｔ）にて、雄部材（５ｂ）に雌部材（３ｂ）が差し入れられている途中の係止される直前の、あるいは、係止された雌部材（３ｂ）が雄部材（５ｂ）から解除される途中の、押圧して、負荷がかかって弾性変形している脚部（９Ａｂ）（９Ｂｂ）間の長さを（Ｄｂ）とする。また、長さ（Ｅｂ）から長さ（Ｄｂ）を差し引いた差を、つまり、長さ（Ｅｂ）―長さ（Ｄｂ）＝長さ（ＥＤｂ）とする。また、長さ（ＥＤｂ）＜長さ（Ｌｂ）としてある。よって、直交する方向（矢印Ｔ）にて、雄部材（５ｂ）に雌部材（３ｂ）が差し入れられている途中の係止される直前の、あるいは、係止された雌部材（３ｂ）が雄部材（５ｂ）から解除される途中の、脚部（９Ａｂ）（９Ｂｂ）にて、押圧して、弾性変形しても、容積部（４ｂ）の鍔部（４１Ａｂ）と（４１Ｂｂ）とは衝突しない（効果３−１）。
【００９８】
雄部材（５ｂ）は、容積部（４ｂ）の一端（５４Ａｂ）（５４Ｂｂ）に、容積部（４ｂ）の表面（４９ｂ）に、容積部（４ｂ）の上部にて、ストッパー（４７Ａ）（４７Ｂ）を設けてある。ストッパー（４７Ａ）（４７Ｂ）は、容積部（４ｂ）の開口部（６ｂ）と反対の側に位置する容積部（４ｂ）の奥部、あるいは、奥部近傍に設けてある。ストッパー（４７Ａ）（４７Ｂ）は、表面（４９ｂ）にて、出っ張るように突状に設けてある。雄部材（５ｂ）に雌部材（３ｂ）が差し入れられて係止する場合に、差し入れ第２開口（２９ｂ）近傍の雌部材（３ｂ）の収納部（２８ｂ）上端である雌部材（３ｂ）の一端（６２Ａｂ）（６２Ｂｂ）が雄部材（５ｂ）の一端（５４Ａｂ）（５４Ｂｂ）に対応するよう配置してある。
【００９９】
次に、雌部材（３ｂ）、雄部材（５ｂ）の作用について説明する。図２２にて、該雄部材（５ｂ）に雌部材（３ｂ）が差し入れられることにより、該雄部材（５ｂ）に雌部材（３ｂ）が係止され、該開口部（６ｂ）から挿入した袋の口（２ｂ）が封止される。
【０１００】
また、上記の、雌部材（３ｂ）、雄部材（５ｂ）の作用について、言い換えると次のようになる。該雄部材（５ｂ）の脚部（９Ａｂ）（９Ｂｂ）に雌部材（３ｂ）が差し入れられる。差し入れられると、該雌部材（３ｂ）内面（１７Ａｂ）（１７Ｂｂ）に脚部（９Ａｂ）（９Ｂｂ）が摺接する。摺接し、該脚部（９Ａｂ）（９Ｂｂ）が弾性変形する。弾性変形して、該雄部材（５ｂ）の脚部（９Ａｂ）（９Ｂｂ）に雌部材（３ｂ）が係止される。また、該係止された状態で脚部（９Ａｂ）（９Ｂｂ）が押圧される。押圧されると、脚部（９Ａｂ）（９Ｂｂ）が弾性変形する。弾性変形し、該係止された雌部材（３ｂ）が雄部材（５ｂ）の脚部（９Ａｂ）（９Ｂｂ）から解除される。
【０１０１】
また、上記の、雌部材（３ｂ）、雄部材（５ｂ）の作用について、言い換えると次のようになる。該雄部材（５ｂ）の脚部（９Ａｂ）（９Ｂｂ）に雌部材（３ｂ）が差し入れられる。差し入れられると、該雌部材（３ｂ）内面（１７Ａｂ）（１７Ｂｂ）に脚部（９Ａｂ）（９Ｂｂ）が摺接する。摺接し、該脚部（９Ａｂ）（９Ｂｂ）が弾性変形する。弾性変形し、該雄部材（５ｂ）の顎部（１６Ａｂ）（１６Ｂｂ）に雌部材（３ｂ）が係止される。また、該係止された状態で脚部（９Ａｂ）（９Ｂｂ）が押圧される。押圧されると、該脚部（９Ａｂ）（９Ｂｂ）が弾性変形する。弾性変形し、該係止された雌部材（３ｂ）が雄部材（５ｂ）の顎部（１６Ａｂ）（１６Ｂｂ）から解除される。
【０１０２】
また、上記の、雌部材（３ｂ）、雄部材（５ｂ）の作用について、言い換えると次のようになる。該雌部材（３ｂ）の差し入れ開口（１８ｂ）が雄部材（５ｂ）の脚部（９Ａｂ）（９Ｂｂ）に差し入れられる。差し入れられると、該筒状（１９ｂ）の内面（１７Ａｂ）（１７Ｂｂ）に脚部（９Ａｂ）（９Ｂｂ）が摺接する。摺接し、該脚部（９Ａｂ）（９Ｂｂ）が弾性変形する。弾性変形し、該雌部材（３ｂ）の筒状（１９ｂ）の周縁（２０Ａｂ）（２０Ｂｂ）が雄部材（５ｂ）の顎部（１６Ａｂ）（１６Ｂｂ）に係止される。また、該係止された状態で脚部（９Ａｂ）（９Ｂｂ）が押圧される。押圧されると、該脚部（９Ａｂ）（９Ｂｂ）が弾性変形する。弾性変形し、該係止された雌部材（３ｂ）の筒状（１９ｂ）の周縁（２０Ａｂ）（２０Ｂｂ）が雄部材（５ｂ）の顎部（１６Ａｂ）（１６Ｂｂ）から解除される。
【０１０３】
また、前記雄部材（５ｂ）に前記雌部材（３ｂ）が係止された後、前記雄部材（５ｂ）の一端（５４Ａｂ）（５４Ｂｂ）に前記雌部材（３ｂ）の一端（６２Ａｂ）（６２Ｂｂ）が当接される。当接されることにより差し入れられる方向（矢印Ｓ）への移動が規制される。
【０１０４】
また、差し入れから係止までの作用についての詳細を一部追記する。雌部材（３ｂ）が雄部材（５ｂ）に差し入れられると、筒状（１９ｂ）の内面（１７Ａｂ）（１７Ｂｂ）に摺接した脚部（９Ａｂ）（９Ｂｂ）は、そのあと、差し入れ開口（１８ｂ）を通過する。通過して、雄部材（５ｂ）に雌部材（３ｂ）が係止される。ストッパー（４７Ａ）（４７Ｂ）である容積部（４ｂ）の一端（５４Ａｂ）（５４Ｂｂ）が、差し入れ第２開口（２９ｂ）近傍の雌部材（３ｂ）の収納部（２８ｂ）上端の一部である雌部材（３ｂ）の一端（６２Ａｂ）（６２Ｂｂ）に接触する。当接する。当接するので、雌部材（３ｂ）に対しての雄部材（５ｂ）の差し入れ動作は停止する。つまり、差し入れられる方向（矢印Ｓ）への移動が規制される。よって、雌部材（３ｂ）が雄部材（５ｂ）に差し入れられて、雌部材（３ｂ）を雄部材（５ｂ）が通過してしまうことはない。つまり、例えば、ストッパー（４７Ａ）と、収納部（２８ｂ）上端の一部との接触、および、側面部（２６Ａｂ）と、外壁（２１ＡＡｂ）との接触、および、上面部（２５Ａｂ）と、外壁（２１ＡＢｂ）との接触により、嵌合状態となり、保持される。ストッパー（４７Ｂ）側、および、脚部（９Ｂｂ）側も同様となる。
【０１０５】
また、図２２にて、該封止された袋の口に対応する空間（８ｂ）を、該係止された雌部材（３ｂ）と、該係止した雄部材（５ｂ）の容積部（４ｂ）とで、設けてある。
【０１０６】
なお、特に記載しないが、実施例３の一部の効果は、実施例１と同程度のものもある。
【０１０７】
次に、実施例４である、係止具（１ｃ）について記す。図２４〜２６にて、袋の口を封止する係止具（１ｃ）であって、雌部材（３ｃ）と、該袋の口を収容可能な容積部（４ｃ）を有する雄部材（５ｃ）とで構成してある。該容積部（４ｃ）は開口部（６ｃ）を備えてある。該容積部（４ｃ）の外端（１３Ａｃ）（１３Ｂｃ）から該容積部（４ｃ）の内側に向かって先窄まりしていく該開口部（６ｃ）を設けてある。開口部（６ｃ）と、袋の口との作用について説明する。該開口部（６ｃ）は、口径を絞った該袋の口を出入する。また、該開口部（６ｃ）は、該容積部（４ｃ）内に挿入後の口径を拡げた該袋の口を掛止する。該雄部材（５ｃ）に脚部（９Ａｃ）（９Ｂｃ）を設けてある。該脚部（９Ａｃ）（９Ｂｃ）は、該容積部（４ｃ）の一端（１０Ａｃ）（１０Ｂｃ）より延出して設けてある。
【０１０８】
実施例１である、係止具（１）と同様に、該脚部（９Ａｃ）（９Ｂｃ）は、該容積部（４ｃ）の該開口部（６ｃ）と反対の側（１１ｃ）に位置する該容積部（４ｃ）の奥部（１２ｃ）より延出して設けてある。開口部（６ｃ）、および、開口部（６ｃ）を含む容積部（４ｃ）は、実施例１である、係止具（１）と同様にしてある。
【０１０９】
脚部は、脚部（９Ａｃ）と、脚部（９Ｂｃ）とで一対に設けてある。例えば、脚部（９Ａｃ）は、基部（４０ｃ）より延出して設けてある。脚部（９Ａｃ）（９Ｂｃ）は、線状部（４６Ａｃ）（４６Ｂｃ）を配置してある。例えば、脚部（９Ａｃ）の下部（３４Ａｃ）には、外側にて、傾斜辺（３１Ａｃ）を配してある。脚部（９Ａｃ）は、直交する方角にて内向き（矢印Ｎ）に可動するように弾性を有している。内向き（矢印Ｎ）に湾曲する。脚部（９Ｂｃ）も同様にしてある。脚部（９Ａｃ）（９Ｂｃ）は、雌部材（３ｃ）への差し込みができる、差し込み部となっている。
【０１１０】
また、該脚部（９Ａｃ）（９Ｂｃ）の先端外側（１５Ａｃ）（１５Ｂｃ）に顎部（１６Ａｃ）（１６Ｂｃ）を設けてある。
【０１１１】
顎部（１６Ａｃ）（１６Ｂｃ）は、実施例２である、係止具（１ａ）と同様にしてある。
【０１１２】
例えば、脚部（９Ａｃ）に押圧部（３２Ａｃ）を設けてある。押圧部（３２Ａｃ）は、脚部（９Ａｃ）の上部（３３Ａｃ）から下部（３４Ａｃ）にて、外側に配置してある。顎部（１６Ａｃ）より先端側に延出してある。顎部（１６Ａｃ）の下に配置してある。押圧部（３２Ｂｃ）側も同様にしてある。
【０１１３】
また、差し入れ開口（１８ｃ）を有した筒状（１９ｃ）の該雌部材（３ｃ）を設けてある。
【０１１４】
雌部材（３ｃ）は、筒状（１９ｃ）内側に、容積部（４ｃ）の一部を収納する収納部（２８ｃ）を有し、収納部（２８ｃ）上端には差し入れ第２開口（２９ｃ）、収納部（２８ｃ）下端には差し入れ開口（１８ｃ）を配置してある。
【０１１５】
また、雌部材（３ｃ）が雄部材（５ｃ）に差し入れられた後、雄部材（５ｃ）の顎部（１６Ａｃ）（１６Ｂｃ）に係止されるように、顎部（１６Ａｃ）（１６Ｂｃ）に対応して、顎受け部（３０Ａｃ）（３０Ｂｃ）を設けてある。実施例２である、係止具（１ａ）と同様にしてある。
【０１１６】
また、実施例１である、係止具（１）と同様に、内壁（２７Ａｃ）（２７Ｂｃ）を設けてある。雌部材（３ｃ）の一端（５５Ａｃ）（５５Ｂｃ）に、内壁（２７Ａｃ）（２７Ｂｃ）を配してある。ストッパー（５３Ａｃ）（５３Ｂｃ）として内壁（２７Ａｃ）（２７Ｂｃ）を設けてある。内壁（２７Ａｃ）と内壁（２７Ｂｃ）との間の長さ（Ｊｃ）は、差し入れ開口（１８ｃ）の最小長さ（Ｆｃ）と同等にしてある。容積部（４ｃ）の最大長さ（Ｈｃ）より、内壁（２７Ａｃ）と内壁（２７Ｂｃ）との間の長さ（Ｊｃ）は小さくしてある。
【０１１７】
次に、雌部材（３ｃ）、雄部材（５ｃ）の作用について説明する。該雄部材（５ｃ）に雌部材（３ｃ）が差し入れられることにより、該雄部材（５ｃ）に雌部材（３ｃ）が係止され、該開口部（６ｃ）から挿入した袋の口が封止される。
【０１１８】
また、上記の、雌部材（３ｃ）、雄部材（５ｃ）の作用について、言い換えると次のようになる。該雄部材（５ｃ）の脚部（９Ａｃ）（９Ｂｃ）に雌部材（３ｃ）が差し入れられる。差し入れられると、該雌部材（３ｃ）内面（１７Ａｃ）（１７Ｂｃ）に脚部（９Ａｃ）（９Ｂｃ）が摺接する。摺接し、該脚部（９Ａｃ）（９Ｂｃ）が弾性変形する。弾性変形して、該雄部材（５ｃ）の脚部（９Ａｃ）（９Ｂｃ）に雌部材（３ｃ）が係止される。また、該係止された状態で脚部（９Ａｃ）（９Ｂｃ）が押圧される。押圧されると、脚部（９Ａｃ）（９Ｂｃ）が弾性変形する。弾性変形し、該係止された雌部材（３ｃ）が雄部材（５ｃ）の脚部（９Ａｃ）（９Ｂｃ）から解除される。
【０１１９】
また、上記の、雌部材（３ｃ）、雄部材（５ｃ）の作用について、言い換えると次のようになる。該雄部材（５ｃ）の脚部（９Ａｃ）（９Ｂｃ）に雌部材（３ｃ）が差し入れられる。差し入れられると、該雌部材（３ｃ）内面（１７Ａｃ）（１７Ｂｃ）に脚部（９Ａｃ）（９Ｂｃ）が摺接する。摺接し、該脚部（９Ａｃ）（９Ｂｃ）が弾性変形する。弾性変形し、該雄部材（５ｃ）の顎部（１６Ａｃ）（１６Ｂｃ）に雌部材（３ｃ）が係止される。また、該係止された状態で脚部（９Ａｃ）（９Ｂｃ）が押圧される。押圧されると、該脚部（９Ａｃ）（９Ｂｃ）が弾性変形する。弾性変形し、該係止された雌部材（３ｃ）が雄部材（５ｃ）の顎部（１６Ａｃ）（１６Ｂｃ）から解除される。
【０１２０】
また、上記の、雌部材（３ｃ）、雄部材（５ｃ）の作用について、言い換えると次のようになる。該雌部材（３ｃ）の差し入れ開口（１８ｃ）が雄部材（５ｃ）の脚部（９Ａｃ）（９Ｂｃ）に差し入れられる。差し入れられると、該筒状（１９ｃ）の内面（１７Ａｃ）（１７Ｂｃ）に脚部（９Ａｃ）（９Ｂｃ）が摺接する。摺接し、該脚部（９Ａｃ）（９Ｂｃ）が弾性変形する。弾性変形し、該雌部材（３ｃ）の筒状（１９ｃ）の周縁（２０Ａｃ）（２０Ｂｃ）が雄部材（５ｃ）の顎部（１６Ａｃ）（１６Ｂｃ）に係止される。また、該係止された状態で脚部（９Ａｃ）（９Ｂｃ）が押圧される。押圧されると、該脚部（９Ａｃ）（９Ｂｃ）が弾性変形する。弾性変形し、該係止された雌部材（３ｃ）の筒状（１９ｃ）の周縁（２０Ａｃ）（２０Ｂｃ）が雄部材（５ｃ）の顎部（１６Ａｃ）（１６Ｂｃ）から解除される。
【０１２１】
また、前記雄部材（５ｃ）に前記雌部材（３ｃ）が係止された後、前記雄部材（５ｃ）の一端（５８Ａｃ）（５８Ｂｃ）に前記雌部材（３ｃ）の一端（５５Ａｃ）（５５Ｂｃ）が当接される。当接されることにより差し入れられる方向（矢印Ｓ）への移動が規制される。
【０１２２】
また、実施例１である、係止具（１）と同様に、容積部（４ｃ）の最大長さ（Ｈｃ）より、内壁（２７Ａｃ）と内壁（２７Ｂｃ）との間の長さ（Ｊｃ）は小さくしてあるので、雌部材（３ｃ）が雄部材（５ｃ）に差し入れられると、容積部（４ｃ）の下側の一部である容積部（４ｃ）の一端（５８Ａｃ）（５８Ｂｃ）が、内壁（２７Ａｃ）（２７Ｂｃ）である雌部材（３ｃ）の一端（５５Ａｃ）（５５Ｂｃ）に接触する。当接する。当接するので、雌部材（３ｃ）に対しての雄部材（５ｃ）の差し入れ動作は停止する。つまり、ストッパー（５３Ａｃ）（５３Ｂｃ）である内壁（２７Ａｃ）（２７Ｂｃ）によって、差し入れられる方向（矢印Ｓ）への移動が規制される。よって、雌部材（３ｃ）が雄部材（５ｃ）に差し入れられて、雌部材（３ｃ）を雄部材（５ｃ）が通過して、差し入れ開口（１８ｃ）より下側に雄部材（５ｃ）の開口部（６ｃ）が位置することはない。（矢印Ｓ）方向にて、雌部材（３ｃ）から雄部材（５ｃ）が抜け出すことはない。つまり、例えば、容積部（４ｃ）の下側の一部と、内壁（２７Ａｃ）との接触、および、内壁（３６Ａｃ）と、側面部（２６Ａｃ）との接触、外壁（２１ＡＢｃ）と、上面部（２５Ａｃ）との接触により、嵌合状態となり、保持される。脚部（９Ｂｃ）も同様となる。
【０１２３】
また、図２４にて、該封止された袋の口に対応する空間（８ｃ）を、該係止された雌部材（３ｃ）と、該係止した雄部材（５ｃ）の容積部（４ｃ）とで、設けてある。
【０１２４】
なお、特に記載しないが、実施例４の一部の効果は、実施例１と同程度のものもある。
【０１２５】
次に、実施例５である、係止具（１ｄ）について記す。図２８〜２９にて、袋の口を封止する係止具（１ｄ）であって、雌部材（３ｄ）と、該袋の口を収容可能な容積部（４ｄ）を有する雄部材（５ｄ）とで構成してある。該容積部（４ｄ）は開口部（６ｄ）を備えてある。該容積部（４ｄ）の外端（１３Ａｄ）（１３Ｂｄ）から該容積部（４ｄ）の内側に向かって先窄まりしていく該開口部（６ｄ）を設けてある。開口部（６ｄ）と、袋の口との作用について説明する。該開口部（６ｄ）は、口径を絞った該袋の口を出入する。また、該開口部（６ｄ）は、該容積部（４ｄ）内に挿入後の口径を拡げた該袋の口を掛止する。該雄部材（５ｄ）に脚部（９Ａｄ）（９Ｂｄ）を設けてある。該脚部（９Ａｄ）（９Ｂｄ）は、該容積部（４ｄ）の一端（１０Ａｄ）（１０Ｂｄ）より延出して設けてある。
【０１２６】
脚部（９Ａｄ）（９Ｂｄ）は、容積部（４ｄ）の開口部（６ｄ）と、容積部（４ｄ）の開口部（６ｄ）と反対の側（１１ｄ）に位置する容積部（４ｄ）の奥部（１２ｄ）との間、中間より延出して設けてある。脚部（９Ａｄ）（９Ｂｄ）の一部は、実施例１である、係止具（１）、あるいは、実施例３である、係止具（１ｂ）と同様にしてある。また、膝の上部（２２Ａｄ）（２２Ｂｄ）は別々に配置してある。開口部（６ｄ）、および、開口部（６ｄ）を含む容積部（４ｄ）の一部は、実施例１である、係止具（１）と同様にしてある。
【０１２７】
また、該脚部（９Ａｄ）（９Ｂｄ）の先端外側（１５Ａｄ）（１５Ｂｄ）に顎部（１６Ａｄ）（１６Ｂｄ）を設けてある。
【０１２８】
顎部（１６Ａｄ）（１６Ｂｄ）は、実施例１である、係止具（１）と同様にしてある。
【０１２９】
また、差し入れ開口（１８ｄ）を有した筒状（１９ｄ）の該雌部材（３ｄ）を設けてある。
【０１３０】
実施例３である、係止具（１ｂ）の、雌部材（３ｂ）、に代えて、実施例５である、係止具（１ｄ）の、雌部材（３ｄ）は、図２９にて、次のようにしてある。雌部材（３ｄ）は、側壁（６４Ａ）（６４Ｂ）の長さ（ＱＡ）（ＱＢ）を長くしてある。外向き（矢印Ｏ）に長く設けることにより、手等で掴む場合に容易になる（効果５−１）。なお、特に図示しないが、外向き（矢印Ｏ）から９０度ずらした、表面または裏面方向にて、長くして設けてもよい。同様の効果が得られる。
【０１３１】
雄部材（５ｄ）は、容積部（４ｄ）の一端（５４Ａｄ）（５４Ｂｄ）に、容積部（４ｄ）の表面（４９ｄ）に、容積部（４ｄ）の上部にて、ストッパー（４７Ａｄ）（４７Ｂｄ）を設けてある。ストッパー（４７Ａｄ）（４７Ｂｄ）は、開口部（６ｄ）近傍に設けてある。ストッパー（４７Ａｄ）（４７Ｂｄ）は、表面（４９ｄ）にて、出っ張るように突状に設けてある。雄部材（５ｄ）に雌部材（３ｄ）が差し入れられて係止する場合に、差し入れ第２開口（２９ｄ）近傍の雌部材（３ｄ）の収納部（２８ｄ）上端である雌部材（３ｄ）の一端（６２Ａｄ）（６２Ｂｄ）が雄部材（５ｄ）の一端（５４Ａｄ）（５４Ｂｄ）に対応するよう配置してある。
【０１３２】
次に、雌部材（３ｄ）、雄部材（５ｄ）の作用について説明する。該雄部材（５ｄ）に雌部材（３ｄ）が差し入れられることにより、該雄部材（５ｄ）に雌部材（３ｄ）が係止され、該開口部（６ｄ）から挿入した袋の口が封止される。
【０１３３】
また、上記の、雌部材（３ｄ）、雄部材（５ｄ）の作用について、言い換えると次のようになる。該雄部材（５ｄ）の脚部（９Ａｄ）（９Ｂｄ）に雌部材（３ｄ）が差し入れられる。差し入れられると、該雌部材（３ｄ）内面（１７Ａｄ）（１７Ｂｄ）に脚部（９Ａｄ）（９Ｂｄ）が摺接する。摺接し、該脚部（９Ａｄ）（９Ｂｄ）が弾性変形する。弾性変形して、該雄部材（５ｄ）の脚部（９Ａｄ）（９Ｂｄ）に雌部材（３ｄ）が係止される。また、該係止された状態で脚部（９Ａｄ）（９Ｂｄ）が押圧される。押圧されると、脚部（９Ａｄ）（９Ｂｄ）が弾性変形する。弾性変形し、該係止された雌部材（３ｄ）が雄部材（５ｄ）の脚部（９Ａｄ）（９Ｂｄ）から解除される。
【０１３４】
また、上記の、雌部材（３ｄ）、雄部材（５ｄ）の作用について、言い換えると次のようになる。該雄部材（５ｄ）の脚部（９Ａｄ）（９Ｂｄ）に雌部材（３ｄ）が差し入れられる。差し入れられると、該雌部材（３ｄ）内面（１７Ａｄ）（１７Ｂｄ）に脚部（９Ａｄ）（９Ｂｄ）が摺接する。摺接し、該脚部（９Ａｄ）（９Ｂｄ）が弾性変形する。弾性変形し、該雄部材（５ｄ）の顎部（１６Ａｄ）（１６Ｂｄ）に雌部材（３ｄ）が係止される。また、該係止された状態で脚部（９Ａｄ）（９Ｂｄ）が押圧される。押圧されると、該脚部（９Ａｄ）（９Ｂｄ）が弾性変形する。弾性変形し、該係止された雌部材（３ｄ）が雄部材（５ｄ）の顎部（１６Ａｄ）（１６Ｂｄ）から解除される。
【０１３５】
また、上記の、雌部材（３ｄ）、雄部材（５ｄ）の作用について、言い換えると次のようになる。該雌部材（３ｄ）の差し入れ開口（１８ｄ）が雄部材（５ｄ）の脚部（９Ａｄ）（９Ｂｄ）に差し入れられる。差し入れられると、該筒状（１９ｄ）の内面（１７Ａｄ）（１７Ｂｄ）に脚部（９Ａｄ）（９Ｂｄ）が摺接する。摺接し、該脚部（９Ａｄ）（９Ｂｄ）が弾性変形する。弾性変形し、該雌部材（３ｄ）の筒状（１９ｄ）の周縁（２０Ａｄ）（２０Ｂｄ）が雄部材（５ｄ）の顎部（１６Ａｄ）（１６Ｂｄ）に係止される。また、該係止された状態で脚部（９Ａｄ）（９Ｂｄ）が押圧される。押圧されると、該脚部（９Ａｄ）（９Ｂｄ）が弾性変形する。弾性変形し、該係止された雌部材（３ｄ）の筒状（１９ｄ）の周縁（２０Ａｄ）（２０Ｂｄ）が雄部材（５ｄ）の顎部（１６Ａｄ）（１６Ｂｄ）から解除される。
【０１３６】
また、前記雄部材（５ｄ）に前記雌部材（３ｄ）が係止された後、前記雄部材（５ｄ）の一端（５４Ａｄ）（５４Ｂｄ）に前記雌部材（３ｄ）の一端（６２Ａｄ）（６２Ｂｄ）が当接される。当接されることにより差し入れられる方向（矢印Ｓ）への移動が規制される。
【０１３７】
また、図２８にて、該封止された袋の口に対応する空間（８ｄ）を、該係止された雌部材（３ｄ）と、該係止した雄部材（５ｄ）の容積部（４ｄ）とで、設けてある。
【０１３８】
なお、特に記載しないが、実施例５の一部の効果は、実施例１と同程度のものもある。
【０１３９】
次に、実施例６である、係止具（１ｅ）について記す。図２７、３０にて、袋の口を封止する係止具（１ｅ）であって、雌部材（３ｅ）と、該袋の口を収容可能な容積部（４ｅ）を有する雄部材（５ｅ）とで構成してある。該容積部（４ｅ）は開口部（６ｅ）を備えてある。該容積部（４ｅ）の外端（１３Ａｅ）（１３Ｂｅ）から該容積部（４ｅ）の内側に向かって先窄まりしていく該開口部（６ｅ）を設けてある。開口部（６ｅ）と、袋の口との作用について説明する。該開口部（６ｅ）は、口径を絞った該袋の口を出入する。また、該開口部（６ｅ）は、該容積部（４ｅ）内に挿入後の口径を拡げた該袋の口を掛止する。該雄部材（５ｅ）に脚部（９Ａｅ）（９Ｂｅ）を設けてある。該脚部（９Ａｅ）（９Ｂｅ）は、該容積部（４ｅ）の一端（１０Ａｅ）（１０Ｂｅ）より延出して設けてある。
【０１４０】
実施例２である、係止具（１ａ）と同様に、前記脚部（９Ａｅ）（９Ｂｅ）は、前記開口部（６ｅ）近傍に設けてある。
【０１４１】
脚部は、脚部（９Ａｅ）と、脚部（９Ｂｅ）とで一対に設けてある。例えば、脚部（９Ａｅ）は、膝の上部（２２Ａｅ）と、膝部（２３Ａｅ）と、膝の下部（２４Ａｅ）とで構成してある。膝の上部（２２Ａｅ）を容積部（４ｅ）の一端（１０Ａｅ）より延出して、膝部（２３Ａｅ）より片持ち梁状に膝の下部（２４Ａｅ）を配してある。膝の下部（２４Ａｅ）は、直交する方角にて内向き（矢印Ｎ）に膝部（２３Ａｅ）を起点として可動するように弾性を有している。内向き（矢印Ｎ）に湾曲する。膝の下部（２４Ａｅ）の下端に傾斜辺（３１Ａｅ）を配してある。つまり、脚部（９Ａｅ）の下部（３４Ａｅ）には、外側にて、傾斜辺（３１Ａｅ）を配してある。脚部（９Ｂｅ）も同様にしてある。可撓性のあるロックアームとしてあり、弾性片となっている。脚部（９Ａｅ）（９Ｂｅ）は、雌部材（３ｅ）への差し込みができる、差し込み部となっている。脚部（９Ａｅ）（９Ｂｅ）の先端内側に鍔部（４１Ａｅ）（４１Ｂｅ）を設けてある。鍔部（４１Ａｅ）（４１Ｂｅ）は、実施例２の鍔部（４１Ａ）（４１Ｂ）と同様にしてある。開口部（６ｅ）は、鍔部（４１Ａｅ）と、鍔部（４１Ｂｅ）とによって構成され、鍔部（４１Ａｅ）（４１Ｂｅ）間に配置してある。容積部（４ｅ）は、実施例２である、係止具（１ａ）と同様に、基部（４０ｅ）、線状部（４６Ａｅ）（４６Ｂｅ）、鍔部（４１Ａｅ）（４１Ｂｅ）にて構成してある。
【０１４２】
また、該脚部（９Ａｅ）（９Ｂｅ）の先端外側（１５Ａｅ）（１５Ｂｅ）に顎部（１６Ａｅ）（１６Ｂｅ）を設けてある。鍔部（４１Ａｅ）（４１Ｂｅ）と反対の側に顎部（１６Ａｅ）（１６Ｂｅ）を配置してある。例えば、顎部（１６Ａｅ）は、上面部（２５Ａｅ）と、側面部（２６Ａｅ）等とで構成してある。上面部（２５Ａｅ）と、側面部（２６Ａｅ）等は、脚部（９Ａｅ）の基部（４０ｅ）側に向けられた係合面としてある。顎部（１６Ｂｅ）も同様にしてある。押圧部（３２Ａｅ）（３２Ｂｅ）は、実施例２である、係止具（１ａ）と同様にしてある。
【０１４３】
また、雌部材（３ｅ）は、実施例２である、係止具（１ａ）と同様にしてある。差し入れ開口（１８ｅ）を有した筒状（１９ｅ）の該雌部材（３ｅ）を設けてある。また、差し入れ開口（１８ｅ）を有した筒状（１９ｅ）の周縁（２０ＡＡｅ）（２０ＢＡｅ）に窓穴部（３７Ａｅ）（３７Ｂｅ）を配置した該雌部材（３ｅ）を設けてある。
【０１４４】
実施例２である、係止具（１ａ）と同様に、直交する方向（矢印Ｔ）にて、雄部材（５ｅ）に雌部材（３ｅ）が差し入れられている途中の係止される直前の、あるいは、係止された雌部材（３ｅ）が雄部材（５ｅ）から解除される途中の、脚部（９Ａｅ）（９Ｂｅ）にて、押圧して、弾性変形しても、容積部（４ｅ）の鍔部（４１Ａｅ）と（４１Ｂｅ）とは衝突しない（効果６−１）。
【０１４５】
次に、雌部材（３ｅ）、雄部材（５ｅ）の作用について説明する。該雄部材（５ｅ）に雌部材（３ｅ）が差し入れられることにより、該雄部材（５ｅ）に雌部材（３ｅ）が係止され、該開口部（６ｅ）から挿入した袋の口が封止される。
【０１４６】
また、上記の、雌部材（３ｅ）、雄部材（５ｅ）の作用について、言い換えると次のようになる。該雄部材（５ｅ）の脚部（９Ａｅ）（９Ｂｅ）に雌部材（３ｅ）が差し入れられる。差し入れられると、該雌部材（３ｅ）内面（１７Ａｅ）（１７Ｂｅ）に脚部（９Ａｅ）（９Ｂｅ）が摺接する。摺接し、該脚部（９Ａｅ）（９Ｂｅ）が弾性変形する。弾性変形して、該雄部材（５ｅ）の脚部（９Ａｅ）（９Ｂｅ）に雌部材（３ｅ）が係止される。また、該係止された状態で脚部（９Ａｅ）（９Ｂｅ）が押圧される。押圧されると、脚部（９Ａｅ）（９Ｂｅ）が弾性変形する。弾性変形し、該係止された雌部材（３ｅ）が雄部材（５ｅ）の脚部（９Ａｅ）（９Ｂｅ）から解除される。
【０１４７】
また、同様に、上記の、雌部材（３ｅ）、雄部材（５ｅ）の作用について、言い換えると次のようになる。該雄部材（５ｅ）の脚部（９Ａｅ）（９Ｂｅ）に雌部材（３ｅ）が差し入れられる。差し入れられると、該雌部材（３ｅ）内面（１７Ａｅ）（１７Ｂｅ）に脚部（９Ａｅ）（９Ｂｅ）が摺接する。摺接し、該脚部（９Ａｅ）（９Ｂｅ）が弾性変形する。弾性変形し、該雄部材（５ｅ）の顎部（１６Ａｅ）（１６Ｂｅ）に雌部材（３ｅ）が係止される。また、該係止された状態で脚部（９Ａｅ）（９Ｂｅ）が押圧される。押圧されると、該脚部（９Ａｅ）（９Ｂｅ）が弾性変形する。弾性変形し、該係止された雌部材（３ｅ）が雄部材（５ｅ）の顎部（１６Ａｅ）（１６Ｂｅ）から解除される。
【０１４８】
また、同様に、上記の、雌部材（３ｅ）、雄部材（５ｅ）の作用について、言い換えると次のようになる。該雌部材（３ｅ）の差し入れ開口（１８ｅ）が雄部材（５ｅ）の脚部（９Ａｅ）（９Ｂｅ）に差し入れられる。差し入れられると、該筒状（１９ｅ）の内面（１７Ａｅ）（１７Ｂｅ）に脚部（９Ａｅ）（９Ｂｅ）が摺接する。摺接し、該脚部（９Ａｅ）（９Ｂｅ）が弾性変形する。弾性変形し、該雌部材（３ｅ）の筒状（１９ｅ）の周縁（２０Ａｅ）（２０Ｂｅ）が雄部材（５ｅ）の顎部（１６Ａｅ）（１６Ｂｅ）に係止される。また、該係止された状態で脚部（９Ａｅ）（９Ｂｅ）が押圧される。押圧されると、該脚部（９Ａｅ）（９Ｂｅ）が弾性変形する。弾性変形し、該係止された雌部材（３ｅ）の筒状（１９ｅ）の周縁（２０Ａｅ）（２０Ｂｅ）が雄部材（５ｅ）の顎部（１６Ａｅ）（１６Ｂｅ）から解除される。
【０１４９】
また、同様に、上記の、雌部材（３ｅ）、雄部材（５ｅ）の作用について、言い換えると次のようになる。該雌部材（３ｅ）の差し入れ開口（１８ｅ）が雄部材（５ｅ）の脚部（９Ａｅ）（９Ｂｅ）に差し入れられる。差し入れられると、該筒状（１９ｅ）の内面（１７Ａｅ）（１７Ｂｅ）に脚部（９Ａｅ）（９Ｂｅ）が摺接する。摺接し、該脚部（９Ａｅ）（９Ｂｅ）が弾性変形する。弾性変形し、該雌部材（３ｅ）の窓穴部（３７Ａｅ）（３７Ｂｅ）が雄部材（５ｅ）の顎部（１６Ａｅ）（１６Ｂｅ）に係止される。また、該係止された状態で脚部（９Ａｅ）（９Ｂｅ）が押圧される。押圧されると、該脚部（９Ａｅ）（９Ｂｅ）が弾性変形する。弾性変形し、該係止された雌部材（３ｅ）の窓穴部（３７Ａｅ）（３７Ｂｅ）が雄部材（５ｅ）の顎部（１６Ａｅ）（１６Ｂｅ）から解除される。
【０１５０】
また、差し入れから係止までの作用について一部追記する。雌部材（３ｅ）が雄部材（５ｅ）に差し入れられると、例えば、筒状（１９ｅ）の内面（１７Ａｅ）に、脚部（９Ａｅ）の膝の下部（２４Ａｅ）が摺接する。摺接して、脚部（９Ａｅ）の下部（３４Ａｅ）の傾斜辺（３１Ａｅ）に沿って押圧され弾性変形する。その際、押圧された膝の下部（２４Ａｅ）に膝の上部（２２Ａｅ）が押圧され、膝の上部（２２Ａｅ）も弾性変形する。脚部（９Ｂｅ）側も同様となる。弾性変形するので、実施例２である、係止具（１ａ）と同様に、脚部（９Ａｅ）（９Ｂｅ）間の長さになるまで脚部（９Ａｅ）（９Ｂｅ）が押圧される。その後、脚部（９Ａｅ）（９Ｂｅ）の復元しようとする弾発により、顎部（１６Ａｅ）（１６Ｂｅ）が所定の位置で窓穴部（３７Ａｅ）（３７Ｂｅ）に入り込む。この場合、膝の上部（２２Ａｅ）、膝の下部（２４Ａｅ）ともに復元される。また、係止から解除までの作用についても、同様に、膝の上部（２２Ａｅ）、膝の下部（２４Ａｅ）が押圧され、復元される。脚部（９Ｂｅ）側も同様となる。
【０１５１】
また、図２７にて、該封止された袋の口に対応する空間（８ｅ）を、該係止された雌部材（３ｅ）と、該係止した雄部材（５ｅ）の容積部（４ｅ）とで、設けてある。
【０１５２】
また、次のようにも記すことができる。前記雄部材（５ｅ）に前記雌部材（３ｅ）が係止された後、前記雄部材（５ｅ）の一端（６０Ａｅ）（６０Ｂｅ）に前記雌部材（３ｅ）の一端（６１Ａｅ）（６１Ｂｅ）が当接される。当接されることにより差し入れられる方向（矢印Ｓ）への移動が規制される。
【０１５３】
なお、特に記載しないが、実施例６の一部の効果は、実施例１と同程度のものもある。
【０１５４】
次に、実施例７である、係止具（１ｆ）について記す。実施例１である、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例７である、係止具（１ｆ）は、次のようにしてある。図３１にて、容積部（４ｆ）は開口部（６ｆ）を備えてある。開口部（６ｆ）は、端部（１３Ａｆ）と、端部（１３Ｂｆ）とによって構成され、端部（１３Ａｆ）（１３Ｂｆ）間に配置してある。開口部（６ｆ）は、容積部（４ｆ）の外縁の一側の近傍に設けてある。開口部（６ｆ）は、ピストンリングに例えると、直角合い口、あるいは、垂直と呼称されている形状に該当する。差し入れる方向（矢印Ｓ）、または、縦方向にて、ストレートに切断してある。
【０１５５】
図について、一部、説明する。図３２、３４にて、開口部を含む容積部を上から見た図を、正面図の上部に描いてある。次に、実施例８である、係止具（１ｈ）について記す。実施例１の、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例８である、係止具（１ｈ）は、次のようにしてある。図３２にて、容積部（４ｈ）は開口部（６ｈ）を備えてある。開口部（６ｈ）は、端部（１３Ａｈ）と、端部（１３Ｂｈ）とによって構成され、端部（１３Ａｈ）（１３Ｂｈ）間に配置してある。開口部（６ｈ）は、ピストンリングに例えると、斜め合い口、あるいは、アングルと呼称されている形状に該当する。表面（４９）から裏面（５０）に向かって斜めになるように傾斜して切断してある。
【０１５６】
次に、実施例９である、係止具（１ｊ）について記す。実施例１である、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例９である、係止具（１ｊ）は、次のようにしてある。図３４にて、容積部（４ｊ）は開口部（６ｊ）を備えてある。開口部（６ｊ）は、端部（１３Ａｊ）と、端部（１３Ｂｊ）とによって構成され、端部（１３Ａｊ）（１３Ｂｊ）間に配置してある。容積部（４ｊ）の表面（４９Ａｊ）（４９Ｂｊ）から容積部（４ｊ）の裏面（５０ｊ）に向かって先窄まりしていく開口部（６ｊ）を設けてある。開口部（６ｊ）は、容積部（４ｊ）の表面（４９Ａｊ）（４９Ｂｊ）の端部または一端から、容積部（４ｊ）の裏面（５０ｊ）に向かってＶ字状に先窄まりしている。容積部（４ｊ）の裏面（５０ｊ）から容積部（４ｊ）の表面（４９Ａｊ）（４９Ｂｊ）に向かって拡がるように設けてある。テーパー状にしてある。スリットにより形成してもよい。切りかけてもよい。
【０１５７】
次に、実施例１０である、係止具（１ｋ）について記す。実施例１である、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例１０である、係止具（１ｋ）は、次のようにしてある。図３３にて、容積部（４ｋ）は開口部（６ｋ）を備えてある。開口部（６ｋ）は、端部（１３Ａｋ）と、端部（１３Ｂｋ）とによって構成され、端部（１３Ａｋ）（１３Ｂｋ）間に配置してある。容積部（４ｋ）の端部または一端から、容積部（４ｋ）の内側に向かって斜めになるように切断してある。容積部（４ｋ）の内側から容積部（４ｋ）の端部（１３Ａｋ）（１３Ｂｋ）に向かって斜めになるように切断してある。開口部（６ｋ）は、実施例８の開口部（６ｈ）の方向違いとしてある。差し入れる方向（矢印Ｓ）、または、縦方向にて、斜めになるように傾斜して切断してある。
【０１５８】
次に、実施例１１である、係止具（１ｎ）について記す。実施例１０である、係止具（１ｋ）の、容積部（４ｋ）は開口部（６ｋ）を備え、に代えて、実施例１１である、係止具（１ｎ）は、次のようにしてある。図３５にて、容積部（４ｎ）は開口部（６ｎ）を備えてある。開口部（６ｎ）は、端部（１３Ａｎ）と、端部（１３Ｂｎ）とによって構成され、端部（１３Ａｎ）（１３Ｂｎ）間に配置してある。実施例１０である、係止具（１ｋ）と同様に、容積部（４ｎ）の端部または一端から、容積部（４ｎ）の内側に向かって斜めになるように切断してある。容積部（４ｎ）の内側から容積部（４ｎ）の端部（１３Ａｎ）（１３Ｂｎ）に向かって斜めになるように切断してある。ただし、次のようにしてある。容積部（４ｎ）の端部（１３Ａｎ）（１３Ｂｎ）または一端から、つまり、開口部（６ｎ）の端部（１３Ａｎ）（１３Ｂｎ）または一端から、開口部（６ｎ）の中間に向かって途中までＶ字状に先窄まりしている。挿入しやすいように外端側のみ間口を拡げてある。開口部（６ｎ）の中間から開口部（６ｎ）の端部（１３Ａｎ）（１３Ｂｎ）に向かって拡がるように設けてある。テーパー状にしてある。
【０１５９】
次に、実施例１２である、係止具（１ｍ）について記す。実施例１である、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例１２である、係止具（１ｍ）は、次のようにしてある。図３６にて、容積部（４ｍ）は開口部（６ｍ）を備えてある。開口部（６ｍ）は、端部（１３Ａｍ）と、端部（１３Ｂｍ）とによって構成され、端部（１３Ａｍ）（１３Ｂｍ）間に配置してある。開口部（６ｍ）は、容積部（４ｍ）の端部（１３Ａｍ）（１３Ｂｍ）をＬ字状に形成し、各々のＬ字状の先端が互い違いになって配置してある。ピストンリングに例えると、段付き合い口、あるいは、ステップと呼称されている形状を、差し入れる方向（矢印Ｓ）、または、縦方向にて、配置したのが開口部（６ｍ）である。また、容積部（４ｍ）の端部（１３Ａｍ）（１３Ｂｍ）または一端から、つまり、開口部（６ｍ）の端部または一端から、開口部（６ｍ）の中間に向かって途中までＶ字状に先窄まりしている。挿入しやすいように各々の端の間口を拡げてある。容積部（４ｍ）の外側の端部（５１Ａｍ）（５１Ｂｍ）から、開口部（６ｍ）の中間に向かってＶ字状に先窄まりしている。容積部（４ｍ）の内側の端部（５２Ａｍ）（５２Ｂｍ）も同様にしてある。
【０１６０】
次に、実施例１３である、係止具（１ｐ）について記す。実施例１である、係止具（１）の、該容積部（４）は開口部（６）を備え、該容積部（４）の外端（１３Ａ）（１３Ｂ）から該容積部（４）の内側に向かって先窄まりしていく該開口部（６）を設け、に代えて、実施例１３である、係止具（１ｐ）は、次のようにしてある。図３７にて、容積部（４ｐ）は開口部（６ｐ）を備えてある。開口部（６ｐ）は、端部（１３Ａｐ）と、端部（１３Ｂｐ）とによって構成され、端部（１３Ａｐ）（１３Ｂｐ）間に配置してある。端部（１３Ａｐ）は内側に、端部（１３Ｂｐ）は外側に、対角に配置してある。
【０１６１】
次に、実施例１４である、係止具（１ｑ）について記す。実施例１である、係止具（１）の、容積部（４）を有する雄部材（５）、に代えて、実施例１４である、係止具（１ｑ）は、図３８にて、容積部（４ｑ）を有する雄部材（５ｑ）としてある。容積部（４ｑ）は、実施例１の環状、円形状の容積部（４）、に代えて、上半分は四角形状に設けてある。
【０１６２】
次に、実施例１５である、係止具（１ｒ）について記す。実施例１である、係止具（１）の、雄部材（５）に脚部（９Ａ）（９Ｂ）を設け、に代えて、実施例１５である、係止具（１ｒ）は、図３９にて、雄部材（５ｒ）に脚部（９Ａｒ）（９Ｂｒ）を設けとしてある。脚部（９Ａｒ）（９Ｂｒ）を縦長にしてある。脚部（９Ａｒ）（９Ｂｒ）を縦長にすることによって、取っ手代わりとなり、手等で掴みやすい、という効果がある（効果１５−１）。また、脚部（９Ａｒ）（９Ｂｒ）を縦長にすることによって、押圧する力も低減できる（効果１５−２）。
【０１６３】
次に、実施例１６である、係止具（１ｓ）について記す。実施例１である、係止具（１）の、雄部材（５）に脚部（９Ａ）（９Ｂ）を設け、に代えて、実施例１６である、係止具（１ｓ）は、図４０にて、雄部材（５ｓ）に脚部（９Ａｓ）（９Ｂｓ）を設けとしてある。
【０１６４】
次に、実施例１７である、係止具（１ｔ）について記す。実施例１である、係止具（１）の、雄部材（５）に脚部（９Ａ）（９Ｂ）を設け、に代えて、実施例１７である、係止具（１ｔ）は、図４１にて、雄部材（５ｔ）に脚部（９Ａｔ）（９Ｂｔ）を設けとしてある。なお、実施例１５〜１７の雌部材の形状は特に図示していないが、雄部材に対応するように設ける。
【０１６５】
次に、実施例１８である、係止具（１ｕ）について記す。実施例１８である、係止具（１ｕ）は、実施例２である、係止具（１ａ）にて、図４３〜４４で、次のようにしてある。雄部材（５ｕ）は、容積部（４ｕ）の一端（５４Ａｕ）（５４Ｂｕ）に、容積部（４ｕ）の表面（４９ｕ）に、容積部（４ｕ）の上部にて、ストッパー（４７Ａｕ）（４７Ｂｕ）を設けてある。実施例３である、係止具（１ｂ）と同様にしてある。前記雄部材（５ｕ）に前記雌部材（３ｕ）が係止された後、前記雄部材（５ｕ）の容積部（４ｕ）の一端（５４Ａｕ）（５４Ｂｕ）に前記雌部材（３ｕ）の一端（６２Ａｕ）（６２Ｂｕ）が当接される。当接されることにより差し入れられる方向（矢印Ｓ）への移動が規制される。なお、実施例２に比べて実施例１８は、雌部材の材料が少ないので材料費が少なくて済む（効果１８−１）。また、実施例２に比べて実施例１８は、雌部材の材料が少ないのでコンパクトになる（効果１８−２）。
【０１６６】
次に、実施例１９である、係止具（１ｖ）について記す。実施例１９である、係止具（１ｖ）は、実施例２である、係止具（１ａ）にて、図４５〜４６で、次のようにしてある。雄部材（５ｖ）は、容積部（４ｖ）の一端（５９Ａ）（５９Ｂ）に、容積部（４ｖ）の側面（５７Ａ）（５７Ｂ）に、容積部（４ｖ）の上部にて、ストッパー（５６Ａ）（５６Ｂ）を設けてある。ストッパー（５６Ａ）（５６Ｂ）は、線状部（４６Ａｖ）（４６Ｂｖ）にて、側面（５７Ａ）（５７Ｂ）にて、出っ張るように突状に設けてある。窪みを配してある。雄部材（５ｖ）に雌部材（３ｖ）が差し入れられて係止する場合に、差し入れ第２開口近傍の雌部材（３ｖ）の収納部上端である雌部材（３ｖ）の一端（６２Ａｖ）（６２Ｂｖ）が雄部材（５ｖ）に対応するよう配置してある。前記雄部材（５ｖ）に前記雌部材（３ｖ）が係止された後、前記雄部材（５ｖ）の一端（５９Ａ）（５９Ｂ）に前記雌部材（３ｖ）の一端（６２Ａｖ）（６２Ｂｖ）が当接される。当接されることにより差し入れられる方向（矢印Ｓ）への移動が規制される。また、実施例１８と同様に、実施例２に比べて実施例１９は、雌部材の材料が少ないので材料費が少なくて済む（効果１９−１）。また、実施例２に比べて実施例１９は、雌部材の材料が少ないのでコンパクトになる（効果１９−２）。
【０１６７】
次に、実施例２０である、係止具（１ｗ）について記す。実施例２０である、係止具（１ｗ）は、実施例１である、係止具（１）にて、図４７〜４８で、次のようにしてある。雌部材（３ｗ）は、雌部材（３）に代えて、次のようにしてある。雌部材（３ｗ）の一端（５５Ａｗ）（５５Ｂｗ）に内壁（２７Ａｗ）（２７Ｂｗ）を配してある。実施例１の、内壁（２７Ａ）（２７Ｂ）に代えて、実施例２０の、内壁（２７Ａｗ）（２７Ｂｗ）は、次のようにしてある。容積部（４）の外縁の形状に沿うように湾曲状に設けてある。前記雄部材（５）に前記雌部材（３ｗ）が係止された後、前記雄部材（５）の一端（５８Ａｗ）（５８Ｂｗ）に前記雌部材（３ｗ）の一端（５５Ａｗ）（５５Ｂｗ）が当接される。当接されることにより差し入れられる方向（矢印Ｓ）への移動が規制される。ストッパー（５３Ａｗ）（５３Ｂｗ）として内壁（２７Ａｗ）（２７Ｂｗ）を設けてある。容積部（４）の外縁の形状に沿うように内壁（２７Ａｗ）（２７Ｂｗ）を設けてあるので、比較的隙間が少なく、ガタつきなどが減少する（効果２０−１）。
【０１６８】
また、差し入れ開口を有した筒状の周縁（２０ＡＡｗ）（２０ＢＡｗ）に窓穴部（３７Ａｗ）（３７Ｂｗ）を配置した該雌部材（３ｗ）を設けてある。雌部材（３ｗ）下端には下壁（３５ｗ）を配置し、下壁（３５ｗ）に接続して、雌部材（３ｗ）下端の両側面には側壁（４８Ａｗ）（４８Ｂｗ）を配置してある。側壁（４８Ａｗ）（４８Ｂｗ）によって、窓穴部（３７Ａｗ）（３７Ｂｗ）の一部を構成してある。また、次のようにも記すことができる。前記雄部材（５）に前記雌部材（３ｗ）が係止された後、前記雄部材（５）の一端（６０Ａｗ）（６０Ｂｗ）に前記雌部材（３ｗ）の一端（６１Ａｗ）（６１Ｂｗ）が当接される。当接されることにより差し入れられる方向（矢印Ｓ）への移動が規制される。以上から、前記雄部材（５）に前記雌部材（３ｗ）が係止された後、前記雄部材（５）の一端（５８Ａｗ）（５８Ｂｗ）に前記雌部材（３ｗ）の一端（５５Ａｗ）（５５Ｂｗ）が当接され、前記雄部材（５）の一端（６０Ａｗ）（６０Ｂｗ）に前記雌部材（３ｗ）の一端（６１Ａｗ）（６１Ｂｗ）が当接されて、つまり、ダブルで当接されることから、差し入れられる方向（矢印Ｓ）への移動の規制がより確実にできる（効果２０−２）。また、窓穴部を配置していない実施例１に比べて、実施例２０は、窓穴部（３７Ａｗ）（３７Ｂｗ）を配置することにより、窓穴部（３７Ａｗ）（３７Ｂｗ）より脚部が露出している部分が少ないので、不意に手などが接触した場合等に解除する率が低減され安全性が向上する（効果２０−３）。また、窓穴部（３７Ａｗ）（３７Ｂｗ）を配置することにより、係止された状態の雄部材（５）と雌部材（３ｗ）にて、係止から解除しようとする場合、窓穴部（３７Ａｗ）（３７Ｂｗ）に雄部材（５）が案内されるので、解除が比較的容易となる（効果２０−４）。また、逆に、次のことがいえる。窓穴部を配置している実施例２０に比べて、実施例１は、窓穴部を配置していないので、係止された状態の雄部材（５）と雌部材（３）にて、係止から解除しようして、脚部（９Ａ）（９Ｂ）を押圧しようとする場合に、外壁が少ないので障害となるものが少なくて解除が容易である（効果１−１４）。また、実施例２０に比べて実施例１は、雌部材の材料が少ないので材料費が少なくて済む（効果１−１５）。また、実施例２０に比べて実施例１は、雌部材の材料が少ないのでコンパクトになる（効果１−１６）。
【０１６９】
次に、実施例２１である、係止具（１ｘ）について記す。実施例２１である、係止具（１ｘ）は、実施例１である、係止具（１）にて、図４９〜５０で、次のようにしてある。実施例１の、該雄部材（５）に脚部（９Ａ）（９Ｂ）を設け、該脚部（９Ａ）（９Ｂ）は、該容積部（４）の一端（１０）より延出して設け、に代えて、実施例２１は、該雄部材（５ｘ）に脚部（９Ａｘ）（９Ｂｘ）を設け、該脚部（９Ａｘ）（９Ｂｘ）は、該容積部（４ｘ）の一端（１０Ａｘ）（１０Ｂｘ）より延出して設けとしてある。脚部は、脚部（９Ａｘ）と、脚部（９Ｂｘ）とで一対に設けてある。膝の上部（２２Ａｘ）（２２Ｂｘ）を脚部（９Ａｘ）（９Ｂｘ）毎に分割して配してある。実施例１の、膝の上部（２２）から枝分かれするように、膝部（２３Ａ）（２３Ｂ）を各々分離して設け、に代えて、実施例２１は、容積部（４ｘ）の奥部から、一端（１０Ａｘ）（１０Ｂｘ）へ枝分かれするように、膝の上部（２２Ａｘ）（２２Ｂｘ）を各々分離して設けとしてある。膝の上部（２２Ａｘ）（２２Ｂｘ）を容積部（４ｘ）の一端（１０Ａｘ）（１０Ｂｘ）より延出して、膝部より片持ち梁状に膝の下部を配してある。また、図の説明を一部付記する。雄部材（５ｘ）について、直交する方向（矢印Ｔ）にて、容積部（４ｘ）より延出する脚部（９Ａｘ）（９Ｂｘ）間の長さを（Ｐ）としてある。例えば、係止された状態で脚部（９Ａｘ）（９Ｂｘ）を押圧する。押圧すると、直交する方角にて内向き（矢印Ｎ）に膝部を起点として膝の下部が弾性変形する。さらに、押圧し続けると、容積部（４ｘ）の一端（１０Ａｘ）（１０Ｂｘ）を起点として膝の上部（２２Ａｘ）（２２Ｂｘ）が弾性変形する。弾性変形した後、係止された雌部材（３ｘ）の筒状の周縁が雄部材（５ｘ）の顎部から解除される。よって、実施例１の、容積部（４）の一端（１０）より延出して設ける脚部（９Ａ）（９Ｂ）に比べて、実施例２１は、枝分かれするように設けてあるので、弾性変形する範囲が長さ（Ｐ）分だけ増え、解除に余裕が生じる（効果２１−１）。
【０１７０】
また、雌部材（３ｘ）下部に、窓穴部（３７Ａｘ）（３７Ｂｘ）の下には、第２収納部（８８）を設けてある。第２収納部（８８）両側面には側壁（４８Ａ）（４８Ｂ）を設け、第２収納部（８８）下部には下壁（３５Ａｘ）（３５Ｂｘ）を設けてある。つまり、第２収納部（８８）は、側壁（４８Ａ）（４８Ｂ）、下壁（３５Ａｘ）（３５Ｂｘ）によって形成される囲まれた空間である。側壁（４８Ａ）（４８Ｂ）は、窓穴部（３７Ａｘ）（３７Ｂｘ）の一部を構成している。下壁（３５Ａｘ）（３５Ｂｘ）間には、紐などを通すための孔（６３）を配してある。第２収納部（８８）は、紐の結び目等を収納することを目的としている。また、第２収納部（８８）は、雌部材（３ｘ）を手等で掴む場合に取っ手代わりとなる役目を持っている（効果２１−２）。
【０１７１】
次に、実施例２２である、係止具（１ｙ）について記す。実施例２２である、係止具（１ｙ）は、実施例１である、係止具（１）にて、図５１〜５２で、次のようにしてある。実施例１の、該脚部（９Ａ）（９Ｂ）は、該容積部（４）の該開口部（６）と反対の側（１１）に位置する該容積部（４）の奥部（１２）より延出して設け、に代えて、実施例２２は、該脚部（９ｙ）は、該容積部（４ｙ）の該開口部（６ｙ）と反対の側に位置する該容積部（４ｙ）の奥部より延出して設けてある。実施例１で２つ設けてあった脚部（９Ａ）（９Ｂ）を、実施例２２では１つの脚部（９ｙ）としてある。図中、実施例１で上方向に設けてあった開口部（６）を、実施例２２では横方向に開口部（６ｙ）を配してある。また、案内部（６５）を開口部（６ｙ）近傍より延出して設けてある。次に、差し入れから係止までの作用について一部説明する。筒状の内面（１７Ａｙ）（１７Ｂｙ）にて脚部（９ｙ）と案内部（６５）が抜き差しできるようにしてある。雌部材（３ｙ）が雄部材（５ｙ）に差し入れられると、筒状の内面（１７Ａｙ）（１７Ｂｙ）に、脚部（９ｙ）と案内部（６５）が摺接する。摺接して、押圧された脚部（９ｙ）は、差し入れ開口を通過して、係止される。雄部材（５ｙ）に雌部材（３ｙ）が係止される。脚部（９ｙ）が係止されると同時に、摺接されていた案内部（６５）も停止する。なお、筒状の内面（１７Ａｙ）と内面（１７Ｂｙ）の位置が逆転するように、左右反対にした雌部材（３ｙ）が雄部材（５ｙ）に差し入れられても、脚部（９ｙ）の反対側に案内部（６５）を配置してあるので、係止される（効果２２−１）。
【０１７２】
次に、実施例２３である、係止具（１ｚ）について記す。実施例２３である、係止具（１ｚ）は、実施例２１である、係止具（１ｘ）にて、図５３で、次のようにしてある。実施例２１の、第２収納部（８８）に、代えて、実施例２３は、紐装着部（７２）を設けてある。紐取付部としてある。雌部材（３ｚ）下部に、窓穴部（３７Ａｚ）（３７Ｂｚ）の下には、紐などを通すための、孔（６６）を設けてある。孔（６６）両側面には側壁（４８Ａｚ）（４８Ｂｚ）を設け、孔（６６）下部には下壁（３５ｚ）を設けてある。つまり、孔（６６）は、側壁（４８Ａｚ）（４８Ｂｚ）、下壁（３５ｚ）によって形成された紐装着部（７２）の内側に配してある。また、紐装着部（７２）は、雌部材（３ｚ）を手等で掴む場合に取っ手代わりとなる役目を持っている（効果２３−１）。
【０１７３】
次に、実施例２４である、係止具（１ｚａ）について記す。実施例２４である、係止具（１ｚａ）は、実施例２である、係止具（１ａ）にて、図５４で、次のようにしてある。なお、図５４は、実施例２の図２１と比較して８０％に縮小してある。実施例２４は、孔（６７）を有した紐装着部（７３）を設けてある。雌部材（３ｚａ）下部に、窓穴部（３７Ａｚａ）（３７Ｂｚａ）の下には、紐などを通すための、環状片（７４）からなる紐装着部（７３）を設けてある。孔（６７）両側面には側壁（４８Ａｚａ）（４８Ｂｚａ）を設け、孔（６７）下部には第２下壁（７５）を設けてある。下壁（３５Ｚａ）と側壁（４８Ｂｚａ）の間は切りかけてある。紐などを通す隙間を配してある。
【０１７４】
次に、実施例２５である、係止具（１ｚｂ）について記す。実施例２５である、係止具（１ｚｂ）は、実施例３である、係止具（１ｂ）にて、図５５〜５６で、次のようにしてある。実施例２５は、孔（７１）を有した紐装着部（７６）を設けてある。雄部材（５ｚｂ）上部に、容積部（４ｚｂ）の上には、紐などを通すための、環状片（６９Ａ）（６９Ｂ）からなる紐装着部（７６）を設けてある。例えば、環状片（６９Ａ）は端部（７０Ａ）にて切断されている。環状片（６９Ｂ）も同様にしてある。環状片（６９Ａ）と環状片（６９Ｂ）とは互い違いに配してあり、クロスするようにしてある。図５６にて、環状片（６９Ａ）と環状片（６９Ｂ）とを各々違う方向に変位させて、環状片（６９Ａ）と環状片（６９Ｂ）との間にできた隙間（例えば、７７Ａ）から紐などを通すようにしてある。
【０１７５】
次に、実施例２６である、係止具（１ｚｃ）について記す。実施例２６である、係止具（１ｚｃ）は、実施例４である、係止具（１ｃ）にて、図５７〜５８で、次のようにしてある。雄部材（５ｚｃ）に中脚（８０）を設けてある。中脚（８０）は、脚部（９Ａｚｃ）（９Ｂｚｃ）間に配してある。中脚（８０）は、容積部（４ｚｃ）の一端より延出して設けてある。中脚（８０）は、容積部（４ｚｃ）の開口部と反対の側に位置する容積部（４ｚｃ）の奥部より延出して設けてある。中脚（８０）は、脚部（９Ａｚｃ）（９Ｂｚｃ）よりも僅かに長くしてある。また、雌部材（３ｚｃ）の下部に、窓穴部（３７Ａｚｃ）（３７Ｂｚｃ）を設けてある。雌部材（３ｚｃ）下端の両側面には側壁（４８Ａｚｃ）（４８Ｂｚｃ）を配置してある。側壁（４８Ａｚｃ）（４８Ｂｚｃ）によって、窓穴部（３７Ａｚｃ）（３７Ｂｚｃ）の一部を構成してある。雌部材（３ｚｃ）の下部に、窓穴部（３７Ａｚｃ）と窓穴部（３７Ｂｚｃ）とに挟まれるようにして間に一対のガイドリブ（８７）を設けてある。ガイドリブ（８７）は、雌部材内部に設けた内壁（８１Ａ）（８１Ｂ）で構成してある。側壁（４８Ａｚｃ）と内壁（８１Ａ）との間の下部、内壁（８１Ａ）と内壁（８１Ｂ）との間の下部、側壁（４８Ｂｚｃ）と内壁（８１Ｂ）との間の下部は各々開口してあり、下部開口（８２）（８３）（８４）としてある。中脚（８０）とガイドリブ（８７）とが対応するように配置してある。雌部材（３ｚｃ）が雄部材（５ｚｃ）に差し入れられると、凹状のガイドリブ（８７）に案内された凸状の中脚（８０）がガイドリブ（８７）に接し、中脚（８０）の外側両面が内壁（８１Ａ）（８１Ｂ）の各々の内面に摺接し、挿入される。凹状のガイドリブ（８７）に凸状の中脚（８０）が挿入されると、雌部材（３ｚｃ）と雄部材（５ｚｃ）の係合の安定度合が高まる（効果２６−１）。
【０１７６】
次に、実施例２７である、係止具（１ｚｄ）について記す。実施例２７である、係止具（１ｚｄ）は、実施例２０である、係止具（１ｗ）にて、図５９〜６０で、次のようにしてある。雄部材（５ｚｄ）に案内凹部（７８）を設けてある。案内凹部（７８）は、膝の上部（２２ｚｄ）の下部に、膝部（２３Ａｚｄ）と膝部（２３Ａｚｄ）との間に配してある。また、実施例２０の、雌部材（３ｗ）下端には下壁（３５ｗ）を配置し、下壁（３５ｗ）に接続して、雌部材（３ｗ）下端の両側面には側壁（４８Ａｗ）（４８Ｂｗ）を配置し、に代えて、実施例２７は次のようにしてある。雌部材（３ｚｄ）下端の両側面には側壁（４８Ａｚｄ）（４８Ｂｚｄ）を配置してある。側壁（４８Ａｚｄ）（４８Ｂｚｄ）によって、窓穴部（３７Ａｚｄ）（３７Ｂｚｄ）の一部を構成してある。雌部材（３ｚｄ）の下部に、案内凸部（７９）を設けてある。側壁（４８Ａｚｄ）と側壁（４８Ｂｚｄ）とに挟まれるようにして間に案内凸部（７９）を設けてある。側壁（４８Ａｚｄ）と案内凸部（７９）との間の下部、側壁（４８Ｂｚｄ）と案内凸部（７９）との間の下部は各々開口してあり、下部開口（８５）（８６）としてある。案内凹部（７８）と案内凸部（７９）とが対応するように配置してある。雌部材（３ｚｄ）が雄部材（５ｚｄ）に差し入れられると、案内凹部（７８）に案内凸部（７９）が挿入される。案内凹部（７８）に案内凸部（７９）が挿入されると、雌部材（３ｚｄ）と雄部材（５ｚｄ）の係合の安定度合が高まる（効果２７−１）。
【０１７７】
次に、実施例２８である、係止具（１ｚｅ）について記す。実施例２８である、係止具（１ｚｅ）は、実施例１である、係止具（１）にて、図６１で、次のようにしてある。実施例１の、差し入れ開口（１８）に代えて、実施例２８の、差し入れ開口（１８ｚｅ）は、顎受け部（３０Ａｚｅ）（３０Ｂｚｅ）の外壁（２１ＡＢｚｅ）（２１ＢＢｚｅ）と接して同一線上に配してある。
【０１７８】
次に、実施例２９である、係止具（１ｚｆ）について記す。実施例２９である、係止具（１ｚｆ）は、実施例１である、係止具（１）にて、図６２で、次のようにしてある。実施例１の、差し入れ開口（１８）に代えて、実施例２９の、差し入れ開口（１８ｚｆ）は、顎受け部（３０Ａｚｆ）（３０Ｂｚｆ）の外壁（２１ＡＣｚｆ）（２１ＢＣｚｆ）と接して同一線上に配してある。
【０１７９】
次に、実施例３０である、係止具（１ｚｈ）について記す。実施例３０である、係止具（１ｚｈ）は、実施例１である、係止具（１）にて、図４２で、次のようにしてある。実施例１の、差し入れ開口（１８）に代えて、実施例３０の、差し入れ開口（１８ｚｈ）は、顎受け部（３０Ａｚｈ）（３０Ｂｚｈ）の外壁（２１ＡＢｚｈ）（２１ＢＢｚｈ）と接して同一線上に配してある。なお、雄部材（５）の顎部（１６Ａ）（１６Ｂ）の側面部（２６Ａ）（２６Ｂ）に対応する実施例１の雌部材（３）の外壁（２１ＡＡ）（２１ＢＡ）は削って省いてある。雄部材（５）の顎部（１６Ａ）（１６Ｂ）に対応するのは、顎部（１６Ａ）（１６Ｂ）の上面部（２５Ａ）（２５Ｂ）に対応する外壁（２１ＡＢｚｈ）（２１ＢＢｚｈ）のみとしてある。つまり、顎受け部（３０Ａｚｈ）（３０Ｂｚｈ）は、外壁（２１ＡＢｚｈ）（２１ＡＢｚｈ）のみとしてある。
【０１８０】
実施例１、２８、２９、３０にて、雌部材を比較すると次のようになる。実施例２９に比べて実施例１は、雌部材の材料が少ないので材料費が少なくて済む。材料費が安い順に並べると、実施例１、３０、２８、２９となる（効果１−１７）。また、係止された状態の雄部材（５）と雌部材にて、係止から解除しようして、脚部（９Ａ）（９Ｂ）を押圧しようとする場合に、外壁が少ないので障害となるものが少ない実施例１は、実施例２９に比べて解除が容易である。解除が容易な順に並べると、実施例３０、１あるいは２８（１と２８とは同程度）、２９となる（効果１−１８）。また、逆に、次のように記すことができる。窓穴部より脚部が露出している部分が少ない実施例２９は、実施例１に比べて、不意に手などが接触した場合等に解除する率が低減され安全性が向上する。容易に解除しないような安全性の高い順に並べると、逆の、実施例２９、１あるいは２８（１と２８とは同程度）、３０となる（効果２９−１）。また、加工の容易性については、収納部内の加工具合を考慮すると、実１が多少有利といえる（効果１−１９）。
【０１８１】
また、重複するが、各実施例にて比較すると次のようになる。窓穴部を配置していない実施例に比べて、窓穴部を配置している実施例は、窓穴部より脚部が露出している部分が少ないので、不意に手などが接触した場合等に解除する率が低減され安全性が向上する（効果２０−３）。また、窓穴部（３７Ａｗ）（３７Ｂｗ）を配置することにより、係止された状態の雄部材（５）と雌部材（３）にて、係止から解除しようとする場合、窓穴部（３７Ａｗ）（３７Ｂｗ）に雄部材（５）が案内されるので、解除が比較的容易となる（効果２０−４）。また、逆に、次のことがいえる。窓穴部を配置している実施例に比べて、窓穴部を配置していない実施例は、係止された状態の雄部材と雌部材にて、係止から解除しようして、脚部を押圧しようとする場合に、外壁が少ないので障害となるものが少なくて解除が容易である（効果１−１４）。また、窓穴部を配置している実施例に比べて、窓穴部を配置していない実施例は、雌部材の材料が少ないので材料費が少なくて済む（効果１−１５）。また、窓穴部を配置している実施例に比べて、窓穴部を配置していない実施例は、雌部材の材料が少ないのでコンパクトになる（効果１−１６）。窓穴部を配置していない実施例１と窓穴部を配置している実施例２０、２１、２７、あるいは、窓穴部を配置していない実施例１８、１９と窓穴部を配置している実施例２について上記のことがいえる。
【０１８２】
また、特に図示しないが、次のようにしてもよい。例えば、開口部の配置にて、実施例４の開口部（６ｃ）、実施例６の開口部（６ｅ）の配置に代えて、実施例２２の開口部（６ｙ）の配置とした実施例４、あるいは、実施例２２の開口部（６ｙ）の配置とした実施例６としてもよい。また、実施例６の開口部（６ｅ）の配置に代えて、実施例４の開口部（６ｃ）の配置とした実施例６としてもよい。また、次のようにしてもよい。例えば、ストッパーにて、実施例４のストッパー（５３Ａｃ）（５３Ｂｃ）を代えて、実施例２０のストッパー（５３Ａｗ）（５３Ｂｗ）のようにした実施例４としてもよい。また、実施例６の下壁（３５ｅ）を代えて、実施例４のストッパー（５３Ａｃ）（５３Ｂｃ）、あるいは、実施例１８のストッパー（４７Ａｕ）（４７Ｂｕ）、あるいは、実施例１９のストッパー（５６Ａ）（５６Ｂ）、あるいは、実施例２０のストッパー（５３Ａｗ）（５３Ｂｗ）のようにした実施例６としてもよい。
【０１８３】
また、特に図示しないが、次のようにしてもよい。実施例２にて、雌部材（３ａ）下部両側面に設けてある窓穴部（３７Ａ）（３７Ｂ）を、脚部（９Ａａ）（９Ｂａ）に設けてある顎部（１６Ａａ）（１６Ｂａ）用と、顎部（１６Ａａ）の下に配置してある押圧部（３２Ａ）（３２Ｂ）用に分離して２つに分けて設けてもよい。また、窓穴部（３７Ａ）（３７Ｂ）に、成形加工用の穴を別に設けてもよい。
【０１８４】
また、特に図示しないが、次のようにしてもよい。例えば、実施例１にて、雄部材（５）に脚部（９Ａ）（９Ｂ）を設け、に代えて、雄部材（５）に脚部（９Ａ）を設け、としてもよい。片側のみに脚部を設けてもよい。雄部材の材料が少ないので材料費が少なくて済む。また、片側のみなので、両側に各々脚部を設けたのに比べて、操作が容易である。また、逆に、次のように記すことができる。片側のみに脚部を設けているものに比べて、実施例１は、両側に各々脚部（９Ａ）（９Ｂ）を設けているので、係止の確実性が高まり、不意に抜けたりする率が低い（効果１−２０）。他の実施例でも同様のことがいえる。
【０１８５】
また、特に図示しないが、次のようにしてもよい。各実施例にて、横から押圧するタイプのサイドプッシュ型ではなく、正面、表面、裏面から押圧するタイプにしてもよい。
【０１８６】
また、特に図示しないが、次のようにしてもよい。実施例１にて、容積部（４）の中心部（１４）寄りにある開口部（６）内側の辺ＲＡＲＢ、辺ＲＣＲＤ間の長さ（Ｒ）、つまり、前記開口部（６）の最小長さ（Ｒ）を、辺ＲＡＲＢと辺ＲＣＲＤとがくっつくぐらい短く設けてもよい。
【０１８７】
また、特に図示しないが、次のようにしてもよい。例えば、実施例１にて、袋の口（２）を封止する係止具（１）として記載したが、袋の口ではなく、シート状、あるいは、棒状のものを束にするための係止具としてもよい。実施例１にて、拡がった袋の口（２）を指等で寄せ集めて縮小させて、口径（７）を絞った袋の口（２）を開口部（６）に挿入するが、袋の口（２）、に代えて、袋ではなく、シート状、あるいは、棒状のものでもよい。被封止物、被係止物、被結束物、を、封止する、係止する、結束する、係止具としてもよい。他の実施例でも同様にしてもよい。
【０１８８】
また、各実施例の材料としては、合成樹脂、あるいは、弾性のあるものなどを主とするが、例えば、ＰＡ（ポリアミド）、ＰＢＴ（ポリブチレンテレフタレート）、ＰＯＭ（ポリアセタール）（ポリオキシメチレン）、ポリプロピレンなどの熱可塑性樹脂を用いる。硬質系の合成樹脂、軟質系の合成樹脂等、あるいは、この限りではなく、適宜、他の材料を選択してもよい。また、射出成形等によって一体的に形成する。雄部材、雌部材は各々、一体的に設けてある。
【０１８９】
また、実施例１にて、一部、文言を言い換えると次のようになる。雄部材を主体とした文言。前記雄部材に脚部を設け、前記雄部材の脚部を雌部材に差し入れると、該雌部材内面に脚部が摺接し、該脚部が弾性変形して、該雄部材の脚部が雌部材を係止し、該係止した状態で脚部を押圧すると、脚部が弾性変形し、該係止した雌部材を雄部材の脚部から解除することを特徴とする係止具。雌部材を主体とした文言。前記雄部材に脚部を設け、前記雄部材の脚部に雌部材が差し入れられると、該雌部材内面は脚部を摺接し、該脚部を弾性変形して、該雄部材の脚部に雌部材が係止され、該係止された状態で脚部が押圧されると、脚部が弾性変形し、該係止された雌部材が雄部材の脚部から解除されることを特徴とする係止具。
【０１９０】
また、実施例１にて、一部、文言を言い換えると次のようになる。顎部の文言を省いた、差し入れ開口の文言。雌部材（３）、雄部材（５）の作用について、言い換えると次のようになる。該雌部材（３）の差し入れ開口（１８）が雄部材（５）の脚部（９Ａ）（９Ｂ）に差し入れられる。差し入れられると、該筒状（１９）の内面（１７Ａ）（１７Ｂ）に脚部（９Ａ）（９Ｂ）が摺接する。摺接し、該脚部（９Ａ）（９Ｂ）が弾性変形する。弾性変形し、該雌部材（３）の筒状（１９）の周縁（２０Ａ）（２０Ｂ）が雄部材（５）の脚部（９Ａ）（９Ｂ）に係止される。また、図１０、９、８と逆の順番に図を見ていくと、該係止された状態で脚部（９Ａ）（９Ｂ）が押圧される。押圧されると、該脚部（９Ａ）（９Ｂ）が弾性変形する。弾性変形し、該係止された雌部材（３）の筒状（１９）の周縁（２０Ａ）（２０Ｂ）が雄部材（５）の脚部（９Ａ）（９Ｂ）から解除される。
【０１９１】
また、実施例２にて、一部、文言を言い換えると次のようになる。顎部の文言を省いた、窓穴部の文言。雌部材（３ａ）、雄部材（５ａ）の作用について、言い換えると次のようになる。該雌部材（３ａ）の差し入れ開口（１８ａ）が雄部材（５ａ）の脚部（９Ａａ）（９Ｂａ）に差し入れられる。差し入れられると、該筒状（１９ａ）の内面（１７Ａａ）（１７Ｂａ）に脚部（９Ａａ）（９Ｂａ）が摺接する。摺接し、該脚部（９Ａａ）（９Ｂａ）が弾性変形する。弾性変形し、該雌部材（３ａ）の窓穴部（３７Ａ）（３７Ｂ）が雄部材（５ａ）の脚部（９Ａａ）（９Ｂａ）に係止される。また、該係止された状態で脚部（９Ａａ）（９Ｂａ）が押圧される。押圧されると、該脚部（９Ａａ）（９Ｂａ）が弾性変形する。弾性変形し、該係止された雌部材（３ａ）の窓穴部（３７Ａ）（３７Ｂ）が雄部材（５ａ）の脚部（９Ａａ）（９Ｂａ）から解除される。あるいは、次のようになる。顎部、差し入れ開口の文言を省いた、窓穴部の文言。雄部材（５ａ）の脚部（９Ａａ）（９Ｂａ）に該雌部材（３ａ）が差し入れられる。差し入れられると、該雌部材（３ａ）の内面（１７Ａａ）（１７Ｂａ）に脚部（９Ａａ）（９Ｂａ）が摺接する。摺接し、該脚部（９Ａａ）（９Ｂａ）が弾性変形する。弾性変形し、該雌部材（３ａ）の窓穴部（３７Ａ）（３７Ｂ）が雄部材（５ａ）の脚部（９Ａａ）（９Ｂａ）に係止される。また、該係止された状態で脚部（９Ａａ）（９Ｂａ）が押圧される。押圧されると、該脚部（９Ａａ）（９Ｂａ）が弾性変形する。弾性変形し、該係止された雌部材（３ａ）の窓穴部（３７Ａ）（３７Ｂ）が雄部材（５ａ）の脚部（９Ａａ）（９Ｂａ）から解除される。
【０１９２】
なお、これより、以下について、先の出願に基づく優先権主張により当該出願を行う。先の出願の明細書における、背景技術、発明が解決しようとする課題、発明を実施するための最良の形態、図面の簡単な説明、図面の各項については、補足分、あるいは、誤字、脱字による一部訂正を除き、原文はそのまま残して記載しておく。また、以下に記載する内容の文章と先の出願の内容の文章とが、一部重複する部分もあるがそのまま記載する。これより、以下について、発明を実施するための最良の形態の項についての補足を行う。
【０１９３】
図について、各実施例にて、袋の口を一部省略して描いてある。次に、当該明細書にて、記載の用語の意味等について補完する。先に記したが、「係止」については、特許技術用語集第２版（日刊工業新聞社）によると、係わり合って止まること、と記載がある。この「係わり合う」については、広辞苑によると、関係を持つ、と記載がある。つまり、関係を持って止まることが「係止」であると理解される。各実施例にて、「係止」の状態は、関係を持って止まる、ことを意味している。関係については、各々の実施例に記載してある。次に、「押止」について記す。「押止」という用語は広辞苑には記載されていない。特許技術用語集には記載がある。「押止」は、押さえ止めること、と記載されている。次に、「押動」について記す。「押動」という用語も広辞苑には記載されていない。特許技術用語集には記載がある。「押動」は、押して動かすこと、と記載されている。また、先に記した「押圧」という用語も広辞苑には記載されていない。特許技術用語集には記載があり、「押圧」は、圧して押えつけること、と記載されている。当該明細書に記載の「押動」については、特許技術用語集には記載があったように、押して動かすこと、つまり、圧して押えつけて（その結果）動かすことであり、用語の使用としては、「押圧」と同様の使い方をしてある。「押止」と「押圧」を置き換えた文を一部に記載してある。また、例えば、実施例２〜３１では、「押圧」として記載してあり、例えば、実施例３２以降または実施例１では、「押動」として記載してあるが、相互に読み替えができるものとして記載した。次に、「挿通」について記す。「挿通」という用語も広辞苑には記載されていない。特許技術用語集には記載がある。「挿通」は、孔に通すこと、と記載されている。また、「孔」については、くぼんだ所、または、向うまで突き抜けた所、と広辞苑に記載されている。つまり、「挿通」は、くぼんだ所、または、向うまで突き抜けた所に通すことを意味していることになる。次に、また、例えば、実施例３２以降または実施例１にて、第１部材に第２部材を挿通可能に設け、または、第２部材に第１部材を挿通可能に設け、と記載してある。これを、例えば、第１部材と第２部材とを挿通可能に設け、という一文でまとめて記載してしまうと、第１部材と第２部材とに相互に挿通可能に設けてある、つまり、第１部材に第２部材を挿通可能に設け、かつ、第２部材に第１部材を挿通可能に設け、という条件の内容になってしまう恐れがある。よって、当該発明では、このような記載は省いてある。次に、「雌部材」「雄部材」ついて記す。「雌部材」「雄部材」の相違点については、例えば、実施例２〜３１では、係止に関わる互いの形状の差異をもとに分けて記載してある。しかし、例えば、実施例３２以降または実施例１では、係止に関わる互いの形状に差異は存在するものの、「雌」「雄」に分けるのは簡単ではなく、用語として表現するにしては、入れ替えが相互に可能な形状である。よって、例えば、実施例３２以降または実施例１では、単に、「第１部材」「第２部材」と記載してある。例えば、実施例３２以降または実施例１では、「第１部材」を「雌部材」に、「第２部材」を「雄部材」に読み替えができるものとして記載してある。または、同様に、「第１部材」を「雄部材」に、「第２部材」を「雌部材」に読み替えができるものとして記載してある。また、例えば、実施例１〜３１では、「雌部材」として記載してあるが、「第１部材」として読み替えができるものとして記載してある。同様に、「雄部材」として記載してあるが、「第２部材」として読み替えができるものとして記載してある。
【０１９４】
実施例１である、係止具（１）について一部追記する。前記雄部材（５）を第１部材（９５ｚｚ）として、前記雌部材（３）を第２部材（９４ｚｚ）としてある。つまり、前記第１部材（９５ｚｚ）を雄部材（５）として、前記第２部材（９４ｚｚ）を雌部材（３）としてある。該袋の口（２）を収容可能な容積部（４）を有する第１部材（９５ｚｚ）と、該第１部材（９５ｚｚ）と係止する第２部材（９４ｚｚ）とで構成してある。前記容積部（４）を略Ｃ字状に設けてある。前記第１部材（９５ｚｚ）の先端（８９）に前記開口部（６）を設けてある。前記第１部材（９５ｚｚ）が挿通する挿通孔（１０９ｚｚ）を前記第２部材（９４ｚｚ）に設けてある。係止具（１）を、合成樹脂製としてある。前記第１部材（９５ｚｚ）に脚部（９Ａ）（９Ｂ）を設けてある。
【０１９５】
また、次のようにも記載できる。前記第２部材（９４ｚｚ）の挿通孔（１０９ｚｚ）の内径（Ｊ）に対して前記第１部材（９５ｚｚ）の外径（Ｅ）を大きく設けることにより該第１部材（９５ｚｚ）と第２部材（９４ｚｚ）とが係止する。前記第２部材（９４ｚｚ）の挿通孔（１０９ｚｚ）の内径（Ｊ）に対して、第２部材（９４ｚｚ）と係止する箇所の前記第１部材（９５ｚｚ）の外径（Ｅ）を大きく設けることにより該第１部材（９５ｚｚ）と第２部材（９４ｚｚ）とが係止する。
【０１９６】
上記について、解説する。前記第２部材（９４ｚｚ）に前記第１部材（９５ｚｚ）を挿通可能に設けてある。また、次のようにしてある。前記第２部材（９４ｚｚ）を筒状（１９）としてある。第２部材（９４ｚｚ）には、第１部材（９５ｚｚ）を挿通できる筒状（１９）の前記収納部（２８）を配してある。収納部（２８）と、挿通孔（１０９ｚｚ）とは、同じものを述べている。名称が相違するだけである。つまり、第２部材（９４ｚｚ）には、第１部材（９５ｚｚ）を挿通できる筒状（１９）の挿通孔（１０９ｚｚ）を配してある。なお、実施例１にて、項「００３８」にて、「雌部材（３）は、筒状（１９）内側に、容積部（４）の一部を収納する収納部（２８）を有し」と記してあるが、収納部（２８）は、筒状（１９）内側に限定するものではなく、筒状（１９）それ自体を表現している。また、前記袋の口（２）を押止する押止部（１０４ｚｚ）を前記第２部材（９４ｚｚ）に設けてある。筒状（１９）に設けた前記第２部材（９４ｚｚ）の該筒状（１９）の端部を前記押止部（１０４ｚｚ）としてある。また、挿通孔（１０９ｚｚ）を設けることにより、第１部材（９５ｚｚ）と第２部材（９４ｚｚ）とが係止しようとする場合、第１部材（９５ｚｚ）が第２部材（９４ｚｚ）に案内されるので、挿入が容易となる、という効果がある（効果１−１５）。
【０１９７】
容積部（４）の「略Ｃ字状」については、例えば次のようなものも含んでいる。コ字状にて、「コ」の両端を内側へ折り込んだ形状も含んでいる。折り込む角度は直角に近い角度であるが、特に限定しない。「Ｃ」の曲線部を角型にした、言い換えると、「Ｃ字状」の角型とも記すことができる。「略Ｃ字状」の「略」の部分が「角型」に相当し、角型「Ｃ字状」、つまり、「略Ｃ字状」を表現している、ともいえる。また、次のようにしてある。第１部材（９５ｚｚ）の先端（８９）側、に開口部（６）を設けてある。開口部（６）は、膝の上部（２２）に対向する位置に、容積部（４）内に配置してある。開口部（６）は、脚部（９Ａ）（９Ｂ）と容積部（４）とが接続している接続点（９０）に対向する位置に、容積部（４）内に配置してある。開口部（６）は、脚部（９Ａ）（９Ｂ）の反対側に設けてある。開口部（６）は、容積部（４）の中央の上部に設けてある。実施例４、５、７〜１７、２０、２１、２６〜３０についても同様としてある。
【０１９８】
次に、開口部（６）と、袋の口との作用、第１部材（９５ｚｚ）、第２部材（９４ｚｚ）の作用等について一部追記する。図７〜１０にて、開口したままの該開口部（６）を含めた容積部（４）は、容積部（４）内に挿入後の口径を拡げた該袋の口（２Ｂ）を掛止する。
【０１９９】
上記について、解説する。開口したままの開口部（６）、について説明する。図示してあるように、開口部（６）は容積部（４）に一体的に設けてある。可動するようなものではない。常時、開口したままで固定されたものである。また、既に、開口部（６）は、容積部（４）内に挿入後の口径を拡げた該袋の口（２）を掛止する、と記したが、容積部（４）内に挿入後の口径を拡げた該袋の口（２Ｂ）を掛止するのは、開口部（６）だけではなく、より、具体的には、開口部（６）を含めた容積部（４）である。また、掛止については、袋の口（２Ｂ）が口径を拡げることにより、合成樹脂、紙など、軽微な弾力性を有する通常の袋の弾性復帰する力により発生した押圧する力が、容積部（４）内に加わり、ストッパーして働き、引っ掛かって止まり、開口部（６）を含めた容積部（４）内から、抜け出したり、落下したりせず、開口部（６）を含めた容積部（４）全体が袋の口（２Ｂ）を支えている、ということを述べている。他の実施例についても同様としてある。
【０２００】
掛止した後、次のようになる。前記第１部材（９５ｚｚ）の開口部（６）側へ前記第２部材（９４ｚｚ）が押動される。押動されると、前記容積部（４）内に挿入後の口径を拡げた袋の口（２Ｂ）が該押動された第２部材（９４ｚｚ）によって開口部（６）側へ押動される。前記開口したままの開口部（６）が該押動された袋の口（２Ｅ）によって覆われて塞がれる。第１部材（９５ｚｚ）と第２部材（９４ｚｚ）とが係止して、該開口部（６）から挿入した袋の口（２Ｅ）が第１部材（９５ｚｚ）と第２部材（９４ｚｚ）とによって封止される。前記封止された袋の口（２）に対応する空間（８）を、前記係止した第１部材（９５ｚｚ）の容積部（４）と、前記係止した第２部材（９４ｚｚ）とで、設けてある。
【０２０１】
また、言い換えると、次のようにも記すことができる。前記第１部材（９５ｚｚ）の後端側（９３）から第１部材（９５ｚｚ）の先端（８９）側へ前記第２部材（９４ｚｚ）が押動される。押動されると、前記容積部（４）内に挿入後の口径を拡げた袋の口（２Ｂ）が該押動された第２部材（９４ｚｚ）によって開口部（６）側へ押動される。前記開口したままの開口部（６）が該押動された袋の口（２Ｅ）によって覆われて塞がれる。第１部材（９５ｚｚ）と第２部材（９４ｚｚ）とが係止して、該開口部（６）から挿入した袋の口（２Ｅ）が第１部材（９５ｚｚ）と第２部材（９４ｚｚ）とによって封止される。
【０２０２】
あるいは、言い換えると、次のようにも記すことができる。前記第１部材（９５ｚｚ）の後端側（９３）から第１部材（９５ｚｚ）の先端（８９）側へ前記第２部材（９４ｚｚ）の押止部（１０４ｚｚ）が押動される。前記容積部（４）内に挿入後の口径を拡げた袋の口（２Ｂ）が該押動された第２部材（９４ｚｚ）の押止部（１０４ｚｚ）によって開口部（６）側へ押動される。前記開口したままの開口部（６）が該押動された袋の口（２Ｅ）によって覆われて塞がれる。第１部材（９５ｚｚ）と第２部材（９４ｚｚ）とが係止して、該開口部（６）から挿入した袋の口（２Ｅ）が第１部材（９５ｚｚ）の容積部（４）と第２部材（９４ｚｚ）の押止部（１０４ｚｚ）とによって封止される。前記封止された袋の口（２）に対応する空間（８）を、前記係止した第１部材（９５ｚｚ）の容積部（４）と、前記係止した第２部材（９４ｚｚ）の押止部（１０４ｚｚ）とで、設けてある。
【０２０３】
上記について、解説する。第２部材（９４ｚｚ）が第１部材（９５ｚｚ）の後端側（９３）から該第１部材（９５ｚｚ）の先端（８９）側へ押動される、というのは、つまり、膝部（２３Ａ）（２３Ｂ）側から反対側へ押圧されるということを述べている。図７〜１０にて、第１部材（９５ｚｚ）に係止される方向（方向Ｍ）に、筒状（１９）の第２部材（９４ｚｚ）が移動すると、該押圧された袋の口は（２Ｂ）（２Ｃ）（２Ｄ）（２Ｅ）へと面積を縮小していく。結果、開口したままの開口部（６）の内側は、押圧された袋の口（２Ｅ）によって覆われる。つまり、実質的には、押圧された袋の口（２Ｅ）によって、開口部（６）は閉じた状態になる。開口部（６）は、そのままの開口した形であるのにもかかわらず、閉口した状態と同等となる。また、袋の口（２Ｅ）は押圧されて圧縮されているので、ストッパーとして作用し、開口したままの開口部（６）から抜け出すことはない。第１部材（９５ｚｚ）に第２部材（９４ｚｚ）が係止されるとほぼ同時に、第２部材（９４ｚｚ）によって袋の口（２Ｅ）が開口部（６）側へ押圧されて、袋の口（２Ｅ）が封止される。開口部（６）は、そのままの開口した形であるのにもかかわらず、開口したままの開口部（６）を含めた容積部（４）に挿入した袋の口（２）が封止される。そのため、開口部（６）を閉じるための機能を別に有する必要がなく、材料費を含めた加工コストが低減できる、という効果がある（効果１−１６）。実施例４、５、７〜１７、２０、２１、２６〜３０、３２以降についても同様としてある。
【０２０４】
また、係止具（１）を合成樹脂製とすることにより、弾力性を有するので次のような効果がある。開口部（６）にて、口径を絞った該袋の口（２Ａ）の出入が容易となり、また、容積部（４）内に挿入後の口径を拡げた該袋の口（２Ｂ）を掛止しやすく、また、第１部材（９５ｚｚ）と第２部材（９４ｚｚ）との係止が容易となる、という効果がある（効果１−１７）。他の実施例についても同様としてある。
【０２０５】
また、次のようにしてある。一部追記する。図８、９、１０の順番にて、該第１部材（９５ｚｚ）の脚部（９Ａ）（９Ｂ）に前記第２部材（９４ｚｚ）が差し入れられる。差し入れられると、該第２部材（９４ｚｚ）内面（１７Ａ）（１７Ｂ）に脚部（９Ａ）（９Ｂ）が摺接する。摺接し、該脚部（９Ａ）（９Ｂ）が弾性変形する。弾性変形して、該第１部材（９５ｚｚ）の脚部（９Ａ）（９Ｂ）に第２部材（９４ｚｚ）が係止される。また、逆の図１０、９、８の順番にて、該係止された状態で脚部（９Ａ）（９Ｂ）が押圧される。押圧されると、脚部（９Ａ）（９Ｂ）が弾性変形する。弾性変形し、該係止された第２部材（９４ｚｚ）が第１部材（９５ｚｚ）の脚部（９Ａ）（９Ｂ）から解除される。
【０２０６】
また、実施例１は、次のようにも記載できる。顎部（１６Ａ）（１６Ｂ）は係合突起、顎受け部（３０Ａ）（３０Ｂ）は係止片、と言い換えることもできる。前記第１部材（９５ｚｚ）に係合突起を設けてある。前記第１部材（９５ｚｚ）に設けた係合突起が係止される係止片を前記第２部材（９４ｚｚ）に設けてある。
【０２０７】
次に、実施例３１である、係止具（１ｚｊ）について記す。なお、第２部材は特に図示していない。図６４にて、実施例３１は、第１部材（９５ｚｊ）の容積部（４ｚｊ）の中間付近の側面側に開口部（６ｚｊ）を設けてある。第１部材（９５ｚｊ）の容積部（４ｚｊ）の中間付近の側面側に開口部（６ｚｊ）を設けてある実施例３１と、第１部材（９５ｚｚ）の先端（８９）に開口部（６）を設けてある実施例１とを比較すると次のような効果がある。実施例３１にて、容積部（４ｚｊ）全体のおよそ４分の１程度を占める、接続点（９０ｚｊ）から端面（９２）までの範囲を有する容積部（４Ｂｚｊ）に対して、容積部（４ｚｊ）全体のおよそ４分の３程度を占める、接続点（９０ｚｊ）から端面（９１）までの範囲を有する容積部（４Ａｚｊ）は、接続点（９０ｚｊ）からの距離が長く、また、容積、質量が大きいので、容積部（４Ｂｚｊ）に比べて、容積部（４Ａｚｊ）側は傾斜しやすく、結果、端面（９１）と端面（９２）に段差が発生しやすい。しかし、実施例１は、先に述べた実施例３１に該当する、接続点（９０）から端面までの範囲を有する容積部（４Ａ）と、接続点（９０）から端面までの範囲を有する容積部（４Ｂ）とが同等程度なので、通常の使用範囲においては、開口部（６）を形成している端面と端面に段差等が発生しにくい。また、実施例３１にて、端面（９１）と端面（９２）に段差が発生している場合、開口部（６ｚｊ）を形成している端面（９１）と端面（９２）がフラットでない場合にて、差し入れられた第２部材が、第１部材（９５ｚｊ）の後端側から第１部材（９５ｚｊ）の先端側へ押動されて、容積部（４ｚｊ）内に挿入後の口径を拡げた袋の口が、押動された第２部材によって先端側へ押動される時、段差が発生しているので、端面（９２）を通過した第２部材が、通過途中に端面（９１）に接触して、第２部材が停止して係止できない恐れがある。つまり、容積部（４ｚｊ）の中間付近の側面側に開口部（６ｚｊ）を設けると、端面（９１）と端面（９２）に段差が発生して、第１部材（９５ｚｊ）に第２部材が係止されず、袋の口が封止できない恐れがある。しかし、実施例１は、開口部（６）を形成している端面と端面に段差等が発生しにくいので、第１部材（９５ｚｚ）の後端側（９３）から第１部材（９５ｚｚ）の先端（８９）側へ第２部材（９４ｚｚ）が押動される場合に、通過途中に端面に接触して、第２部材（９４ｚｚ）が停止して係止できない可能性は低い、という効果がある（効果１−１８）。また、仮に、実施例１は、開口部（６）を形成している端面と端面に段差等が発生したとしても、第１部材（９５ｚｚ）の先端（８９）に開口部（６）を設けてあるので、第１部材（９５ｚｚ）の後端側（９３）から第１部材（９５ｚｚ）の先端（８９）側へ第２部材（９４ｚｚ）が押動される場合に、通過途中に端面に接触して、第２部材（９４ｚｚ）が停止して係止できないということがない。そのまま、第２部材（９４ｚｚ）に第１部材（９５ｚｚ）が沿うようなかたちで、押動された第２部材（９４ｚｚ）が途中で停止することなく、第１部材（９５ｚｚ）に第２部材（９４ｚｚ）が係止され、該袋の口（２）が封止される、という効果がある（効果１−１９）。つまり、押動された袋の口（２Ｅ）で開口部（６）が閉じ、第１部材（９５ｚｚ）に第２部材（９４ｚｚ）が確実に係止されるように、第２部材（９４ｚｚ）が押動される方向の先端側である第１部材（９５ｚｚ）の先端（８９）に開口部（６）を設けてある。実施例４、５、７〜１７、２０、２１、２６〜３０、３２以降についても同様としてある。また、実施例３１にて、容積部（４Ａｚｊ）側は容積部（４Ｂｚｊ）側に比べて、接続点（９０ｚｊ）からの長さが長いので支える強度が劣るので折損等が発生しやすい。言い換えると、実施例１は、容積部（４Ａ）側と容積部（４Ｂ）とは、接続点（９０）からの長さが同等程度なので、折損等の発生の恐れが少ない、という効果がある（効果１−２０）。実施例４、５、７〜１７、２０、２１、２６〜３０、３２以降についても同程度の効果がある。
【０２０８】
次に、実施例３２である、係止具（１ｚｋ）について記す。実施例３２は、図６６〜６９、７８にて、次のようにしてある。袋の口を封止する係止具（１ｚｋ）であって、該袋の口を収容可能な容積部（４ｚｋ）を有する第１部材（９５）と、該第１部材（９５）と係止する第２部材（９４）とで構成してある。該容積部（４ｚｋ）は開口部（６ｚｋ）を備えてある。前記容積部（４ｚｋ）を略Ｃ字状に設けてある。前記第１部材（９５）の先端（８９ｚｋ）に前記開口部（６ｚｋ）を設けてある。前記容積部（４ｚｋ）の外端から前記容積部（４ｚｋ）の内側に向かって先窄まりしていく前記開口部（６ｚｋ）を設けてある。前記第１部材（９５）が挿通する挿通孔（１０９ｚｋ）を前記第２部材（９４）に設けてある。前記第２部材（９４）の挿通孔（１０９ｚｋ）の内径（Ｗ１）に対して前記第１部材（９５）の外径（Ｗ２）を大きく設けることにより該第１部材（９５）と第２部材（９４）とが係止する。係止具（１ｚｋ）を、合成樹脂製としてある。
【０２０９】
上記について、解説する。第１部材（９５）は、薄板状の軟質の合成樹脂で構成してある。第２部材（９４）は、扁平なハウジングとしてあり、中空となっている。四角形状としてある。断面ロ字状としてある。前記第２部材（９４）を筒状（１９ｚｋ）としてある。差し入れ開口（１８ｚｋ）は、第１部材（９５）を導入する役目を有している。第１部材（９５）と第２部材（９４）との２ピースによって構成してある。また、前記第１部材（９５）を雄部材（５ｚｋ）として、前記第２部材（９４）を雌部材（３ｚｋ）としてある。第２部材（９４）には、第１部材（９５）を挿通できる筒状（１９ｚｋ）の挿通孔（１０９ｚｋ）を配してある。挿通孔（１０９ｚｋ）は、実施例１の収納部（２８）に該当し、同様の役割としてある。前記第２部材（９４）に前記第１部材（９５）を挿通可能に設けてある。つまり、前記雌部材（３ｚｋ）に前記雄部材（５ｚｋ）を挿通して設けてある。該雄部材（５ｚｋ）に対応して移動可能に雌部材（３ｚｋ）を配してある。また、前記袋の口を押止する押止部（１０４ｚｋ）を前記第２部材（９４）に設けてある。筒状（１９ｚｋ）に設けた前記第２部材（９４）の該筒状（１９ｚｋ）の端部を前記押止部（１０４ｚｋ）としてある。押止部（１０４ｚｋ）は、第２部材（９４）の端部に配してあり、第２部材（９４）の差し入れ第２開口（２９ｚｋ）側の端面としてある。押止部（１０４ｚｋ）は、第１部材（９５）を第２部材（９４）に差し入れた場合に、第１部材（９５）に対応するように、第１部材（９５）の先端（８９ｚｋ）側と同じ側に設けてある。また、第１部材（９５）の先端（８９ｚｋ）側の両端に第１突部（９７Ａ）（９７Ｂ）、第１部材（９５）の後端側（９３ｚｋ）の両端に第２突部（９８Ａ）（９８Ｂ）を設けてある。第１突部（９７Ａ）（９７Ｂ）と、第２突部（９８Ａ）（９８Ｂ）とは、第２部材（９４）が第１部材（９５）に差し入れられた後、第１部材（９５）と第２部材（９４）とが抜けないようにするための抜け止めとして配してある。また、第１部材（９５）の側面（９９Ａ）（９９Ｂ）間の外径寸法（Ｗ２）は、第２部材（９４）の筒状（１９ｚｋ）の内径寸法（Ｗ１）より、僅かに長くしてある。第１突部（９７Ａ）（９７Ｂ）間の外径寸法（Ｗ３）は、第１部材（９５）の側面（９９Ａ）（９９Ｂ）間の外径寸法（Ｗ２）よりも僅かに長くしてある。第２突部（９８Ａ）（９８Ｂ）間の外径寸法（Ｗ４）は、第１突部（９７Ａ）（９７Ｂ）間の外径寸法（Ｗ３）よりも長くしてある。つまり、第２部材（９４）の筒状（１９ｚｋ）の内径寸法（Ｗ１）＜第１部材（９５）の側面（９９Ａ）（９９Ｂ）間の外径寸法（Ｗ２）＜第１突部（９７Ａ）（９７Ｂ）間の外径寸法（Ｗ３）＜第２突部（９８Ａ）（９８Ｂ）間の外径寸法（Ｗ４）としてある。また、第１部材（９５）の後端側（９３ｚｋ）とは、第１部材（９５）の先端（８９ｚｋ）に設けた開口部（６ｚｋ）等を除く、容積部（４ｚｋ）および第１部材（９５）側を述べている。
【０２１０】
次に、開口部（６ｚｋ）と、袋の口（２ｚｋ）との作用、第１部材（９５）、第２部材（９４）の作用等について説明する。該開口部（６ｚｋ）は、口径を絞った該袋の口を出入する。開口したままの該開口部（６ｚｋ）を含めた容積部（４ｚｋ）は、容積部（４ｚｋ）内に挿入後の口径を拡げた該袋の口を掛止する。前記第１部材（９５）の開口部（６ｚｋ）側へ前記第２部材（９４）が押動される。つまり、該第１部材（９５）の後端側（９３ｚｋ）から第１部材（９５）の先端（８９ｚｋ）側へ前記第２部材（９４）が押動される。押動されると、前記容積部（４ｚｋ）内に挿入後の口径を拡げた袋の口が該押動された第２部材（９４）によって開口部（６ｚｋ）側へ押動される。前記開口したままの開口部（６ｚｋ）が該押動された袋の口によって覆われて塞がれる。第１部材（９５）と第２部材（９４）とが係止して、該開口部（６ｚｋ）から挿入した袋の口（２ｚｋ）が第１部材（９５）と第２部材（９４）とによって封止される。前記封止された袋の口（２ｚｋ）に対応する空間（８ｚｋ）を、前記係止した第１部材（９５）の容積部（４ｚｋ）と、前記係止した第２部材（９４）とで、設けてある。
【０２１１】
あるいは、言い換えると、次のように記すこともできる。前記第１部材（９５）の後端側（９３ｚｋ）から第１部材（９５）の先端（８９ｚｋ）側へ前記第２部材（９４）の押止部（１０４ｚｋ）が押動される。前記容積部（４ｚｋ）内に挿入後の口径を拡げた袋の口が該押動された第２部材（９４）の押止部（１０４ｚｋ）によって開口部（６ｚｋ）側へ押動される。前記開口したままの開口部（６ｚｋ）が該押動された袋の口によって覆われて塞がれる。第１部材（９５）と第２部材（９４）とが係止して、該開口部（６ｚｋ）から挿入した袋の口が第１部材（９５）の容積部（４ｚｋ）と第２部材（９４）の押止部（１０４ｚｋ）とによって封止される。前記封止された袋の口（２ｚｋ）に対応する空間（８ｚｋ）を、前記係止した第１部材（９５）の容積部（４ｚｋ）と、前記係止した第２部材（９４）の押止部（１０４ｚｋ）とで、設けてある。
【０２１２】
なお、第１部材（９５）を雄部材（５ｚｋ）、第２部材（９４）を雌部材（３ｚｋ）と言い換えると次のようになる。袋の口を封止する係止具（１ｚｋ）であって、該袋の口を収容可能な容積部（４ｚｋ）を有する雄部材（５ｚｋ）と、該雄部材（５ｚｋ）と係止する雌部材（３ｚｋ）とで構成してある。前記雄部材（５ｚｋ）の先端（８９ｚｋ）に前記開口部（６ｚｋ）を設けてある。前記雄部材（５ｚｋ）が挿通する挿通孔（１０９ｚｋ）を前記雌部材（３ｚｋ）に設けてある。前記雌部材（３ｚｋ）の挿通孔（１０９ｚｋ）の内径（Ｗ１）に対して前記雄部材（５ｚｋ）の外径（Ｗ２）を大きく設けることにより該雄部材（５ｚｋ）と雌部材（３ｚｋ）とが係止する。該開口部（６ｚｋ）は、口径を絞った該袋の口を出入する。開口したままの該開口部（６ｚｋ）を含めた容積部（４ｚｋ）は、容積部（４ｚｋ）内に挿入後の口径を拡げた該袋の口を掛止する。前記雄部材（５ｚｋ）の開口部（６ｚｋ）側へ前記雌部材（３ｚｋ）が押動される。前記容積部（４ｚｋ）内に挿入後の口径を拡げた袋の口が該押動された雌部材（３ｚｋ）によって開口部（６ｚｋ）側へ押動される。前記開口したままの開口部（６ｚｋ）が該押動された袋の口によって覆われて塞がれる。雄部材（５ｚｋ）と雌部材（３ｚｋ）とが係止して、該開口部（６ｚｋ）から挿入した袋の口（２ｚｋ）が雄部材（５ｚｋ）と雌部材（３ｚｋ）とによって封止される。前記封止された袋の口（２ｚｋ）に対応する空間（８ｚｋ）を、前記係止した雄部材（５ｚｋ）の容積部（４ｚｋ）と、前記係止した雌部材（３ｚｋ）とで、設けてある。
【０２１３】
次に、差し入れまでの作用についての詳細を一部追記する。図６６、６７にて、第２部材（９４）の差し入れ開口（１８ｚｋ）が第１部材（９５）に差し入れられる。ただし、
第１突部（９７Ａ）（９７Ｂ）間の外径寸法、第１部材（９５）の側面（９９Ａ）（９９Ｂ）間の外径寸法（Ｗ２）は、第２部材（９４）の筒状（１９ｚｋ）の内径寸法（Ｗ１）より、長くしてあるので、差し入れられる場合に、そのままでは通過することは難しい。第１部材（９５）の側面（９９Ａ）（９９Ｂ）間の外径が、第２部材（９４）の筒状（１９ｚｋ）の内径より一瞬だけ短くなるように、薄板状の軟質の合成樹脂で構成した第１部材（９５）を片手で掴んで短手方向に軽く押圧し、少しだけ湾曲させて弾性変形させる。その状態から移動させる。あるいは、差し入れられる場合に、長手方向に少し押圧して移動させる。図６７にて、そうすることにより、筒状（１９ｚｋ）の内面（１７Ａｚｋ）（１７Ｂｚｋ）は、第１突部（９７Ａ）（９７Ｂ）を乗り越えて移動される。図６８〜６９にて、さらに移動する場合も同様にして、筒状（１９ｚｋ）の内面（１７Ａｚｋ）（１７Ｂｚｋ）と第１部材（９５）の側面（９９Ａ）（９９Ｂ）とを摺接させて移動させる。また、第１部材（９５）を片手で掴んで短手方向に軽く押圧するのをやめて、少しだけ湾曲させて弾性変形させる事をやめる、あるいは、長手方向に少し押圧させる事をやめると、停止して、係止の状態を構成する。第２部材（９４）の挿通孔（１０９ｚｋ）の内径（Ｗ１）に対して第１部材（９５）の外径（Ｗ２）を大きく設けるだけで、第１部材（９５）と第２部材（９４）とが係止できるので、複雑な構造とする必要がなく、コンパクトにでき、材料費の低減が可能である、という効果がある（効果３２−１）。図６９にて、第２突部（９８Ａ）（９８Ｂ）間の外径寸法（Ｗ４）は、かなり長くしてあるので、第１部材（９５）を片手で掴んで短手方向に軽く押圧し、少しだけ湾曲させて弾性変形させる、あるいは、長手方向に少し押圧させても、第２部材（９４）が第２突部（９８Ａ）（９８Ｂ）を乗り越えることはない。また、第２突部（９８Ａ）（９８Ｂ）を取っ手としても使用可能なように、第２突部（９８Ａ）（９８Ｂ）間の外径は、第２部材（９４）の外径より長くしてある。
【０２１４】
なお、実施例３２では、第２部材（９４）に第１部材（９５）を生産者側であらかじめ差し入れて出荷するが、第２部材（９４）に第１部材（９５）を差し入れずに各々単体のままで製品として出荷して、ユーザー側で差し入れをするようにしてもよい。第１部材（９５）に対応して移動可能に第２部材（９４）を配して、第２部材（９４）に第１部材（９５）を挿通可能に設けてあり、第１部材（９５）によって、第２部材（９４）が案内されるので操作が容易となっている（効果３２−２）。
【０２１５】
次に、袋の口を挿入してから封止までの作用についての詳細を一部追記する。図６９にて、係止の状態を構成した第１部材（９５）と第２部材（９４）にて、第１部材（９５）の後端側（９３ｚｋ）に第２部材（９４）を配置してある。図中にて袋の口は図示していないが、図６９にて、拡がっている袋の口を寄せて指等で縮小させて、口径を絞って、開口部（６ｚｋ）より挿入する。通常、合成樹脂、紙など、軽微な弾力性を有する袋を使用するので、挿入した後の袋の口は、袋の弾性復帰する力により、元の大きさに近い状態などに戻ろうとして、再度、拡がる。拡がるので、開口したままの開口部（６ｚｋ）を含めた容積部（４ｚｋ）に掛止される。開口部（６ｚｋ）から袋の口が脱落して抜き出たり、はみ出したりすることはない。つまり、開口部（６ｚｋ）を備えた容積部（４ｚｋ）を設けることにより、容積部（４ｚｋ）に袋の口が挿入した後、容積部（４ｚｋ）から袋の口が脱落して抜き出たり、はみ出したりすることが少なくなる、という効果がある（効果３２−３）。図中にて袋の口は図示していないが、次に、図６８〜６９、７８にて、さらに、戻り方向（Ｍ）に、第２部材（９４）を移動させるため、第１部材（９５）を片手で掴んで短手方向に軽く押圧し、少しだけ湾曲させて弾性変形させる、あるいは、長手方向に少し押圧させて、筒状（１９ｚｋ）の内面（１７Ａｚｋ）（１７Ｂｚｋ）と第１部材（９５）の側面（９９Ａ）（９９Ｂ）とを摺接させて移動させる。該第１部材（９５）の後端側（９３ｚｋ）から該第１部材（９５）の先端（８９ｚｋ）側へ前記第２部材（９４）が押動される。前記容積部（４ｚｋ）内に挿入後の口径を拡げた袋の口が該押動された第２部材（９４）によって開口部（６ｚｋ）側へ押動される。該押動された袋の口は面積を縮小していく。結果、開口したままの開口部（６ｚｋ）の内側は、押動された袋の口によって覆われる。つまり、実質的には、押圧された袋の口によって、開口部（６ｚｋ）は閉じた状態になる。開口部（６ｚｋ）は、そのままの開口した形であるのにもかかわらず、閉口した状態と同等となる。次に、第１部材（９５）を片手で掴んで短手方向に押圧するのを解除して、湾曲させて弾性変形するのを停止する、あるいは、長手方向に押圧するのを解除すると、停止して、係止の状態を構成する。第１部材（９５）に第２部材（９４）が係止されるとほぼ同時に、袋の口（２ｚｋ）が封止される。袋の口は押圧されて圧縮されているので、ストッパーとして作用し、開口したままの開口部（６ｚｋ）から抜け出すことはない。
【０２１６】
なお、雄部材（５ｚｋ）の先端（８９ｚｋ）に設けた開口部（６ｚｋ）に袋の口を挿入後、反対側の、第１部材（９５）の後端側（９３ｚｋ）から該第１部材（９５）の先端（８９ｚｋ）側へ第２部材（９４）を押圧すれば、第１部材（９５）に第２部材（９４）が係止され、袋の口（２ｚｋ）が封止される。袋の口を挿入する方向と、袋の口を封止するために第２部材（９４）を押圧する方向と、が相対するので、かち合うことがなく、連続して操作する場合に、操作の容易性、迅速性が高まる、という効果がある（効果３２−４）。また、開口したままの開口部（６ｚｋ）を含めた容積部（４ｚｋ）は、袋の口を掛止して、かつ、袋の口を封止する役目の一部を担うので、袋の口の掛止と封止とを同一箇所で行うことができ、つまり、同一部材で兼用することが可能で、材料費の低減等ができる、という効果がある。（効果３２−５）。また、係止具（１ｚｋ）は、合成樹脂製としてあるので、第１部材（９５）を片手で掴んで短手方向に軽く押圧し、少しだけ湾曲させて弾性変形させることにより、第２部材（９４）を少しずつ移動させることができ、よって、第１部材と第２部材との係止にて、係止する位置が任意に調整できる、という効果がある。（効果３２−６）。また、第２部材（９４）の挿通孔（１０９ｚｋ）の内径（Ｗ１）に対して第１部材（９５）の外径（Ｗ２）を大きく設けているので、設けている範囲においては、第２部材（９４）を少しずつ移動させることができ、第１部材（９５）と第２部材（９４）との係止にて、係止する位置が任意に調整できる、という効果がある。（効果３２−８）。
【０２１７】
また、係止の状態を解除する場合は、第１部材（９５）の後端側（９３ｚｋ）を第２部材（９４）に対して（矢印Ｍ）に押し出すことにより解除される。そして、容積部（４ｚｋ）内に挿入された袋の口は封止の状態から解放される。次に、容積部（４ｚｋ）内に挿入された袋の口を取り出すには、袋の口を寄せ集めて縮小させて、開口部（６ｚｋ）より取り出す。あるいは、開口部（６ｚｋ）近傍の第１部材（９５）の先端（８９ｚｋ）側を互い違いに捻ることで、開口部（６ｚｋ）の隙間を大きくする。実施例１と同様に、例えば、容積部（４ｚｋ）外端（１３Ａｚｋ）を下方向に、容積部（４ｚｋ）外端（１３Ｂｚｋ）を上方向に傾斜させ、つまりは、指などで捻って、開口部（６ｚｋ）を拡げて、袋の口を取り出す。
【０２１８】
次に、実施例３３である、係止具（１ｚｎ）について記す。実施例３３は、実施例３２である、係止具（１ｚｋ）を一部変更してある。図７０〜７１にて、次のようにしてある。第２部材（９４）は、実施例３２と同一としてある。
【０２１９】
前記第１部材（９５ｚｎ）が挿通する挿通孔（１０９ｚｋ）を前記第２部材（９４）に設けてある。前記第２部材（９４）の挿通孔（１０９ｚｋ）の内径（Ｗ１）に対して前記第１部材（９５ｚｎ）の外径（Ｗ２ｚｎ）を大きく設けることにより該第１部材（９５ｚｎ）と第２部材（９４）とが係止する。前記第１部材（９５ｚｎ）に係合突起（１１２Ａｚｎ）（１１２Ｂｚｎ）を設けてある。
【０２２０】
上記について、解説する。第１部材（９５ｚｎ）は、実施例３２と同様に、薄板状の軟質の合成樹脂で構成してある。第１部材（９５ｚｎ）の先端（８９ｚｎ）側の両端の第１突部、第１部材（９５ｚｎ）の後端側の両端の第２突部も実施例３２と同一としてある。第１部材（９５ｚｎ）の側面は、先端（８９ｚｎ）側に設けた上部の側面（９９Ａｚｎ）（９９Ｂｚｎ）と、後端側に設けた下部の側面（９６Ａｚｎ）（９６Ｂｚｎ）とに分けてあり、段付きにしてある。係合突起（１１２Ａｚｎ）（１１２Ｂｚｎ）は、縦長状に設けてある。つまり、例えば、上部の側面（９９Ａｚｎ）は、縦長状のひとつの係合突起（１１２Ａｚｎ）により構成してある。上部の側面（９９Ｂｚｎ）も同様としてある。また、第１部材（９５ｚｎ）の先端（８９ｚｎ）側に設けた上部の側面（９９Ａｚｎ）（９９Ｂｚｎ）間の外径寸法（Ｗ２ｚｎ）は、実施例３２の側面（９９Ａ）（９９Ｂ）の外径寸法（Ｗ２）と同じ長さとしてある。ただし、第１部材（９５ｚｎ）の後端側に設けた下部の側面（９６Ａｚｎ）（９６Ｂｚｎ）間の外径寸法（Ｗ５）は、第２部材（９４）の筒状（１９ｚｋ）の内径寸法（Ｗ１）よりも僅かに短くしてある。つまり、第１部材（９５ｚｎ）の後端側に設けた下部の側面（９６Ａｚｎ）（９６Ｂｚｎ）間の外径寸法（Ｗ５）＜第２部材（９４）の筒状（１９ｚｋ）の内径寸法（Ｗ１）＜第１部材（９５ｚｎ）の先端（８９ｚｎ）側に設けた上部の側面（９９Ａｚｎ）（９９Ｂｚｎ）間の外径寸法（Ｗ２ｚｎ）としてある。第２部材（９４）の挿通孔（１０９ｚｋ）の内径（Ｗ１）に対して第１部材（９５ｚｎ）の外径（Ｗ２ｚｎ）を大きく設け、第１部材（９５ｚｎ）に係合突起（１１２Ａｚｎ）（１１２Ｂｚｎ）を設けるだけで、第１部材（９５ｚｎ）と第２部材（９４）とが係止できるので、複雑な構造とする必要がなく、コンパクトにでき、材料費の低減が可能である、という効果がある（効果３３−１）。
【０２２１】
また、差し入れまでの作用、袋の口を挿入してから封止までの作用については、実施例３２とほぼ同様にしてあるが、一部相違するので記載する。第１部材（９５ｚｎ）と第２部材（９４）との係止の状態の作用の一部について補足する。図７１にて、実施例３２と同様に、第１部材（９５ｚｎ）に係止される方向（方向Ｍ）に、第２部材（９４）を移動させる場合は、第１部材（９５ｚｎ）を片手で掴んで短手方向に軽く押圧し、少しだけ湾曲させて弾性変形させる、あるいは、長手方向に少し押圧させて、第１部材（９５ｚｎ）の先端（８９ｚｎ）側に設けた上部の側面（９９Ａ）（９９Ｂ）と、第２部材（９４）の内面（１７Ａｚｋ）（１７Ｂｚｋ）とを摺接させて移動させる。実施例３２と同様に、第１部材（９５ｚｎ）を片手で掴んで短手方向に押圧するのを解除して、湾曲させて弾性変形するのを停止する、あるいは、長手方向に押圧するのを解除すると、停止して、係止の状態を構成する。なお、効果については、実施例３２と同程度となっている。
【０２２２】
次に、実施例３４である、係止具（１ｚｍ）について記す。実施例３４は、実施例３３である、係止具（１ｚｎ）を一部変更してある。図７２〜７３にて、次のようにしてある。なお、図７３は、図７２の容積部（４ｚｍ）の右半分を描いた部分拡大図であり、５００％に拡大してある。第２部材（９４）は、実施例３２、３３と同一としてある。
【０２２３】
前記第１部材（９５ｚｍ）が挿通する挿通孔（１０９ｚｋ）を前記第２部材（９４）に設けてある。前記第２部材（９４）の挿通孔（１０９ｚｋ）の内径（Ｗ１）に対して前記第１部材（９５ｚｍ）の外径（Ｗ２ｚｍ）を大きく設けることにより該第１部材（９５ｚｍ）と第２部材（９４）とが係止する。前記第１部材（９５ｚｍ）に係合突起（１１２Ａｚｍ）（１１２Ｂｚｍ）を設けてある。
【０２２４】
上記について、解説する。第１部材（９５ｚｍ）は、実施例３２、３３と同様に、薄板状の軟質の合成樹脂で構成してある。第１部材（９５ｚｍ）の先端（８９ｚｍ）側の両端の第１突部、第１部材（９５ｚｍ）の後端側の両端の第２突部も実施例３２、３３と同一としてある。第１部材（９５ｚｍ）の側面は、先端（８９ｚｍ）側に設けた上部の側面（９９Ａｚｍ）（９９Ｂｚｍ）と、後端側に設けた下部の側面（９６Ａｚｍ）（９６Ｂｚｍ）とに分けてある。なお、先端（８９ｚｍ）側に設けた上部の側面（９９Ａｚｍ）（９９Ｂｚｍ）内には、突状にした突状部を例えば、（１００Ａ）（１００Ａ１）（１００Ａ２）というように間隔をおいて配置してある。例えば、係合突起（１１２Ａｚｍ）は突状部（１００Ａ）等である。同様に、係合突起（１１２Ｂｚｍ）は突状部（１００Ｂ）等である。上部の側面（９９Ａｚｍ）（９９Ｂｚｍ）の、例えば、突状部（１００Ａ）（１００Ｂ）間の外径寸法（Ｗ２ｚｍ）は、実施例３２の側面（９９Ａ）（９９Ｂ）の外径寸法（Ｗ２）、実施例３３の上部の側面（９９Ａｚｎ）（９９Ｂｚｎ）間の外径寸法（Ｗ２ｚｎ）と同じ長さとしてある。上部の側面（９９Ａｚｍ）（９９Ｂｚｍ）の、突状部（１００Ａ）（１００Ｂ）を配置していない外径寸法は、第１部材（９５ｚｍ）の後端側に設けた下部の側面（９６Ａｚｍ）（９６Ｂｚｍ）間の外径寸法（Ｗ５ｚｍ）と同じにしてあり、実施例３３の下部の側面（９６Ａｚｎ）（９６Ｂｚｎ）間の外径寸法（Ｗ５）と同じ長さとしてある。なお、効果については、実施例３２、３３と同程度となっている。
【０２２５】
次に、実施例３５である、係止具（１ｚｐ）について記す。実施例３５は、実施例３２である、係止具（１ｚｋ）を一部変更してある。図７４〜７７にて、次のようにしてある。なお、図７７は、図７５にて、図中の線Ｘ１Ｘ２をＸ３方向から見た部分断面図に袋の口を描いた図で、２５０％に拡大してある。図７６も同じようにしてある。同様に、実施例３２の図７８は、図６８にて、図中の線Ｘ４Ｘ５をＸ６方向から見た部分断面図に袋の口を描いた図で、２５０％に拡大してある。実施例３５の開口部（６ｚｐ）の導入部分の寸法（Ｗ７）を、実施例３２の図６８の開口部（６ｚｋ）の導入部分の寸法（Ｗ６）より長くしてある。実施例１の図６３の開口部（６）の最小長さ（Ｒ）に相当する実施例３５の開口部（６ｚｐ）の最小長さは、実施例３２と同一としてあるが、実施例１の図６３の開口部（６）の最大長さ（Ｖ）に相当する実施例３５の開口部（６ｚｐ）の最大長さは、実施例３２より長くしてある。また、実施例３５の図７６の第１部材（９５ｚｐ）の板厚（Ｗ８ｚｐ）は、実施例３２の図７８の第１部材（９５）の板厚（Ｗ８）と同一としてある。実施例３５の第１部材（９５ｚｐ）の板厚（Ｗ８ｚｐ）に対応する第２部材（９４ｚｐ）の内径寸法（Ｗ１０）は、実施例３２の第２部材（９４）の内径寸法（Ｗ９）より長くしてあり、図７６にて、実施例３５の第２部材（９４ｚｐ）内に挿入した第１部材（９５ｚｐ）と、該第２部材（９４ｚｐ）との間に袋の口（２ｚｐ）が挿入できるように隙間（１０２Ａｚｐ）（１０２Ｂｚｐ）は、やや大きく設けてある。
【０２２６】
図７８にて、実施例３２の第２部材（９４）の内径寸法（Ｗ９）は長く設けてないので、第２部材（９４）内に挿入した第１部材（９５）と、該第２部材（９４）との隙間（１０２Ａ）（１０２Ｂ）に袋の口（２ｚｋ）を挿入することは難しく、第１部材（９５）に第２部材（９４）が係止され、開口部（６ｚｋ）から挿入した袋の口（２ｚｋ）が封止される場合、第２部材（９４）内に袋の口（２ｚｋ）が入ってその隙間（１０２Ａ）（１０２Ｂ）に袋の口（２ｚｋ）が挟まれることはなく、第２部材（９４）の外で第１部材（９５）と第２部材（９４）とに挟まれた状態で封止される。しかし、図７６〜７７にて、実施例３５の第２部材（９４ｚｐ）の内径寸法（Ｗ１０）は長く設けてあるので、第２部材（９４ｚｐ）内に挿入した第１部材（９５ｚｐ）と、該第２部材（９４ｚｐ）との隙間（１０２Ａｚｐ）（１０２Ｂｚｐ）に袋の口（２ｚｐ）を挿入することは容易である。第１部材（９５ｚｐ）に第２部材（９４ｚｐ）が係止され、開口部（６ｚｐ）から挿入した袋の口（２ｚｐ）が封止される場合、実施例３２と同様に、最初は、第２部材（９４ｚｐ）の外で第２部材（９４ｚｐ）と第１部材（９５ｚｐ）とに挟まれた状態となる。その後、さらに、第１部材（９５ｚｐ）に係止される方向（方向Ｍ）に、第２部材（９４ｚｐ）を移動させるため、第１部材（９５ｚｐ）を片手で掴んで短手方向に軽く押圧し、少しだけ湾曲させて弾性変形させる、あるいは、長手方向に少し押圧させて、筒状の内面と第１部材（９５ｚｐ）の側面とを摺接させて移動させる。移動させると、第２部材（９４ｚｐ）内に袋の口（２ｚｐ）が入ってその隙間（１０２Ａｚｐ）（１０２Ｂｚｐ）に袋の口（２ｚｐ）が挟まれた状態で封止される。袋の口（２ｚｐ）が挟まれた状態で封止されるので、実施例３２に比較して、封止の確実性が向上する、という効果がある（効果３５−２）。次に、第１部材（９５ｚｐ）と第２部材（９４ｚｐ）との係止と、封止された袋の口（２ｚｐ）を解除する場合、袋の口（２ｚｐ）の両端（１０１Ａ）（１０１Ｂ）を手で掴んで引っ張ると、隙間（１０２Ａｚｐ）（１０２Ｂｚｐ）に挟まれている部分の袋の口（２ｚｐ）が引っ張られるので、第２部材（９４ｚｐ）に対して第１部材（９５ｚｐ）が（戻り方向Ｍ）方向に移動して、袋の口（２ｚｐ）が封止状態から解除されて、第１部材（９５ｚｐ）と第２部材（９４ｚｐ）との係止が解除される。つまり、実施例３５は、袋の口（２ｚｐ）の両端（１０１Ａ）（１０１Ｂ）を手で掴んで引っ張るだけで、袋の口（２ｚｐ）が封止状態から解除されて、第１部材（９５ｚｐ）と第２部材（９４ｚｐ）との係止が解除される、という効果がある（効果３５−１）。
【０２２７】
また、特に図示しないが、次のようにしてもよい。既に記したように実施例３２は、第１部材（９５）の側面（９９Ａ）（９９Ｂ）間の外径寸法（Ｗ２）を、第２部材（９４）の筒状（１９ｚｋ）の内径寸法（Ｗ１）より僅かに長くしてあるが、実施例３５も同様にしてある。しかし、実施例３５にて、次のようにしてもよい。第１部材の側面間の外径寸法を、第２部材の筒状の内径寸法より短くする。そして、第１部材と第２部材との係止について、第１部材内に袋の口が入って、第１部材内に挿入した第２部材と、該第１部材との隙間に袋の口が挟まれることで第１部材と第２部材とが係止される状態となるように設けてもよい。
【０２２８】
また、特に図示しないが、次のようにしてもよい。実施例３２にて、第２突部（９８Ａ）（９８Ｂ）間の外径寸法（Ｗ４）は、第１突部（９７Ａ）（９７Ｂ）間の外径寸法（Ｗ３）よりも長くしてあるが、逆にして、第１突部（９７Ａ）（９７Ｂ）間の外径寸法（Ｗ３）を、第２突部（９８Ａ）（９８Ｂ）間の外径寸法（Ｗ４）よりも長くしてもよい。その場合、第２部材（９４）が第１部材（９５）に差し入れられるが、先に記した差し入れとは逆方向からの差し入れとなる。他の実施例も同様にしてもよい。また、特に図示しないが、次のようにしてもよい。実施例３４にて、先端（８９ｚｍ）側に設けた上部の側面（９９Ａｚｍ）（９９Ｂｚｍ）内の、突状にした突状部について、片側のみの配置としてもよい。例えば、（１００Ａ）（１００Ａ１）（１００Ａ２）側のみの右半分だけの配置としてもよい。また、実施例３２〜３６にて、第１部材と第２部材との係止する力は、例えば、実施例１〜３１に比較すると小さい。実施例３２〜３６の中には、係止する力が、かなり弱いものもある。第１部材と第２部材との係止する力を抑えることで操作性が向上する、という効果がある。（効果３２−７）。
【０２２９】
次に、実施例３６である、係止具（１ｚｑ）について記す。実施例３６は、図７９〜８１にて、次のようにしてある。袋の口を封止する係止具（１ｚｑ）であって、該袋の口を収容可能な容積部（４ｚｑ）を有する第１部材（９５ｚｑ）と、該第１部材（９５ｚｑ）と係止する第２部材（９４ｚｑ）とで構成してある。該容積部（４ｚｑ）は開口部（６ｚｑ）を備えてある。前記容積部（４ｚｑ）を略Ｃ字状に設けてある。前記第１部材（９５ｚｑ）の先端（８９ｚｑ）に前記開口部（６ｚｑ）を設けてある。前記容積部（４ｚｑ）の外端から前記容積部（４ｚｑ）の内側に向かって先窄まりしていく前記開口部（６ｚｑ）を設けてある。前記第１部材（９５ｚｑ）が挿通する挿通孔（１０９ｚｑ）を前記第２部材（９４ｚｑ）に設けてある。また、特に図示していないが、実施例３４と同様に、前記第２部材（９４ｚｑ）の挿通孔（１０９ｚｑ）の内径に対して前記第１部材（９５ｚｑ）の外径を大きく設けることにより該第１部材（９５ｚｑ）と第２部材（９４ｚｑ）とが係止する。第１部材（９５ｚｑ）に係合突起（１１２Ａｚｑ）（１１２Ｂｚｑ）を設けてある。係止具（１ｚｑ）を、合成樹脂製としてある。
【０２３０】
上記について、解説する。実施例３２〜３５に比べて、実施例３６は、第１部材（９５ｚｑ）、第２部材（９４ｚｑ）ともに、より立体的に形成してある。第２部材（９４ｚｑ）は、ハウジングとしてあり、中空となっている。四角形状としてある。断面ロ字状としてある。前記第２部材（９４ｚｑ）を筒状（１９ｚｑ）としてある。差し入れ開口（１８ｚｑ）は、第１部材（９５ｚｑ）を導入する役目を有している。第２部材（９４ｚｑ）には、第１部材（９５ｚｑ）を挿通できる筒状（１９ｚｑ）の挿通孔（１０９ｚｑ）を配してある。挿通孔（１０９ｚｑ）は、実施例１の収納部（２８）に該当し、同様の役割としてある。前記第２部材（９４ｚｑ）に前記第１部材（９５ｚｑ）を挿通可能に設けてある。また、前記袋の口を押止する押止部（１０４ｚｑ）を前記第２部材（９４ｚｑ）に設けてある。筒状（１９ｚｑ）に設けた前記第２部材（９４ｚｑ）の該筒状（１９ｚｑ）の端部を前記押止部（１０４ｚｑ）としてある。また、前記第１部材（９５ｚｑ）を雄部材（５ｚｑ）として、前記第２部材（９４ｚｑ）を雌部材（３ｚｑ）としてある。また、第１部材（９５ｚｑ）の先端（８９ｚｑ）側の両端に第１突部（９７Ａｚｑ）（９７Ｂｚｑ）を設けてある。第１突部（９７Ａｚｑ）（９７Ｂｚｑ）は、表面側に配してある。第１突部（９７Ａｚｑ）（９７Ｂｚｑ）の高さは、差し入れ開口（１８ｚｑ）の縦幅（Ｗ１２）から第１部材（９５ｚｑ）の厚さ（Ｗ１１）を差し引いた分の隙間より僅かに大きい高さとしてある。第１部材（９５ｚｑ）の後端側（９３ｚｑ）の両端に第２突部（９８Ａｚｑ）（９８Ｂｚｑ）を設けてある。第２突部（９８Ａｚｑ）（９８Ｂｚｑ）間の外径寸法は、第２部材（９４ｚｑ）の筒状（１９ｚｑ）の内面（１７Ａｚｑ）（１７Ｂｚｑ）間の寸法、つまり、内径寸法よりも長くしてある。第１突部（９７Ａｚｑ）（９７Ｂｚｑ）と、第２突部（９８Ａｚｑ）（９８Ｂｚｑ）とは、第２部材（９４ｚｑ）が第１部材（９５ｚｑ）に差し入れられた後、第１部材（９５ｚｑ）と第２部材（９４ｚｑ）とが抜けないようにするための抜け止めとして配してある。また、実施例３４と同じように、側面（９９Ａｚｑ）（９９Ｂｚｑ）には、突状にした突状部（１００Ａｚｑ）等を間隔をおいて配置してある。係合突起（１１２Ａｚｑ）と、突状部（１００Ａｚｑ）とは同一のものを指している。同様に、係合突起（１１２Ｂｚｑ）は突状部（１００Ｂｚｑ）である。例えば、突状部（１００Ａｚｑ）（１００Ｂｚｑ）間の外径寸法は、第２部材（９４ｚｑ）の筒状（１９ｚｑ）の内面（１７Ａｚｑ）（１７Ｂｚｑ）間の寸法よりも僅かに長くしてある。第２部材（９４ｚｑ）の筒状（１９ｚｑ）の内面（１７Ａｚｑ）（１７Ｂｚｑ）は、突状部（１００Ａｚｑ）（１００Ｂｚｑ）に対応するように凹凸状に特には設けていないが、設けてもよい。なお、突状部（１００Ａｚｑ）（１００Ｂｚｑ）等を含めない第１部材（９５ｚｑ）の側面（９９Ａｚｑ）（９９ｚｑ）間の外径寸法は、第２部材（９４ｚｑ）の筒状（１９ｚｑ）の内面（１７Ａｚｑ）（１７Ｂｚｑ）間の寸法より、短くしてある。また、実施例３２〜３５に比べて、実施例３６は、袋の口を収容可能な容積部（４ｚｑ）内の環状、円形状に設けた空間部（１０３）を第１部材（９５ｚｑ）の後端側（９３ｚｑ）までくるように大きく設けてある。これによって、開口部（６ｚｑ）等を構成する容積部（４ｚｑ）の先端（８９ｚｑ）側が動きやすくなり、可動性が高まり、操作性が向上する、という効果がある（効果３６−１）。また、大きく設けてあるので、比較的大きい袋口がでも、容積部（４ｚｑ）内に収容できる、という効果がある（効果３６−２）。なお、実施例１の図１１中の開口部の最小長さ（Ｒ）に相当する開口部（６ｚｑ）の最小長さを少し長くしてあるので、左右から押圧されても、開口部（６ｚｑ）の端部同士が衝突したりすることはない。
【０２３１】
次に、開口部（６ｚｑ）と、袋の口との作用、第１部材（９５ｚｑ）、第２部材（９４ｚｑ）の作用等について説明する。該開口部（６ｚｑ）は、口径を絞った該袋の口を出入する。開口したままの該開口部（６ｚｑ）を含めた容積部（４ｚｑ）は、容積部（４ｚｑ）内に挿入後の口径を拡げた該袋の口を掛止する。前記第１部材（９５ｚｑ）の開口部（６ｚｑ）側へ前記第２部材（９４ｚｑ）が押動される。つまり、前記第１部材（９５ｚｑ）の後端側（９３ｚｑ）から第１部材（９５ｚｑ）の先端（８９ｚｑ）側へ前記第２部材（９４ｚｑ）が押動される。押動されると、前記容積部（４ｚｑ）内に挿入後の口径を拡げた袋の口が該押動された第２部材（９４ｚｑ）によって開口部（６ｚｑ）側へ押動される。前記開口したままの開口部（６ｚｑ）が該押動された袋の口によって覆われて塞がれる。第１部材（９５ｚｑ）と第２部材（９４ｚｑ）とが係止して、該開口部（６ｚｑ）から挿入した袋の口が第１部材（９５ｚｑ）と第２部材（９４ｚｑ）とによって封止される。前記封止された袋の口に対応する空間（８ｚｑ）を、前記係止した第１部材（９５ｚｑ）の容積部（４ｚｑ）と、前記係止した第２部材（９４ｚｑ）とで、設けてある。
【０２３２】
あるいは、言い換えると、次のように記すこともできる。前記第１部材（９５ｚｑ）の後端側（９３ｚｑ）から第１部材（９５ｚｑ）の先端（８９ｚｑ）側へ前記第２部材（９４ｚｑ）の押止部（１０４ｚｑ）が押動される。前記容積部（４ｚｑ）内に挿入後の口径を拡げた袋の口が該押動された第２部材（９４ｚｑ）の押止部（１０４ｚｑ）によって開口部（６ｚｑ）側へ押動される。前記開口したままの開口部（６ｚｑ）が該押動された袋の口によって覆われて塞がれる。第１部材（９５ｚｑ）と第２部材（９４ｚｑ）とが係止して、該開口部（６ｚｑ）から挿入した袋の口が第１部材（９５ｚｑ）の容積部（４ｚｑ）と第２部材（９４ｚｑ）の押止部（１０４ｚｑ）とによって封止される。前記封止された袋の口に対応する空間（８ｚｑ）を、前記係止した第１部材（９５ｚｑ）の容積部（４ｚｑ）と、前記係止した第２部材（９４ｚｑ）の押止部（１０４ｚｑ）とで、設けてある。
【０２３３】
次に、差し入れまでの作用についての詳細を一部追記する。図７９、８０にて、第２部材（９４ｚｑ）の差し入れ開口（１８ｚｑ）が第１部材（９５ｚｑ）に差し入れられる。ただし、先に記したように、第１突部（９７Ａｚｑ）（９７Ｂｚｑ）の高さは、差し入れ開口（１８ｚｑ）の縦幅（Ｗ１２）から第１部材（９５ｚｑ）の厚さ（Ｗ１１）を差し引いた分の隙間より僅かに大きい高さとしてあるので、差し入れられる場合に、そのままでは通過することは難しい。よって、第１部材（９５ｚｑ）を差し入れる場合に、第１部材（９５ｚｑ）の長手方向にて、第１部材（９５ｚｑ）を少し押圧することにより、筒状（１９ｚｑ）の内面（１７Ｃｚｑ）は、第１突部（９７Ａｚｑ）（９７Ｂｚｑ）に接触しながら、第１突部（９７Ａｚｑ）（９７Ｂｚｑ）を乗り越えて移動することになる。そのまま、さらに移動する場合も同様にして、筒状（１９ｚｑ）の内面（１７Ａｚｑ）（１７Ｂｚｑ）と第１部材（９５ｚｑ）の側面（９９Ａｚｑ）（９９Ｂｚｑ）とを摺接させて移動させる。図８１にて、そのままさらに移動させようとしても、第２突部（９８Ａｚｑ）（９８Ｂｚｑ）間の外径は、かなり長くしてあるので、第２部材（９４ｚｑ）が第２突部（９８Ａｚｑ）（９８Ｂｚｑ）を乗り越えることはなく停止する。
【０２３４】
次に、袋の口を挿入してから封止までの作用についての詳細を一部追記する。図８１にて、第１部材（９５ｚｑ）の後端側（９３ｚｑ）に第２部材（９４ｚｑ）を配置してある。先に記したように、突状部（１００Ａｚｑ）（１００Ｂｚｑ）を含めない第１部材（９５ｚｑ）の側面（９９Ａｚｑ）（９９Ｂｚｑ）間の外径寸法は、第２部材（９４ｚｑ）の筒状（１９ｚｑ）の内面（１７Ａｚｑ）（１７Ｂｚｑ）間の寸法より、短くしてあるので、この状態では、係止状態とはなっていない。図中にて袋の口は図示していないが、図８１にて、拡がっている袋の口を寄せて指等で縮小させて、口径を絞って、開口部（６ｚｑ）より挿入する。通常、合成樹脂、紙など、軽微な弾力性を有する袋を使用するので、挿入した後の袋の口は、袋の弾性復帰する力により、元の大きさに近い状態などに戻ろうとして、再度、拡がる。拡がるので、開口したままの開口部（６ｚｑ）を含めた容積部（４ｚｑ）に掛止される。図中にて袋の口は図示していないが、次に、図８０〜８１にて、第１部材（９５ｚｑ）に係止される方向（戻り方向Ｍ）に、第２部材（９４ｚｑ）を移動させる。該第１部材（９５ｚｑ）の後端側（９３ｚｑ）から該第１部材（９５ｚｑ）の先端（８９ｚｑ）側へ前記第２部材（９４ｚｑ）が押圧される。前記容積部（４ｚｑ）内に挿入後の口径を拡げた袋の口が該押圧された第２部材（９４ｚｑ）によって開口部（６ｚｑ）側へ押圧される。該押圧された袋の口は面積を縮小していく。さらに、第１部材（９５ｚｑ）に係止される方向（戻り方向Ｍ）に、第２部材（９４ｚｑ）を移動させるため、第１部材（９５ｚｑ）を長手方向に少し押圧させて、筒状（１９ｚｑ）の内面（１７Ａｚｑ）（１７Ｂｚｑ）と第１部材（９５ｚｑ）の突状部（１００Ａｚｑ）（１００Ｂｚｑ）とを摺接させて移動させる。長手方向にて移動すると移動した分が短手方向にて押圧される。開口部（６ｚｑ）を含む容積部（４ｚｑ）の先端（８９ｚｑ）側が短手方向にて押圧される。先に記したように、例えば、突状部（１００Ａｚｑ）（１００Ｂｚｑ）間の外径寸法は、第２部材（９４ｚｑ）の筒状（１９ｚｑ）の内面（１７Ａｚｑ）（１７Ｂｚｑ）間の寸法よりも僅かに長くしてあるだけなので、容積部（４ｚｑ）の先端（８９ｚｑ）側を手で掴んで短手方向にて押圧する必要がなく、長手方向にて移動させるだけで移動した分が短手方向にて押圧される。また、先に記したように、第２部材（９４ｚｑ）の筒状（１９ｚｑ）の内面（１７Ａｚｑ）（１７Ｂｚｑ）は、突状部（１００Ａｚｑ）（１００Ｂｚｑ）に対応するように凹凸状に特には設けていないので、長手方向の移動性も比較的よい。また、先に記したように、開口部（６ｚｑ）の最小長さを少し長くしてあるので、長手方向にて移動して短手方向にて押圧されても、開口部（６ｚｑ）の端部同士が衝突したりすることはない。移動すると、該押圧された袋の口は面積を縮小した後、結果、開口したままの開口部（６ｚｑ）の内側は、押圧された袋の口によって覆われる。つまり、実質的には、押圧された袋の口によって、開口部（６ｚｑ）は閉じた状態になる。開口部（６ｚｑ）は、そのままの開口した形であるのにもかかわらず、閉口した状態と同等となる。第１部材（９５ｚｑ）を長手方向に押圧するのを解除すると、停止して、係止の状態を構成する。第１部材（９５ｚｑ）に第２部材（９４ｚｑ）が係止されるとほぼ同時に、袋の口が封止される。袋の口は押圧されて圧縮されているので、ストッパーとして作用し、開口したままの開口部（６ｚｑ）から抜け出すことはない。
【０２３５】
また、特に図示しないが、実施例３６について、次のようにしてもよい。第１部材（９５ｚｑ）と第２部材（９４ｚｑ）との係止の手段にて、実施例３２と同様に、突状部（１００Ａｚｑ）（１００Ｂｚｑ）を含めない第１部材（９５ｚｑ）の側面（９９Ａｚｑ）（９９Ｂｚｑ）間の外径寸法を、第２部材（９４ｚｑ）の筒状（１９ｚｑ）の内面（１７Ａｚｑ）（１７Ｂｚｑ）間の寸法より、僅かに長くする。あるいは、実施例３３と同様に、第１部材（９５ｚｐ）の側面を、先端側に設けた上部の側面と、後端側に設けた下部の側面とに分けて段付きにしてもよい。また、特に図示しないが、開口部について、実施例７〜１３のように設けてもよい。実施例１３のように、すれ違うように、互い違いに配置してもよい。また、特に図示しないが、実施例３２のように、第２突部（９８Ａｚｑ）（９８Ｂｚｑ）を取っ手としても使用可能なように、第２突部（９８Ａｚｑ）（９８Ｂｚｑ）間の外径を、第２部材（９４ｚｑ）の外径より長くしてもよい。
【０２３６】
次に、実施例３７である、係止具（１ｚｒ）について記す。実施例３７は、図８２〜８３にて、次のようにしてある。なお、図８２は、図８３に対して７０％に縮小してある。袋の口を封止する係止具（１ｚｒ）であって、該袋の口を収容可能な容積部（４ｚｒ）を有する第１部材（９５ｚｒ）と、該第１部材（９５ｚｒ）と係止する第２部材（９４ｚｒ）とで構成してある。該容積部（４ｚｒ）は開口部（６ｚｒ）を備えてある。前記容積部（４ｚｒ）を略Ｃ字状に設けてある。前記第１部材（９５ｚｒ）の先端（８９ｚｒ）に前記開口部（６ｚｒ）を設けてある。前記容積部（４ｚｒ）の外端から前記容積部（４ｚｒ）の内側に向かって先窄まりしていく前記開口部（６ｚｒ）を設けてある。前記第１部材（９５ｚｒ）が挿通する挿通孔（１０９ｚｒ）を前記第２部材（９４ｚｒ）に設けてある。また、特に図示していないが、実施例３２と同様に、前記第２部材（９４ｚｒ）の挿通孔（１０９ｚｒ）の内径に対して前記第１部材（９５ｚｒ）の外径を大きく設けることにより該第１部材（９５ｚｒ）と第２部材（９４ｚｒ）とが係止する。係止具（１ｚｒ）を、合成樹脂製としてある。前記第１部材（９５ｚｒ）と前記第２部材（９４ｚｒ）とが連接した部位（１０７）を設けてある。
【０２３７】
上記について、解説する。第１部材（９５ｚｒ）、第２部材（９４ｚｒ）は、薄板状の軟質の合成樹脂で構成してある。第２部材（９４ｚｒ）は、扁平なハウジングとしてあり、中空となっている。四角形状としてある。断面ロ字状としてある。前記第２部材（９４ｚｒ）を筒状（１９ｚｒ）としてある。差し入れ開口（１８ｚｒ）は、第１部材（９５ｚｒ）を導入する役目を有している。第１部材（９５ｚｒ）と第２部材（９４ｚｒ）との２ピースを連接して、一体化して１ピースとして構成してある。また、雄部材（５ｚｒ）である第１部材（９５ｚｒ）と、雌部材（３ｚｒ）である第２部材（９４ｚｒ）とで構成してある。前記第１部材（９５ｚｒ）を雄部材（５ｚｒ）として、前記第２部材（９４ｚｒ）を雌部材（３ｚｒ）としてある。また、第２部材（９４ｚｒ）には、第１部材（９５ｚｒ）を挿通できる筒状（１９ｚｒ）の挿通孔（１０９ｚｒ）を配してある。挿通孔（１０９ｚｒ）は、実施例１の収納部（２８）に該当し、同様の役割としてある。前記第２部材（９４ｚｒ）に前記第１部材（９５ｚｒ）を挿通可能に設けてある。また、前記袋の口を押止する押止部（１０４Ａ）（１０４Ｂ）を前記第２部材（９４ｚｒ）に設けてある。筒状（１９ｚｒ）に設けた前記第２部材（９４ｚｒ）の該筒状（１９ｚｒ）の端部を前記押止部（１０４Ａ）（１０４Ｂ）としてある。中空の第２部材（９４ｚｒ）にて、押止部は、上側の押止部（１０４Ａ）、下側の押止部（１０４Ｂ）に分割して設けてある。また、第１部材（９５ｚｒ）の一端（１０５）と第２部材（９４ｚｒ）の一端（１０６）とを連接して設けてある。第１部材（９５ｚｒ）の後端（９３ｚｒ）と第２部材（９４ｚｒ）の後端（１１６）とを連接して設けてある。第１部材（９５ｚｒ）と第２部材（９４ｚｒ）とを接続する連接体（１０７）により連接してある。連接体（１０７）の幅は、第１部材（９５ｚｒ）、第２部材（９４ｚｒ）の幅と比較して幅狭に設けてある。幅狭に設けることにより、曲がりやすくなり、操作性が向上して、材料費の低減ができる、という効果がある（効果３７−１）。実施例３２のように、第１突部（９７Ａ）（９７Ｂ）、第２突部（９８Ａ）（９８Ｂ）のような抜け止めは特に配していない。第１部材（９５ｚｒ）と第２部材（９４ｚｒ）との連接により、第２突部（９８Ａ）（９８Ｂ）のような抜け止めの役目を一部担っている。つまり、第１部材（９５ｚｒ）と第２部材（９４ｚｒ）とを連接することにより、第１部材（９５ｚｒ）と第２部材（９４ｚｒ）とが分離してしまって紛失したりするということがない、という効果がある（効果３７−２）。また、実施例３２と同様に、第１部材（９５ｚｒ）の側面（９９Ａｚｒ）（９９Ｂｚｒ）間の外径寸法は、第２部材（９４ｚｒ）の筒状（１９ｚｒ）の内径寸法より、僅かに長くしてある。また、第２部材（９４ｚｒ）の後端（１１６）側の連接体（１０７）の一部に平板状の案内部（１０８）を配してある。
【０２３８】
次に、開口部（６ｚｒ）と、袋の口との作用、第１部材（９５ｚｒ）、第２部材（９４ｚｒ）の作用等について説明する。該開口部（６ｚｒ）は、口径を絞った該袋の口を出入する。開口したままの該開口部（６ｚｒ）を含めた容積部（４ｚｒ）は、容積部（４ｚｒ）内に挿入後の口径を拡げた該袋の口を掛止する。前記第１部材（９５ｚｒ）の開口部（６ｚｒ）側へ前記第２部材（９４ｚｒ）が押動される。つまり、該第１部材（９５ｚｒ）の後端側（９３ｚｒ）から第１部材（９５ｚｒ）の先端（８９ｚｒ）側へ前記第２部材（９４ｚｒ）が押動される。押動されると、前記容積部（４ｚｒ）内に挿入後の口径を拡げた袋の口が該押動された第２部材（９４ｚｒ）によって開口部（６ｚｒ）側へ押動される。前記開口したままの開口部（６ｚｒ）が該押動された袋の口によって覆われて塞がれる。第１部材（９５ｚｒ）と第２部材（９４ｚｒ）とが係止して、該開口部（６ｚｒ）から挿入した袋の口が第１部材（９５ｚｒ）と第２部材（９４ｚｒ）とによって封止される。前記封止された袋の口に対応する空間（８ｚｒ）を、前記係止した第１部材（９５ｚｒ）の容積部（４ｚｒ）と、前記係止した第２部材（９４ｚｒ）とで、設けてある。
【０２３９】
あるいは、一部を言い換えると、次のように記すこともできる。前記第１部材（９５ｚｒ）の後端側（９３ｚｒ）から第１部材（９５ｚｒ）の先端（８９ｚｒ）側へ前記第２部材（９４ｚｒ）の押止部（１０４Ａ）（１０４Ｂ）が押動される。前記容積部（４ｚｒ）内に挿入後の口径を拡げた袋の口が該押動された第２部材（９４ｚｒ）の押止部（１０４Ａ）（１０４Ｂ）によって開口部（６ｚｒ）側へ押動される。前記開口したままの開口部（６ｚｒ）が該押動された袋の口によって覆われて塞がれる。第１部材（９５ｚｒ）と第２部材（９４ｚｒ）とが係止して、該開口部（６ｚｒ）から挿入した袋の口が第１部材（９５ｚｒ）の容積部（４ｚｒ）と第２部材（９４ｚｒ）の押止部（１０４Ａ）（１０４Ｂ）とによって封止される。前記封止された袋の口に対応する空間（８ｚｒ）を、前記係止した第１部材（９５ｚｒ）の容積部（４ｚｒ）と、前記係止した第２部材（９４ｚｒ）の押止部（１０４Ａ）（１０４Ｂ）とで、設けてある。
【０２４０】
次に、差し入れまでの作用についての詳細を一部追記する。図８２、８３にて、連接体（１０７）を内側に曲げて、第１部材（９５ｚｒ）を第２部材（９４ｚｒ）に挿入しようとする。挿入しようとする場合に、第２部材（９４ｚｒ）の後端（１１６）側の連接体（１０７）に設けた案内部（１０８）に誘導されて、案内部（１０８）に沿って、第１部材（９５ｚｒ）の先端側が筒状（１９ｚｒ）の挿通孔（１０９ｚｒ）に差し入れられる。第２部材（９４ｚｒ）の差し入れ開口（１８ｚｒ）が第１部材（９５ｚｒ）に差し入れられる。つまり、案内部（１０８）に誘導されて、案内部（１０８）に沿って、筒状（１９ｚｒ）の挿通孔（１０９ｚｒ）に第１部材（９５ｚｒ）が差し入れられるので、比較的容易に差し入れることができる、という効果がある（効果３７−３）。なお、差し入れられる場合に、第１部材（９５ｚｒ）の側面（９９Ａｚｒ）（９９Ｂｚｒ）間の外径寸法は、第２部材（９４ｚｒ）の筒状（１９ｚｒ）の内径寸法より、僅かに長くしてあるので、そのままでは通過することは難しい。第１部材（９５ｚｒ）の側面（９９Ａｚｒ）（９９Ｂｚｒ）間の外径が、第２部材（９４ｚｒ）の筒状（１９ｚｒ）の内径より一瞬だけ短くなるように、薄板状の軟質の合成樹脂で構成した第１部材（９５ｚｒ）を片手で掴んで短手方向に軽く押圧し、少しだけ湾曲させて弾性変形させる。その状態から移動させる。あるいは、差し入れられる場合に、長手方向に少し押圧して移動させる。図８３にて、そうすることにより、筒状（１９ｚｒ）の内面（１７Ａｚｒ）（１７Ｂｚｒ）と第１部材（９５ｚｒ）の側面（９９Ａｚｒ）（９９Ｂｚｒ）とを摺接させて移動させる。また、第１部材（９５ｚｒ）を片手で掴んで短手方向に軽く押圧するのをやめて、少しだけ湾曲させて弾性変形させる事をやめる、あるいは、長手方向に少し押圧させる事をやめると、停止して、係止の状態を構成する。
【０２４１】
次に、袋の口を挿入してから封止までの作用についての詳細を一部追記する。図８３にて、係止の状態を構成した第１部材（９５ｚｒ）と第２部材（９４ｚｒ）にて、第１部材（９５ｚｒ）の後端側（９３ｚｒ）に第２部材（９４ｚｒ）を配置する。袋の口は図示していないが、拡がっている袋の口を寄せて指等で縮小させて、口径を絞って、開口部（６ｚｒ）より挿入する。通常、合成樹脂、紙など、軽微な弾力性を有する袋を使用するので、挿入した後の袋の口は、袋の弾性復帰する力により、元の大きさに近い状態などに戻ろうとして、再度、拡がる。拡がるので、開口したままの開口部（６ｚｒ）を含めた容積部（４ｚｒ）に掛止される。開口部（６ｚｒ）から袋の口が脱落して抜き出たり、はみ出したりすることはない。つまり、開口部（６ｚｒ）を備えた容積部（４ｚｒ）を設けることにより、容積部（４ｚｒ）に袋の口が挿入した後、容積部（４ｚｒ）から袋の口が脱落して抜き出たり、はみ出したりすることが少なくなる、という効果がある（効果３７−４）。袋の口は図示していないが、次に、さらに、方向（Ｍ）に、第２部材（９４ｚｒ）を移動させるため、第１部材（９５ｚｒ）を片手で掴んで短手方向に軽く押圧し、少しだけ湾曲させて弾性変形させる、あるいは、長手方向に少し押圧させて、筒状（１９ｚｒ）の内面（１７Ａｚｒ）（１７Ｂｚｒ）と第１部材（９５ｚｒ）の側面（９９Ａｚｒ）（９９Ｂｚｒ）とを摺接させて移動させる。該第１部材（９５ｚｒ）の後端側（９３ｚｒ）から該第１部材（９５ｚｒ）の先端（８９ｚｒ）側へ前記第２部材（９４ｚｒ）が押動される。前記容積部（４ｚｒ）内に挿入後の口径を拡げた袋の口が該押動された第２部材（９４ｚｒ）によって開口部（６ｚｒ）側へ押動される。該押動された袋の口は面積を縮小していく。結果、開口したままの開口部（６ｚｒ）の内側は、押動された袋の口によって覆われる。つまり、実質的には、押動された袋の口によって、開口部（６ｚｒ）は閉じた状態になる。開口部（６ｚｒ）は、そのままの開口した形であるのにもかかわらず、閉口した状態と同等となる。次に、第１部材（９５ｚｒ）を片手で掴んで短手方向に押圧するのを解除して、湾曲させて弾性変形するのを停止する、あるいは、長手方向に押圧するのを解除すると、停止して、係止の状態を構成する。第１部材（９５ｚｒ）に第２部材（９４ｚｒ）が係止されるとほぼ同時に、袋の口が封止される。袋の口は押圧されて圧縮されているので、ストッパーとして作用し、開口したままの開口部（６ｚｒ）から抜け出すことはない。なお、その他の効果については、実施例３２あるいは、ほかの実施例と同程度である。
【０２４２】
また、次のようにしてある。押止部（１０４Ａ）（１０４Ｂ）は、容積部（４ｚｒ）の内側の円弧に沿うように、円弧状としてある。容積部（４ｚｒ）の内側の形状と、押止部（１０４Ａ）（１０４Ｂ）の形状とを同様に設けることにより、容積部（４ｚｒ）内に挿入後の口径を拡げた袋の口が押動された第２部材（９４ｚｒ）によって開口部（６ｚｒ）側へ押動される場合に、袋の口が分散されて平均的に押圧されるので、押動が滑らかとなり、また、封止にて確実性が高まる、という効果がある（効果３７−５）。また、第１部材（９５ｚｒ）の側面（９９Ａｚｒ）（９９Ｂｚｒ）間の外径寸法は、第２部材（９４ｚｒ）の筒状（１９ｚｒ）の内径寸法より、僅かに長くしてあるので、設けている範囲においては、第２部材（９４ｚｒ）を少しずつ移動させることができ、第１部材（９５ｚｒ）と第２部材（９４ｚｒ）との係止にて、係止する位置が任意に調整できる、という効果がある。（効果３７−６）。
【０２４３】
次に、実施例３８である、係止具（１ｚｓ）について記す。実施例３８は、図６５にて、次のようにしてある。実施例３７の、前記第２部材（９４ｚｒ）に前記第１部材（９５ｚｒ）が挿通する挿通孔（１０９ｚｒ）を該第２部材（９４ｚｒ）に設け、に替えて、実施例３８は次のようにしてある。実施例３８である、係止具（１ｚｓ）は、第２部材（９４ｚｓ）が挿通する挿通孔（１０９Ａ）（１０９Ｂ）を前記第１部材（９５ｚｓ）に設けてある。また、前記第１部材（９５ｚｓ）の挿通孔（１０９Ａ）（１０９Ｂ）の内径に対して前記第２部材（９４ｚｓ）の外径を大きく設けることにより該第１部材（９５ｚｓ）と第２部材（９４ｚｓ）とが係止する。
【０２４４】
上記について、解説する。前記第１部材（９５ｚｓ）に前記第２部材（９４ｚｓ）を挿通可能に設けてある。例えば、挿通孔（１０９Ａ）は断面コ字状としてある。挿通孔（１０９Ａ）（１０９Ｂ）は、レールのような役割を果たし、第２部材（９４ｚｓ）を差し入れ口（１８ｚｓ）から挿入し、第１部材（９５ｚｓ）に沿って案内するように設けてある。一対の断面コ字状により、挿通孔（１０９Ａ）（１０９Ｂ）を構成してある。実施例３７の挿通孔（１０９ｚｒ）と、実施例３８の挿通孔（１０９Ａ）（１０９Ｂ）と、を入れ換えて設けてある。挿通孔（１０９Ａ）（１０９Ｂ）を設けることにより、第１部材（９５ｚｓ）と第２部材（９４ｚｓ）とが係止しようとする場合、第２部材（９４ｚｓ）が第１部材（９５ｚｓ）に案内されるので、挿入が容易となる、という効果がある（効果３８−１）。また、次のようにしてある。前記袋の口を押止する押止部（１０４Ａｚｓ）を前記第２部材（９４ｚｓ）に設けてある。第２部材（９４ｚｓ）は平板状としてある。平板状に設けた第２部材（９４ｚｓ）の該平板状の端部を押止部（１０４Ａｚｓ）としてある。また、第２部材（９４ｚｓ）の側面（１１０Ａｚｓ）（１１０Ｂｚｓ）間の外径寸法は、第１部材（９５ｚｓ）のレール状の内面（１１１Ａｚｓ）（１１１Ｂｚｓ）間の寸法より、僅かに長くしてある。第１部材（９５ｚｓ）の挿通孔（１０９Ａ）（１０９Ｂ）の内径に対して第２部材（９４ｚｓ）の外径を大きく設けることにより第１部材（９５ｚｓ）と第２部材（９４ｚｓ）とが係止できるので、複雑な構造とする必要がなく、コンパクトにでき、材料費の低減が可能である、という効果がある（効果３８−２）。また、第２部材（９４ｚｓ）の側面（１１０Ａｚｓ）（１１０Ｂｚｓ）間の外径寸法は、第１部材（９５ｚｓ）のレール状の内面（１１１Ａｚｓ）（１１１Ｂｚｓ）間の寸法より、僅かに長くしてあるので、設けている範囲においては、第２部材（９４ｚｓ）を少しずつ移動させることができ、第１部材（９５ｚｓ）と第２部材（９４ｚｓ）との係止にて、係止する位置が任意に調整できる、という効果がある。（効果３８−３）。なお、その他の効果については、実施例３７あるいは、ほかの実施例と同程度である。
【０２４５】
次に、実施例３９である、係止具（１ｚｘ）について記す。実施例３９は、図８４〜８８にて、次のようにしてある。容積部（４ｚｘ）は開口部（６ｚｘ）を備えており、実施例３７と同様にしてある。また、実施例３７と同様に、第１部材（９５ｚｘ）と第２部材（９４ｚｘ）とが連接した部位（１０７ｚｘ）を設けてある。また、実施例３９は、次のようにしてある。前記連接した部位（１０７ｚｘ）を曲折してある。前記連接した部位（１０７ｚｘ）をヒンジ（１２０）としてある。係止具（１ｚｘ）を、合成樹脂製としてある。
【０２４６】
上記について、解説する。第１部材（９５ｚｘ）の後端（９３ｚｘ）と第２部材（９４ｚｘ）の後端（１１６ｚｘ）とを連接して設けてある。第１部材（９５ｚｘ）と第２部材（９４ｚｘ）とを接続する連接体（１０７ｚｘ）により連接してある。前記連接した部位（１０７ｚｘ）とは連接体（１０７ｚｘ）を述べている。連接した部位（１０７ｚｘ）は、折り返し状に設けてある。連接した部位（１０７ｚｘ）は、ヒンジ構造とした帯状のヒンジ（１２０）としてあり、第１部材（９５ｚｘ）に対して第２部材（９４ｚｘ）を回動可能にしてある。該ヒンジ（１２０）は、薄肉に構成されて、第１部材（９５ｚｘ）と第２部材（９４ｚｘ）とを連結してある。ヒンジ（１２０）は、平坦な面上の中間位置で横切る折り曲げ溝を中心に折り曲げ自在にしてある。また、ヒンジ（１２０）の耐久性等を考慮して、第１部材（９５ｚｘ）および第２部材（９４ｚｘ）を含めた材料としては、ポリプロピレン、ポリエチレン、ポリアミド樹脂、ポリアセタール樹脂、熱可塑性ポリエステル樹脂等が好ましいが、他の合成樹脂でもよい。また、第２部材（９４ｚｘ）の一端に取っ手（１１８ｚｘ）を配置してある。
【０２４７】
次に、開口部（６ｚｘ）と、袋の口との作用、第１部材（９５ｚｘ）、第２部材（９４ｚｘ）の作用等について説明する。該開口部（６ｚｘ）は、口径を絞った袋の口を出入する。開口したままの該開口部（６ｚｘ）を含めた容積部（４ｚｘ）は、容積部（４ｚｘ）内に挿入後の口径を拡げた該袋の口（２ｚｘ）を掛止する。前記第１部材（９５ｚｘ）の開口部（６ｚｘ）側へ前記第２部材（９４ｚｘ）が押動される。つまり、該第１部材（９５ｚｘ）の後端側（９３ｚｘ）から第１部材（９５ｚｘ）の先端（８９ｚｘ）側へ前記第２部材（９４ｚｘ）が押動される。押動されると、前記容積部（４ｚｘ）内に挿入後の口径を拡げた袋の口（２ｚｘ）が該押動された第２部材（９４ｚｘ）によって開口部（６ｚｘ）側へ押動される。前記開口したままの開口部（６ｚｘ）が該押動された袋の口（２Ｅｚｘ）によって覆われて塞がれる。第１部材（９５ｚｘ）と第２部材（９４ｚｘ）とが係止して、該開口部（６ｚｘ）から挿入した袋の口（２Ｅｚｘ）が第１部材（９５ｚｘ）と第２部材（９４ｚｘ）とによって封止される。前記封止された袋の口（２Ｅｚｘ）に対応する空間（８ｚｘ）を、前記係止した第１部材（９５ｚｘ）の容積部（４ｚｘ）と、前記係止した第２部材（９４ｚｘ）とで、設けてある。
【０２４８】
また、前記係止を、接着により係止してある。
【０２４９】
上記について、解説する。接着成分を塗布した接着部（１１９Ａ）を第１部材（９５ｚｘ）に設けてある。接着部（１１９Ａ）は容積部（４ｚｘ）の片面側に設けてある。第１部材（９５ｚｘ）のおよそ後端側（９３ｚｘ）に接着部（１１９Ａ）を配してある。だが、特に限定する必要はなく、容積部（４ｚｘ）のいずれかの箇所に接着部（１１９Ａ）を配してもよい。また、接着成分を塗布した接着部（１１９Ｂ）を第２部材（９４ｚｘ）に設けてある。接着部（１１９Ｂ）は、第２部材（９４ｚｘ）の後端（１１６ｚｘ）側に設けてある。連接した部位（１０７ｚｘ）を間に挟んで、対称になる位置に、接着部（１１９Ａ）と接着部（１１９Ｂ）とを配してある。接着部（１１９Ａ）と接着部（１１９Ｂ）とが接着するようにしてある。
【０２５０】
次に、作用についての詳細を一部追記する。接着部（１１９Ａ）と接着部（１１９Ｂ）とが対向するように内向きに、連接した部位（１０７ｚｘ）を曲げて、第１部材（９５ｚｘ）の上に第２部材（９４ｚｘ）を重ねる。重ねようとする場合に、該帯状のヒンジ構造により、重ねる位置が固定されるので、手等で軽く押し倒すだけで、容易に重ねることができ、または、容易に重ねて係止できる、という効果がある（効果３９−１）。また、該帯状のヒンジ構造としてあるので、ヒンジ構造としていないものと比較すると、耐久性があり、繰り返しの使用が可能である、という効果がある（効果３９−２）。次に、重ねられた第１部材（９５ｚｘ）と第２部材（９４ｚｘ）とを手等で押圧すると、向き合った接着部（１１９Ａ）と接着部（１１９Ｂ）とが接着する。接着された接着部（１１９Ａ）と接着部（１１９Ｂ）とによって、係止の状態が構成される。係止して、第１部材（９５ｚｘ）と第２部材（９４ｚｘ）とによって袋の口（２Ｅｚｘ）が封止される。接着部（１１９Ａ）と接着部（１１９Ｂ）とが接着することにより、第１部材（９５ｚｘ）と第２部材（９４ｚｘ）とが離れにくくなり、封止の確実性が高まる、という効果がある（効果３９−３）。また、接着により係止できるので、材料費の低減が可能である、という効果がある（効果３９−４）。また、例えば、実施例３２の図７８にて、開口部（６ｚｋ）から挿入した袋の口（２ｚｋ）が封止される場合、第２部材（９４）内に袋の口（２ｚｋ）が入ってその隙間（１０２Ａ）（１０２Ｂ）に袋の口（２ｚｋ）が挟まれることはなく、第２部材（９４）の外で第１部材（９５）と第２部材（９４）とに挟まれた状態で封止される。しかし、実施例３９では、次のようになる。図８７〜８８にて、容積部（４ｚｘ）内に挿入後の口径を拡げた該袋の口（２ｚｘ）を掛止した第１部材（９５ｚｘ）の上に第２部材（９４ｚｘ）を重ねようとする場合に、袋の口（２ｚｘ）は、上方向から押圧されるため、第１部材（９５ｚｘ）と第２部材（９４ｚｘ）とに袋の口（２Ｅｚｘ）の一部が挟まれた状態となる。袋の口（２Ｅｚｘ）が挟まれた状態で封止されるので、封止の確実性が高まる、という効果がある（効果３９−５）。なお、接着部（１１９Ａ）は、第１部材（９５ｚｘ）の後端側（９３ｚｘ）に配してあり、接着部（１１９Ｂ）は、第２部材（９４ｚｘ）の後端（１１６ｚｘ）側に配してあるので、袋の口（２Ｅｚｘ）の一部が接着部（１１９Ａ）（１１９Ｂ）に挟まれることはない。その他の効果については、実施例３７あるいは、ほかの実施例と同程度である。
【０２５１】
また、実施例３９にて、次のようにしてもよい。接着した接着部（１１９Ａ）と接着部（１１９Ｂ）とを接着状態から解放して離してもよい。接着、非接着を複数回繰り返して使用できるように、剥離剤、再剥離性接着剤等を塗布した接着部（１１９Ａ）と接着部（１１９Ｂ）とを設けてもよい。あるいは、前記係止を、粘着により係止してもよい。また、係止の状態を解除する場合は、取っ手（１１８ｚｘ）を掴んで第２部材（９４ｚｘ）を引っ張ることにより、接着部（１１９Ａ）と接着部（１１９Ｂ）とが接着状態から解放される。
【０２５２】
また、特に図示しないが、実施例３９にて、ヒンジを次のようにしてもよい。中央に配した主ヒンジであって断面Ｌ字状の弾性の第１ヒンジと、該第１ヒンジの両側に配した第２ヒンジおよび第３ヒンジからなるヒンジ構造として、３点ヒンジ、バタフライヒンジ等にしてもよい。そして、第１部材と第２部材とを重ね合わせる位置、または、離隔させて開く位置に、勢いよく移動させるようにしてもよい。また、特に図示しないが、実施例３９にて、次のようにしてもよい。係止具を、合成樹脂製に替えて、厚紙等の紙製としてもよい。
【０２５３】
次に、実施例４０である、係止具（１ｚｖ）について記す。実施例４０は、図８９〜９０にて、次のようにしてある。実施例３９と同様に、次のようにしてある。容積部（４ｚｖ）は開口部（６ｚｖ）を備えてある。第１部材（９５ｚｖ）と第２部材（９４ｚｖ）とが連接した部位（１０７ｚｖ）を設けてある。前記連接した部位（１０７ｚｖ）を曲折してある。前記連接した部位（１０７ｚｖ）をヒンジ（１２０ｚｖ）としてある。
【０２５４】
前記第１部材（９５ｚｖ）に係合突起（１１２Ａｚｖ）（１１２Ｂｚｖ）を設けてある。前記第１部材（９５ｚｖ）に設けた係合突起（１１２Ａｚｖ）（１１２Ｂｚｖ）が係止される係止片（１１３Ａｚｖ）（１１３Ｂｚｖ）を前記第２部材（９４ｚｖ）に設けてある。また、係止片（１１３Ａｚｖ）（１１３Ｂｚｖ）を係止孔（１１７Ａｚｖ）（１１７Ｂｚｖ）と言い換えると次のようになる。前記第１部材（９５ｚｖ）に設けた係合突起（１１２Ａｚｖ）（１１２Ｂｚｖ）が係止される係止孔（１１７Ａｚｖ）（１１７Ｂｚｖ）を前記第２部材（９４ｚｖ）に設けてある。なお、係止片（１１３Ａｚｖ）（１１３Ｂｚｖ）と係止孔（１１７Ａｚｖ）（１１７Ｂｚｖ）とは同一のものを指している。
【０２５５】
上記について、解説する。係合突起（１１２Ａｚｖ）（１１２Ｂｚｖ）は、凸状、断面Ｌ字状に設けてある。係合突起（１１２Ａｚｖ）（１１２Ｂｚｖ）を第１部材（９５ｚｖ）に設けてある。係合突起（１１２Ａｚｖ）（１１２Ｂｚｖ）は容積部（４ｚｖ）の片面側に設けてある。第１部材（９５ｚｖ）のおよそ後端側（９３ｚｖ）に係合突起（１１２Ａｚｖ）（１１２Ｂｚｖ）を配してある。だが、特に限定する必要はなく、容積部（４ｚｖ）のいずれかの箇所に係合突起（１１２Ａｚｖ）（１１２Ｂｚｖ）を配してもよい。また、係合突起（１１２Ａｚｖ）（１１２Ｂｚｖ）を係止する係止片（１１３Ａｚｖ）（１１３Ｂｚｖ）を第２部材（９４ｚｖ）に設けてある。つまり、係合突起（１１２Ａｚｖ）（１１２Ｂｚｖ）を係止する係止孔（１１７Ａｚｖ）（１１７Ｂｚｖ）を第２部材（９４ｚｖ）に設けてある。係止孔（１１７Ａｚｖ）（１１７Ｂｚｖ）は、凹状、断面コ字状に設けてある。係止孔（１１７Ａｚｖ）（１１７Ｂｚｖ）は、第２部材（９４ｚｖ）の後端（１１６ｚｖ）側に設けてある。連接体（１０７ｚｖ）を間に挟んで、対称になる位置に、係合突起（１１２Ａｚｖ）（１１２Ｂｚｖ）と係止孔（１１７Ａｚｖ）（１１７Ｂｚｖ）とを配してある。係合突起（１１２Ａｚｖ）（１１２Ｂｚｖ）と係止孔（１１７Ａｚｖ）（１１７Ｂｚｖ）とは、嵌合するようにしてある。また、第２部材（９４ｚｖ）の一端に取っ手（１１８Ａｚｖ）（１１８Ｂｚｖ）を配置してある。
【０２５６】
次に、作用についての詳細を一部追記する。係合突起（１１２Ａｚｖ）（１１２Ｂｚｖ）と係止孔（１１７Ａｚｖ）（１１７Ｂｚｖ）とが対向するように内向きに、連接した部位（１０７ｚｖ）を曲げて、第１部材（９５ｚｖ）の上に第２部材（９４ｚｖ）を重ねる。重ねようとする場合に、該帯状のヒンジ構造により、重ねる位置が固定されるので、手等で軽く押し倒すだけで、容易に重ねることができ、または、容易に重ねて係止できる、という効果がある（効果４０−１）。次に、重ねられた第１部材（９５ｚｖ）と第２部材（９４ｚｖ）とを手等で押圧すると、向き合った係合突起（１１２Ａｚｖ）（１１２Ｂｚｖ）と係止孔（１１７Ａｚｖ）（１１７Ｂｚｖ）とが嵌合される。嵌合された係合突起（１１２Ａｚｖ）（１１２Ｂｚｖ）と係止孔（１１７Ａｚｖ）（１１７Ｂｚｖ）とによって、係止の状態が構成される。係止して、第１部材（９５ｚｖ）と第２部材（９４ｚｖ）とによって袋の口が封止される。また、係止の状態を解除する場合は、取っ手（１１８Ａｚｖ）（１１８Ｂｚｖ）を手等で挟んで第２部材（９４ｚｖ）を持ち上げることにより、係合突起（１１２Ａｚｖ）（１１２Ｂｚｖ）と係止孔（１１７Ａｚｖ）（１１７Ｂｚｖ）とが嵌合から解放される。なお、係合突起（１１２Ａｚｖ）（１１２Ｂｚｖ）は、第１部材（９５ｚｖ）の後端側（９３ｚｖ）に配してあり、係止孔（１１７Ａｚｖ）（１１７Ｂｚｖ）は、第２部材（９４ｚｖ）の後端（１１６ｚｖ）側に配してあるので、袋の口の一部が、係合突起（１１２Ａｚｖ）（１１２Ｂｚｖ）と係止孔（１１７Ａｚｖ）（１１７Ｂｚｖ）とに挟まれることはない。また、第１部材（９５ｚｖ）に係合突起（１１２Ａｚｖ）（１１２Ｂｚｖ）を設け、係合突起（１１２Ａｚｖ）（１１２Ｂｚｖ）が係止される係止片（１１３Ａｚｖ）（１１３Ｂｚｖ）を第２部材（９４ｚｖ）に設けてある。あるいは、係合突起（１１２Ａｚｖ）（１１２Ｂｚｖ）が係止される係止孔（１１７Ａｚｖ）（１１７Ｂｚｖ）を第２部材（９４ｚｖ）に設けてあるので、複雑な構造とする必要がなく、材料費の低減が可能である、という効果がある（効果４０−２）。その他の効果については、実施例３９あるいは、ほかの実施例と同程度である。
【０２５７】
次に、実施例４１である、係止具（１ｚｙ）について記す。実施例４１は、図９１〜９２にて、次のようにしてある。実施例４０と同様に、次のようにしてある。容積部（４ｚｙ）は開口部（６ｚｙ）を備えてある。前記容積部（４ｚｙ）を略Ｃ字状に設けてある。第１部材（９５ｚｙ）と第２部材（９４ｚｙ）とが連接した部位（１０７ｚｙ）を設けてある。前記連接した部位（１０７ｚｙ）を曲折してある。前記連接した部位（１０７ｚｙ）をヒンジ（１２０ｚｙ）としてある。
【０２５８】
上記について、解説する。容積部（４ｚｙ）は、環状、円形状に設けてある。容積部（４ｚｙ）は、上下方向にて高さを大きく設けてあり、厚みを増してある。開口部（６ｚｙ）は、容積部（４ｚｙ）の下部側から該容積部（４ｚｙ）の上部側に向かって先窄まりしていくように設けてある。つまり、実施例４０が横方向に先窄まりしていくように配したのに対して、実施例４１は縦方向に先窄まりしていくように配してある。
【０２５９】
前記第１部材（９５ｚｙ）に係合突起（１１２ｚｙ）を設けてある。前記第１部材（９５ｚｙ）に設けた係合突起（１１２ｚｙ）が係止される係止片（１１３ｚｙ）を前記第２部材（９４ｚｙ）に設けてある。また、係止片（１１３ｚｙ）を係止孔（１１７ｚｙ）と言い換えると次のようになる。前記第１部材（９５ｚｙ）に設けた係合突起（１１２ｚｙ）が係止される係止孔（１１７ｚｙ）を前記第２部材（９４ｚｙ）に設けてある。なお、係止片（１１３ｚｙ）と係止孔（１１７ｚｙ）とは同一のものを指している。
【０２６０】
上記について、解説する。係合突起（１１２ｚｙ）は、断面凸状、断面Ｌ字状に設けてある。係合突起（１１２ｚｙ）を第１部材（９５ｚｙ）に設けてある。係合突起（１１２ｚｙ）は容積部（４ｚｙ）の上面側に設けてある。係合突起（１１２ｚｙ）は、容積部（４ｚｙ）の上側の円周面全体に配してある。また、係合突起（１１２ｚｙ）を係止する係止片（１１３ｚｙ）を第２部材（９４ｚｙ）に設けてある。つまり、係合突起（１１２ｚｙ）を係止する係止孔（１１７ｚｙ）を第２部材（９４ｚｙ）に設けてある。係止孔（１１７ｚｙ）は、断面凹状、断面コ字状に設けてある。係止孔（１１７ｚｙ）は、第２部材（９４ｚｙ）の下面側に設けてある。係止孔（１１７ｚｙ）は、第２部材（９４ｚｙ）の下側の円周面全体に配してある。連接体（１０７ｚｙ）を間に挟んで、対称になる位置に、係合突起（１１２ｚｙ）と係止孔（１１７ｚｙ）とを配してある。係合突起（１１２ｚｙ）と係止孔（１１７ｚｙ）とは、嵌合するようにしてある。また、第２部材（９４ｚｙ）の一端に取っ手（１１８Ａｚｙ）（１１８Ｂｚｙ）を配置してある。また、特に図示しないが、次のようにしてもよい。第２部材（９４ｚｙ）と同様に、第１部材（９５ｚｙ）に取っ手を設けてよい。
【０２６１】
次に、作用についての詳細を一部追記する。係合突起（１１２ｚｙ）と係止孔（１１７ｚｙ）とが対向するように内向きに、連接した部位（１０７ｚｙ）を曲げて、第１部材（９５ｚｙ）の上に第２部材（９４ｚｙ）を重ねる。次に、重ねられた第１部材（９５ｚｙ）と第２部材（９４ｚｙ）とを手等で押圧すると、向き合った係合突起（１１２ｚｙ）と係止孔（１１７ｚｙ）とが嵌合される。嵌合された係合突起（１１２ｚｙ）と係止孔（１１７ｚｙ）とによって、係止の状態が構成される。係止して、第１部材（９５ｚｙ）と第２部材（９４ｚｙ）とによって袋の口が封止される。また、係止の状態を解除する場合は、取っ手（１１８Ａｚｙ）（１１８Ｂｚｙ）を手等で挟んで第２部材（９４ｚｙ）を持ち上げることにより、係合突起（１１２ｚｙ）と係止孔（１１７ｚｙ）とが嵌合から解放される。なお、容積部（４ｚｙ）内に挿入後の該袋の口の拡げた口径を手等で掴んで小さくすることによって、袋の口の一部が、係合突起（１１２ｚｙ）と係止孔（１１７ｚｙ）とに挟まれることはない。また、実施例４１は、実施例４０と比較すると、次のような効果がある。係合突起（１１２ｚｙ）および係止孔（１１７ｚｙ）は、各々円周面に配してあり、円形状にすることによって強度が向上する、という効果がある（効果４１−１）。また、係合突起（１１２ｚｙ）は、容積部（４ｚｙ）の上側の円周面全体に配してあり、係止孔（１１７ｚｙ）は、第２部材（９４ｚｙ）の下側の円周面全体に配してあり、係合突起（１１２ｚｙ）と係止孔（１１７ｚｙ）とが係止する場合の面積が大きいので、係止する力が分散される。よって、全体にかかる係止する力を一定と考えた場合に、係合突起（１１２ｚｙ）および係止孔（１１７ｚｙ）に加わる単位面積当たりの負荷が低減でき、係止する力により発生する劣化を少なくすることができる、という効果がある（効果４１−２）。また、係止の状態から解除する際にも、持ち上げた取っ手（１１８Ａｚｙ）（１１８Ｂｚｙ）の近傍から解除が開始され、解除する場合の単位面積当たりの負荷が比較的小さく容易に解除されやすい、という効果がある（効果４１−３）。その他の効果については、実施例４０あるいは、ほかの実施例と同程度である。
【０２６２】
次に、実施例４２である、係止具（１ｚｗ）について記す。実施例４２は、図９３〜９４にて、次のようにしてある。なお、図９３は、図９４に対して７０％に縮小してある。容積部（４ｚｗ）は開口部（６ｚｗ）を備えており、実施例３７と同様にしてある。また、実施例３７と同様に、第１部材（９５ｚｗ）と第２部材（９４ｚｗ）とが連接した部位（１０７ｚｗ）を設けてある。
【０２６３】
上記について、解説する。第１部材（９５ｚｗ）の後端（９３ｚｗ）と第２部材（９４ｚｗ）の後端（１１６ｚｗ）とを連接して設けてある。第１部材（９５ｚｗ）と第２部材（９４ｚｗ）とを接続する連接体（１０７ｚｗ）により連接してある。
【０２６４】
前記第２部材（９４ｚｗ）に係合突起（１１２Ａｚｗ）（１１２Ｂｚｗ）を設けてある。前記第２部材（９４ｚｗ）に設けた係合突起（１１２Ａｚｗ）（１１２Ｂｚｗ）が係止される係止孔（１１７Ａ）（１１７Ｂ）を前記第１部材（９５ｚｗ）に設けてある。
【０２６５】
上記について、解説する。凸状、キノコ状の係合突起（１１２Ａｚｗ）（１１２Ｂｚｗ）を第２部材（９４ｚｗ）に設けてある。係合突起（１１２Ａｚｗ）（１１２Ｂｚｗ）は第２部材（９４ｚｗ）の片面側に設けてある。第２部材（９４ｚｗ）のおよそ後端側（１１６ｚｗ）に係合突起（１１２Ａｚｗ）（１１２Ｂｚｗ）を配してある。だが、特に限定する必要はなく、第２部材（９４ｚｗ）のいずれかの箇所に係合突起（１１２Ａｚｗ）（１１２Ｂｚｗ）を配してもよい。また、係合突起（１１２Ａｚｗ）（１１２Ｂｚｗ）を係止する係止孔（１１７Ａ）（１１７Ｂ）を第１部材（９５ｚｗ）に設けてある。第１部材（９５ｚｗ）の一部を貫通した貫通孔として係止孔（１１７Ａ）（１１７Ｂ）を形成してある。係止孔（１１７Ａ）（１１７Ｂ）は、第１部材（９５ｚｗ）の後端（９３ｚｗ）側に設けてある。連接体（１０７ｚｗ）を間に挟んで、対称になる位置に、係合突起（１１２Ａｚｗ）（１１２Ｂｚｗ）と係止孔（１１７Ａ）（１１７Ｂ）とを配してある。係合突起（１１２Ａｚｗ）（１１２Ｂｚｗ）と係止孔（１１７Ａ）（１１７Ｂ）とは、嵌合するようにしてある。また、係合突起（１１２Ａｚｗ）（１１２Ｂｚｗ）と係止孔（１１７Ａ）（１１７Ｂ）とが嵌合する場合に位置が一致しやすいように、第１部材（９５ｚｗ）の後端側（９３ｚｗ）の両側に、第２部材（９４ｚｗ）を案内する案内部（１０８Ａｚｗ）（１０８Ｂｚｗ）を配置してある。また、第２部材（９４ｚｗ）の一端に取っ手（１１８）を配置してある。
【０２６６】
次に、開口部（６ｚｗ）と、袋の口との作用、第１部材（９５ｚｗ）、第２部材（９４ｚｗ）の作用等について説明する。該開口部（６ｚｗ）は、口径を絞った該袋の口を出入する。開口したままの該開口部（６ｚｗ）を含めた容積部（４ｚｗ）は、容積部（４ｚｗ）内に挿入後の口径を拡げた該袋の口を掛止する。前記第１部材（９５ｚｗ）の開口部（６ｚｗ）側へ前記第２部材（９４ｚｗ）が押動される。つまり、前記第１部材（９５ｚｗ）の後端側（９３ｚｗ）から第１部材（９５ｚｗ）の先端（８９ｚｗ）側へ前記第２部材（９４ｚｗ）が押動される。押動されると、前記容積部（４ｚｗ）内に挿入後の口径を拡げた袋の口が該押動された第２部材（９４ｚｗ）によって開口部（６ｚｗ）側へ押動される。前記開口したままの開口部（６ｚｗ）が該押動された袋の口によって覆われて塞がれる。第１部材（９５ｚｗ）と第２部材（９４ｚｗ）とが係止して、該開口部（６ｚｗ）から挿入した袋の口が第１部材（９５ｚｗ）と第２部材（９４ｚｗ）とによって封止される。前記封止された袋の口に対応する空間（８ｚｗ）を、前記係止した第１部材（９５ｚｗ）の容積部（４ｚｗ）と、前記係止した第２部材（９４ｚｗ）とで、設けてある。
【０２６７】
次に、作用についての詳細を一部追記する。図９３、９４にて、係合突起（１１２Ａｚｗ）（１１２Ｂｚｗ）と係止孔（１１７Ａ）（１１７Ｂ）とが対向するように内向きに、中央に位置する連接体（１０７ｚｗ）を曲げて、第１部材（９５ｚｗ）の上に第２部材（９４ｚｗ）を重ねる。重ねようとする場合に、第１部材（９５ｚｗ）の後端に設けた案内部（１０８Ａｚｗ）（１０８Ｂｚｗ）に誘導されて、第２部材（９４ｚｗ）の後端の両側が案内部（１０８Ａｚｗ）（１０８Ｂｚｗ）に嵌まるように案内される。つまり、嵌まるように案内されるので、第１部材（９５ｚｗ）の上に第２部材（９４ｚｗ）を重ねようとする場合に、容易に重ねることができる、という効果がある（効果４２−１）。次に、重ねられた第１部材（９５ｚｗ）と第２部材（９４ｚｗ）とを手等で押圧すると、向き合った係合突起（１１２Ａｚｗ）（１１２Ｂｚｗ）と係止孔（１１７Ａ）（１１７Ｂ）とが嵌合される。嵌合された係合突起（１１２Ａｚｗ）（１１２Ｂｚｗ）と係止孔（１１７Ａ）（１１７Ｂ）とによって、係止の状態が構成される。係止して、第１部材（９５ｚｗ）と第２部材（９４ｚｗ）とによって袋の口が封止される。また、係止の状態を解除する場合は、取っ手（１１８）を掴んで第２部材（９４ｚｗ）を引っ張ることにより、係合突起（１１２Ａｚｗ）（１１２Ｂｚｗ）と係止孔（１１７Ａ）（１１７Ｂ）とが嵌合から解放される。また、第２部材（９４ｚｗ）に係合突起（１１２Ａｚｗ）（１１２Ｂｚｗ）を設け、係合突起（１１２Ａｚｗ）（１１２Ｂｚｗ）が係止される係止孔（１１７Ａ）（１１７Ｂ）を第１部材（９５ｚｗ）に設けてあるので、複雑な構造とする必要がなく、材料費の低減が可能である、という効果がある（効果４２−２）。その他の効果については、実施例３７あるいは、ほかの実施例と同程度である。
【０２６８】
また、係合突起を紡錘形状にしてもよい。紡錘形状にすることによって、嵌合された係合突起と係止孔（１１７Ａ）（１１７Ｂ）とが、抜けにくくなり、封止の確実性が高まる、という効果がある（効果４２−３）。
【０２６９】
次に、実施例４３である、係止具（１ｚｔ）について記す。実施例４３は、図９５〜９７にて、次のようにしてある。容積部（４ｚｔ）は開口部（６ｚｔ）を備えており、他の実施例と同様にしてある。第１部材（９５ｚｔ）と、該第１部材（９５ｚｔ）と係止する第２部材（９４ｚｔ）とで構成してある。他の実施例と同様に、前記第２部材（９４ｚｔ）に前記第１部材（９５ｚｔ）を挿通可能に設けてある。袋の口を押止する押止部を前記第２部材（９４ｚｔ）に設けてある。また、次のようにしてある。前記第１部材（９５ｚｔ）に係合突起（１１２Ａｚｔ）（１１２Ｂｚｔ）を設けてある。
【０２７０】
挿通孔（１０９Ａｚｔ）（１０９Ｂｚｔ）と係止孔（１１７Ａｚｔ）（１１７Ｂｚｔ）とは連続して設けた１つの孔として形成してある。つまり、前記第１部材（９５ｚｔ）が挿通する挿通孔（１０９Ａｚｔ）（１０９Ｂｚｔ）を前記第２部材（９４ｚｔ）に設けてある。また、挿通孔（１０９Ａｚｔ）（１０９Ｂｚｔ）を係止孔（１１７Ａｚｔ）（１１７Ｂｚｔ）に言い換えると、次のようにも記載できる。前記第１部材（９５ｚｔ）に設けた係合突起（１１２Ａｚｔ）（１１２Ｂｚｔ）が係止される係止孔（１１７Ａｚｔ）（１１７Ｂｚｔ）を前記第２部材（９４ｚｔ）に設けてある。第２部材（９４ｚｔ）の長手方向に沿うようして長く設けてある。なお、係合突起（１１２Ａｚｔ）（１１２Ｂｚｔ）が係止するように、先端側に設けた係止孔（１１７Ａｚｔ）（１１７Ｂｚｔ）は幅狭としてある。係合突起（１１２Ａｚｔ）（１１２Ｂｚｔ）が挿通するように、後端側に設けた挿通孔（１０９Ａｚｔ）（１０９Ｂｚｔ）は幅広としてある。ここで記載してある先端側とは、第１部材（９５ｚｔ）の開口部（６ｚｔ）の先端側を述べている。また、同様に、後端側とは、第１部材（９５ｚｔ）の開口部（６ｚｔ）の後端側を述べている。
【０２７１】
次に、作用について一部を記す。図９５、９６にて、、幅広に設けた後端側の第２部材（９４ｚｔ）の挿通孔（１０９Ａｚｔ）（１０９Ｂｚｔ）に、第１部材（９５ｚｔ）の係合突起（１１２Ａｚｔ）（１１２Ｂｚｔ）を嵌め込むようにして差し入れる。そして、スライドさせるようにして押動させる。幅狭に設けた先端側の係止孔（１１７Ａｚｔ）（１１７Ｂｚｔ）に係合突起（１１２Ａｚｔ）（１１２Ｂｚｔ）を移動させると、摺動して、係合突起（１１２Ａｚｔ）と係止孔（１１７Ａｚｔ）、係合突起（１１２Ｂｚｔ）と係止孔（１１７Ｂｚｔ）とが各々係止の状態を構成する。次に、幅広に設けた後端側の挿通孔（１０９Ａｚｔ）（１０９Ｂｚｔ）に係合突起（１１２Ａｚｔ）（１１２Ｂｚｔ）を移動させる。係止孔（１１７Ａｚｔ）（１１７Ｂｚｔ）から連接している挿通孔（１０９Ａｚｔ）（１０９Ｂｚｔ）へ移動させると、挿通孔（１０９Ａｚｔ）から係合突起（１１２Ａｚｔ）、挿通孔（１０９Ｂｚｔ）から係合突起（１１２Ｂｚｔ）が係止の状態から各々解除される。なお、効果については、ほかの実施例と同程度である。
【０２７２】
また、特に図示しないが、実施例４０、４１について、次のようにしてもよい。前記第２部材に係合突起を設け、前記第２部材に設けた係合突起が係止される係止片を前記第１部材に設けてもよい。また、係止片を係止孔と言い換えて、次のようにしてもよい。前記第２部材に設けた係合突起が係止される係止孔を前記記第１部材に設けてもよい。設けることにより、複雑な構造とする必要がなく、材料費の低減が可能である、という効果がある（効果４０−３）（効果４１−４）。また、同様に、特に図示しないが、実施例４２について、次のようにしてもよい。前記第１部材に係合突起を設けてもよい。前記第１部材に設けた係合突起が係止される係止孔を前記第２部材に設けてもよい。実施例３３について、前記第１部材に係合突起を設け、に替えて、前記第２部材に係合突起を設け、としてもよい。同様に、実施例３４について、前記第１部材に係合突起を設け、に替えて、前記第２部材に係合突起を設け、としてもよい。また、他の実施例についても同様にしてもよい。
【０２７３】
次に、実施例４４である、係止具（１ｚｕ）について記す。実施例４４は、図９８にて、次のようにしてある。実施例４４は、容積部（４ｚｕ）は開口部（６ｚｕ）を備えており、他の実施例と同様にしてある。また、実施例３７と同様に、第１部材（９５ｚｕ）と、該第１部材（９５ｚｕ）と係止する第２部材（９４ｚｕ）とで構成し、前記第１部材（９５ｚｕ）が挿通する挿通孔（１０９ｚｕ）を前記第２部材（９４ｚｕ）に設けてある。また、特に図示していないが、同様に、前記第２部材（９４ｚｕ）の挿通孔（１０９ｚｕ）の内径に対して前記第１部材（９５ｚｕ）の外径を大きく設けることにより該第１部材（９５ｚｕ）と第２部材（９４ｚｕ）とが係止する。係止具（１ｚｕ）を、合成樹脂製としてある。前記第１部材（９５ｚｕ）と前記第２部材（９４ｚｕ）とが連接した部位（１０７ｚｕ）を設けてある。前記連接した部位（１０７ｚｕ）を曲折してある。
【０２７４】
上記について、解説する。第１部材（９５ｚｕ）と第２部材（９４ｚｕ）とを接続する連接体（１０７ｚｕ）により連接してある。前記連接した部位（１０７ｚｕ）は、一定の間隔を各々設けて数箇所を折り曲げてある。連接した部位（１０７ｚｕ）は、第１部材（９５ｚｕ）と同様に薄板状の合成樹脂で構成してある。およそ上方の後ろ斜め方向から下方へ向けて、連接した部位（１０７ｚｕ）を押圧すると、第１部材（９５ｚｕ）の先端側へ第１部材（９５ｚｕ）が押動される。また、およそ上方の前斜め方向から下方へ向けて、連接した部位（１０７ｚｕ）を押圧すると、第１部材（９５ｚｕ）の後端側へ第１部材（９５ｚｕ）が押動される。連接した部位（１０７ｚｕ）を、片手で軽く押圧し、上下方向に少しだけ湾曲させて弾性変形させると、第１部材（９５ｚｕ）が各々の方向へ移動する。つまり、前記連接した部位（１０７ｚｕ）を曲折することにより、第２部材（９４ｚｕ）に対しての第１部材（９５ｚｕ）の移動を片手で操作することができ、また、軽く押圧することにより、第１部材（９５ｚｕ）が各々の方向へ移動できる、という効果がある（効果４４−１）。少し言い換えると、第１部材（９５ｚｕ）に対しての第２部材（９４ｚｕ）の移動を片手で操作することができ、また、軽く押圧することにより、第２部材（９４ｚｕ）が各々の方向へ移動できる、とも記すことができる。なお、その他の効果については、実施例３７あるいは、ほかの実施例と同程度である。
【０２７５】
次に、実施例４５である、係止具（１ａａ）について記す。実施例４５は、図９９にて、次のようにしてある。実施例３８の、前記第２部材（９４ｚｓ）が挿通する挿通孔（１０９Ａ）（１０９Ｂ）を前記第１部材（９５ｚｓ）に設け、に替えて、実施例４５は、次のようにしてある。実施例４５である、係止具（１ａａ）は、第２部材（９４ｚｓ）が挿通する挿通孔（１０９ａａ）を第１部材（９５ａａ）に設けてある。なお、効果については、実施例３８あるいは、ほかの実施例と同程度である。
【０２７６】
また、特に図示しないが、実施例４４、４５にて、次のようにしてもよい。実施例３１のように、第１部材の容積部の中間付近の側面側に開口部を設けてもよい。他の実施例でも同様にしてもよい。
【０２７７】
なお、これより、以下について、引き続き、先の出願に基づく優先権主張により当該出願を行う。先の出願の明細書における、背景技術、発明が解決しようとする課題、発明を実施するための最良の形態、図面の簡単な説明、図面の各項については、補足分、あるいは、誤字、脱字による一部訂正を除き、原文はそのまま残して記載しておく。また、以下に記載する内容の文章と先の出願の内容の文章とが、一部重複する部分もあるがそのまま記載する。これより、以下について、発明を実施するための最良の形態の項についての補足を行う。
【０２７８】
次に、実施例４６である、係止具（１ｂｂ）について記す。実施例４６は、第１部材（９５ｂｂ）と、第２部材（９４ｂｂ）と、で構成してある。第１部材（９５ｂｂ）は、袋の口を収容可能な容積部（４ｂｂ）を有している。実施例４６の図１００は、実施例３５の図７６、７７と同様、としてあり、寸法、形状等も同じにしてある。ただし、実施例４６は、実施例３５である、係止具（１ｚｐ）を次のように一部変更してある。実施例３５である、係止具（１ｚｐ）については、図７４にて、前記第２部材（９４ｚｐ）の挿通孔（１０９ｚｐ）の内径（Ｗ１）に対して前記第１部材（９５ｚｐ）の外径（Ｗ２）を大きく設けることにより該第１部材（９５ｚｐ）と第２部材（９４ｚｐ）とが係止する、ように設けてある。しかし、実施例４６については、特に図示しないが、前記第２部材（９４ｂｂ）の挿通孔（１０９ｂｂ）の内径（Ｗ１ｂｂ）に対して前記第１部材（９５ｂｂ）の外径（Ｗ２）を小さく設けてある。つまり、逆に言い換えると、前記第１部材（９５ｂｂ）の外径（Ｗ２）は、そのままとして、前記第２部材（９４ｂｂ）の挿通孔（１０９ｂｂ）の内径（Ｗ１ｂｂ）を大きく設けてある。また、図１００にて、実施例３５と同様に、実施例４６の第１部材（９５ｂｂ）の板厚（Ｗ８ｂｂ）に対応する第２部材（９４ｂｂ）の内径寸法（Ｗ１０）は、図７８にて、実施例３２の第２部材（９４）の内径寸法（Ｗ９）より長く設けてあり、実施例４６の第２部材（９４ｂｂ）内に挿入した第１部材（９５ｂｂ）と、該第２部材（９４ｂｂ）との間に袋の口（２ｂｂ）が挿入できるように隙間（１０２Ａｂｂ）（１０２Ｂｂｂ）は、大きく設けてある。大きく設けてあるので、第２部材（９４ｂｂ）内に挿入した第１部材（９５ｂｂ）と、該第２部材（９４ｂｂ）との隙間（１０２Ａｂｂ）（１０２Ｂｂｂ）に袋の口（２ｂｂ）を挿入することは容易である。そのほかについては、実施例３５と同様にしてとある。
【０２７９】
袋の口（２ｂｂ）、第１部材（９５ｂｂ）、第２部材（９４ｂｂ）の作用等について、一部説明する。開口したままの該開口部（６ｂｂ）を含めた容積部（４ｂｂ）は、容積部（４ｂｂ）内に挿入後の口径を拡げた該袋の口を掛止する。次に、方向（Ｍ）に、第２部材（９４ｂｂ）を移動させる。移動させる場合、第１部材（９５ｂｂ）の外径（Ｗ２）より、第２部材（９４ｂｂ）の挿通孔（１０９ｂｂ）の内径（Ｗ１ｂｂ）を大きく設けてあるので、実施例３２（あるいは、実施例３５）のように、第１部材（９５）と第２部材（９４）とが、そのままの状態では係止することはなく、第１部材（９５）を片手で掴んで短手方向に軽く押圧し、少しだけ湾曲させて弾性変形させる、あるいは、長手方向に少し押圧させて、筒状（１９ｚｋ）の内面（１７Ａｚｋ）（１７Ｂｚｋ）と第１部材（９５）の側面（９９Ａ）（９９Ｂ）とを摺接させて移動させる必要はない。よって、この場合の移動が容易になり、負荷も小さく、操作性が向上する、という効果がある（効果４６−１）。また、実施例３２（あるいは、実施例３５）のように、第１部材（９５）と第２部材（９４）とが、そのままの状態では係止する構成とはしていないので、筒状（１９ｚｋ）の内面（１７Ａｚｋ）（１７Ｂｚｋ）と第１部材（９５）の側面（９９Ａ）（９９Ｂ）とを摺接させるように寸法、形状等を設定する必要がなく、製造が比較的容易である、という効果がある（効果４６−２）。引き続き、（方向Ｍ）に、第２部材（９４ｂｂ）を移動させる。第１部材（９５ｂｂ）の開口部（６ｂｂ）側へ第２部材（９４ｂｂ）が押動される。つまり、該第１部材（９５ｂｂ）の後端側から第１部材（９５ｂｂ）の先端側へ前記第２部材（９４ｂｂ）が押動される。押動されると、容積部（４ｂｂ）内に挿入後の口径を拡げた袋の口が該押動された第２部材（９４ｂｂ）によって開口部（６ｂｂ）側へ押動される。前記開口したままの開口部（６ｂｂ）が該押動された袋の口（２ｂｂ）によって覆われて塞がれる。実施例３５と同様に、第２部材（９４ｂｂ）と第１部材（９５ｂｂ）とに、第２部材（９４ｂｂ）の外で袋の口（２ｂｂ）が挟まれた状態となる。さらに、移動させると、第２部材（９４ｂｂ）内に袋の口（２ｂｂ）が入ってその隙間（１０２Ａｂｂ）（１０２Ｂｂｂ）に袋の口（２ｂｂ）が挟まれた状態が構成される。つまり、第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれることによって該第１部材（９５ｂｂ）と第２部材（９４ｂｂ）とが係止する、係止する状態が構成される。具体的には、開口部（６ｂｂ）の周辺である該容積部（４ｂｂ）の先端側と、挿通孔（１０９ｂｂ）内の端部との間に、袋の口（２ｂｂ）は挟まれる。開口したままの開口部（６ｂｂ）が押動された袋の口（２ｂｂ）によって覆われて塞がれ、該押動された袋の口（２ｂｂ）が挟まれることによって該第１部材（９５ｂｂ）と第２部材（９４ｂｂ）とが係止する。また、実施例３５と同様に、挟まれるので封止される。係止と封止がほぼ同時に実施される。袋の口（２ｂｂ）が挟まれた状態で封止されるので、実施例３２に比較して、封止の確実性が向上する、という効果がある（効果４６−３）。また、第１部材（９５ｂｂ）と第２部材（９４ｂｂ）との係止の解除、および、封止された袋の口（２ｂｂ）を解除する場合は、実施例３５と同様に、袋の口（２ｂｂ）の両端（１０１Ａｂｂ）（１０１Ｂｂｂ）を手で掴んで引っ張ると、隙間（１０２Ａｂｂ）（１０２Ｂｂｂ）に挟まれている部分の袋の口（２ｂｂ）が引っ張られるので、第２部材（９４ｂｂ）に対して第１部材（９５ｂｂ）が（戻り方向Ｍ）方向に移動して、袋の口（２ｂｂ）が封止状態から解除されて、同時に、第１部材（９５ｂｂ）と第２部材（９４ｂｂ）との係止が解除される。つまり、袋の口（２ｂｂ）の両端（１０１Ａｂｂ）（１０１Ｂｂｂ）を手で掴んで引っ張るだけで、袋の口（２ｂｂ）が封止状態から解除されて、同時に、第１部材（９５ｂｂ）と第２部材（９４ｂｂ）との係止が解除される。なお、この場合、筒状の内面と第１部材（９５ｂｂ）の側面とを摺接するように設けていないので、実施例３５に比較して、引っ張る力が小さくて済む、という効果がある（効果４６−４）。
【０２８０】
また、第２部材（９４ｂｂ）は合成樹脂等で加工されているので、外的圧力等により、選択する材質によっては、隙間（１０２Ａｂｂ）（１０２Ｂｂｂ）の形状が一時的に変形可能である。よって、第２部材（９４ｂｂ）の挿通孔（１０９ｂｂ）と、第２部材（９４ｂｂ）の挿通孔（１０９ｂｂ）内に挿入した第１部材（９５ｂｂ）との間に、前記開口部（６ｂｂ）から挿入した袋の口（２ｂｂ）が挟まれる場合、袋の口（２ｂｂ）の大きさ、材質、幅等により、第２部材（９４ｂｂ）側等に、一時的に、たわみなどを発生させることも可能である。たわみなどが発生することによって、袋の口（２ｂｂ）の大きさ、材質、幅等を取扱える範囲が拡がる可能性がある、という効果がある（効果４６−５）。また、第１部材（９５ｂｂ）と第２部材（９４ｂｂ）とで構築される関係によっては、挟まれる袋の口（２ｂｂ）を押圧する力は適度な負荷を生じて、係止の確実性を向上させ、かつ、封止の確実性を向上させる、という効果がある（効果４６−６）。なお、特に図示していないが、実施例４６について、他の実施例と同様に、前記第１部材（９５ｂｂ）と前記第２部材（９４ｂｂ）とが連接した部位を設け、該連接した部位を曲折して設けてもよい。
【０２８１】
次に、実施例４７である、係止具（１ｃｃ）について、図１０１〜１０３にて記す。図１０２は、第２部材（９４ｃｃ）の挿通孔（１０９ｃｃ）の正面図、図１０３は、およそ２５０パーセントに拡大した、第１部材（９５ｃｃ）の先端側から見た、第２部材（９４ｃｃ）の挿通孔（１０９ｃｃ）の横からの図である。実施例４７の図１０１は、実施例４４の図９８と同様、としてあり、寸法、形状等も同程度にしてある。ただし、実施例４７は、実施例４４を次のように一部変更してある。実施例４６と同様に次のようにしてある。実施例４４については、前記第２部材（９４ｚｕ）の挿通孔（１０９ｚｕ）の内径に対して前記第１部材（９５ｚｕ）の外径を大きく設けることにより該第１部材（９５ｚｕ）と第２部材（９４ｚｕ）とが係止する、ように設けてある。しかし、実施例４７については、前記第２部材（９４ｃｃ）の挿通孔（１０９ｃｃ）の内径（Ｗ１ｃｃ）に対して前記第１部材（９５ｃｃ）の外径（Ｗ２ｃｃ）を小さく設けてある。つまり、逆に言い換えると、前記第１部材（９５ｃｃ）の外径（Ｗ２ｃｃ）は、そのままとして、前記第２部材（９４ｃｃ）の挿通孔（１０９ｃｃ）の内径（Ｗ１ｃｃ）を大きく設けてある。また、特に図示しないが、実施例４６と同様に、実施例４７の第１部材（９５ｃｃ）の板厚（Ｗ８ｃｃ）に対応する第２部材（９４ｃｃ）の内径寸法（Ｗ１０ｃｃ）は長く設けてあり、実施例４７の第２部材（９４ｃｃ）内に挿入した第１部材（９５ｃｃ）と、該第２部材（９４ｃｃ）との間に袋の口（２ｃｃ）が挿入できるように隙間（１０２Ａｃｃ）（１０２Ｂｃｃ）は、大きく設けてある。大きく設けてあるので、第２部材（９４ｃｃ）内に挿入した第１部材（９５ｃｃ）と、該第２部材（９４ｃｃ）との隙間（１０２Ａｃｃ）（１０２Ｂｃｃ）に袋の口を挿入することは容易である。
【０２８２】
また、実施例４７は、実施例４４を次のように一部変更してある。前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。一部、言い換えると次のようになる。前記第２部材（９４ｃｃ）の挿通孔（１０９ｃｃ）内に挿入した前記第１部材（９５ｃｃ）の容積部（４ｃｃ）上方（１２１）に対応する該第２部材（９４ｃｃ）の挿通孔（１０９ｃｃ）の一端（１２２）を切り込んで（１２４）ある。または、前記第２部材（９４ｃｃ）の挿通孔（１０９ｃｃ）内に挿入した前記第１部材（９５ｃｃ）の容積部（４ｃｃ）上方（１２１）の該第２部材（９４ｃｃ）の挿通孔（１０９ｃｃ）の一端（１２２）を切り込んで（１２４）ある。挿通孔（１０９ｃｃ）の上面（１２３）を切り込んである。挿通孔（１０９ｃｃ）の一端（１２２）を切り込んで（１２４）貫通してある。例えば、縦寸法１８０ｍｍ、横寸法１８０ｍｍ、厚み０．０２ｍｍの市販の袋を使用する場合、図１０２にて、切り込んだ幅（Ｙ１）は３ｍｍとしてある。また、袋の口の挿入が容易なように、切り込んである入り口も広く設けてある。次に、袋の口、第１部材（９５ｃｃ）、第２部材（９４ｃｃ）の作用等について一部説明する。開口したままの該開口部（６ｃｃ）を含めた容積部（４ｃｃ）は、容積部（４ｃｃ）内に挿入後の口径を拡げた該袋の口を掛止する。前記第１部材（９５ｃｃ）の開口部（６ｃｃ）側へ前記第２部材（９４ｃｃ）が押動される。つまり、該第１部材（９５ｃｃ）の後端側から第１部材（９５ｃｃ）の先端側へ前記第２部材（９４ｃｃ）が押動される。押動されると、前記容積部（４ｃｃ）内に挿入後の口径を拡げた袋の口が該押動された第２部材（９４ｃｃ）によって開口部（６ｃｃ）側へ押動される。前記開口したままの開口部（６ｃｃ）が該押動された袋の口によって覆われて塞がれる。さらに、移動させると、第２部材（９４ｃｃ）の挿通孔（１０９ｃｃ）の一端（１２２）を切り込んで（１２４）ある箇所に袋の口が入り込んでいく。前記寸法の市販の袋に対して、切り込んだ幅（Ｙ１）を対応するように設けてあるので、入り込みは比較的容易であり、動作はスムーズである。この場合、容積部（４ｃｃ）上方（１２１）と、挿通孔（１０９ｃｃ）の上面（１２３）との間に袋の口が挟まったりすることはない。しかし、容積部（４ｃｃ）上方（１２１）と、挿通孔（１０９ｃｃ）の上面（１２３）との間に袋の口が挟まっても、挟まることにより係止されるので、特に問題はなく、逆に、係止される、という効果がある（効果４７−１）。挿通孔（１０９ｃｃ）の上面（１２３）側については、入り込んだ袋の口の弾性力等によって、切り込んで（１２４）ある箇所が袋の口に押圧され、切り込んで（１２４）ある箇所と袋の口が係止する。つまり、挿通孔（１０９ｃｃ）の上面（１２３）側については、第２部材（９４ｃｃ）の挿通孔（１０９ｃｃ）と、該第２部材（９４ｃｃ）の挿通孔（１０９ｃｃ）内に挿入した第１部材（９５ｃｃ）の容積部（４ｃｃ）との間に、前記開口部（６ｃｃ）から挿入した袋の口が挟まれることによって該第１部材（９５ｃｃ）と第２部材（９４ｃｃ）とが係止する、係止する状態が構成される。袋の口が挟まれることによって該第１部材（９５ｃｃ）と第２部材（９４ｃｃ）とが係止する、という効果がある（効果４７−２）。また、切り込むことにより、成型加工の方法によっては、挿通孔（１０９ｃｃ）を形成時に生じる溶着、融着、接着等の加工の手間が低減する、という効果がある（効果４７−３）。また、特に図示しないが、他の実施例についても、同様に切り込んでもよい。
【０２８３】
また、実施例４７は次のようにしてある。図１０３において、第１部材（９５ｃｃ）の先端側にて、第２部材（９４ｃｃ）の側面の高さ寸法（Ｚ１）（Ｚ１ｃｃ）に対して、中央部の高さ寸法（Ｚ２）（Ｚ２ｃｃ）を小さく設けてある。これにより、第１部材（９５ｃｃ）と第２部材（９４ｃｃ）とが接触して、第１部材（９５ｃｃ）が第２部材（９４ｃｃ）に押圧されるので、第１部材（９５ｃｃ）と第２部材（９４ｃｃ）との係止する力が向上する、という効果がある（効果４７−４）。また、特に図示しないが、実施例４７を次のようにしてもよい。前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある、に代えて、前記第２部材（９４ｃｃ）の挿通孔（１０９ｃｃ）内に挿入した前記第１部材（９５ｃｃ）の容積部（４ｃｃ）下方に位置する該第２部材（９４ｃｃ）の挿通孔（１０９ｃｃ）の一端を切り込んでもよい。挿通孔（１０９ｃｃ）の下面を切り込んでもよい。また、特に図示しないが、実施例４７を次のようにしてもよい。切り込んだ幅（Ｙ１）３ｍｍを、例えば、０．５ｍｍとしてもよい。この場合、該第１部材（９５ｃｃ）の後端側から第１部材（９５ｃｃ）の先端側へ前記第２部材が押動され、押動されると、前記容積部（４ｃｃ）内に挿入後の口径を拡げた袋の口が該押動された第２部材によって開口部（６ｃｃ）側へ押動され、前記開口したままの開口部（６ｃｃ）が該押動された袋の口によって覆われて塞がれ、さらに、移動させても、第２部材の挿通孔の一端を切り込んである箇所に袋の口が入り込んでいくことはない。しかし、実施例４６でも記したように、移動させると、第２部材内に袋の口が入ってその隙間（１０２Ａｃｃ）（１０２Ｂｃｃ）に袋の口が挟まれた状態が構成され、挟まれることによって該第１部材（９５ｃｃ）と第２部材とが係止する。よって、係止の状態は構成される。
【０２８４】
次に、実施例４８である、係止具（１ｄｄ）について、図１０４〜１０５にて記す。実施例４８の図１０４は、実施例４７の図１０２と同様、としてあり、寸法、形状等も同程度にしてある。ただし、実施例４８は、実施例４７を次のように一部変更してある。前記第２部材（９４ｄｄ）の挿通孔（１０９ｄｄ）内に挿入した前記第１部材（９５ｄｄ）の容積部（４ｄｄ）上方に位置する該第２部材（９４ｄｄ）の挿通孔（１０９ｄｄ）の一端（１２２ｄｄ）を切り込んで（１２４ｄｄ）ある。一部を切り込んで（１２４ｄｄ）ある。挿通孔（１０９ｄｄ）の上面（１２３ｄｄ）を一部切り込んである。また、実施例４８は次のようにしてある。実施例４８の図１０５は、実施例４７の図１０３と同様、としてあり、寸法、形状等も同程度にしてある。ただし、実施例４８は、実施例４７を次のように一部変更してある。第２部材（９４ｄｄ）の下面にて、側面側に対して、中央部を内側に折り込んである。側面の高さ寸法（Ｚ３）（Ｚ３ｄｄ）に対して、中央部の高さ寸法（Ｚ４）を小さく設けてある。これにより、第１部材（９５ｄｄ）と第２部材（９４ｄｄ）とが接触して、第１部材（９５ｄｄ）が第２部材（９４ｄｄ）に押圧されるので、第１部材（９５ｄｄ）と第２部材（９４ｄｄ）との係止する力が向上する、という効果がある（効果４８−１）。
【０２８５】
次に、実施例１である、係止具（１）について補足する。既に記したように次のようにしてある。該容積部（４）の外端（１３Ａ）（１３Ｂ）から該容積部（４）の内側に向かって先窄まりしていく開口部（６）を該容積部（４）に備えてあるので、容積部（４）に袋の口（２Ｂ）が挿入した後、容積部（４）から袋の口（２Ｂ）が脱落して抜き出たり、はみ出したりしづらい。よって、先窄まりしていくように設けてある開口部（６）が、ストッパーして働き、該袋の口（２）は引っ掛かって止まり、開口部（６）を含めた容積部（４）内から、抜け出したり、落下したりせず、開口部（６）は、そのままの開口した形であるのにもかかわらず、袋の口（２）は、開口したままの開口部（６）から抜け出すことはなく、容積部（４）内に挿入後の口径を拡げた該袋の口（２Ｂ）を掛止する、という効果がある（効果１−補１）。
【図面の簡単な説明】
【０２８６】
【図１】実施例１の概要図。
【図２】実施例１の概要図。
【図３】実施例１の拡大斜視図。
【図４】実施例１の拡大斜視図。
【図５】実施例１の動作説明図。
【図６】実施例１の動作説明図。
【図７】実施例１の動作説明図。
【図８】実施例１の動作説明図。
【図９】実施例１の動作説明図。
【図１０】実施例１の動作説明図。
【図１１】実施例１の部分正面図。
【図１２】実施例１の部分正面図。
【図１３】実施例１の部分正面図。
【図１４】実施例１の部分正面図。
【図１５】実施例１の部分拡大斜視図。
【図１６】実施例２の拡大斜視図。
【図１７】実施例２の拡大斜視図。
【図１８】実施例２の部分正面図。
【図１９】実施例２の部分正面図。
【図２０】実施例２の正面図。
【図２１】実施例２の正面図。
【図２２】実施例３の正面図。
【図２３】実施例３の正面図。
【図２４】実施例４の正面図。
【図２５】実施例４の部分正面図。
【図２６】実施例４の部分正面図。
【図２７】実施例６の正面図。
【図２８】実施例５の正面図。
【図２９】実施例５の正面図。
【図３０】実施例６の正面図。
【図３１】実施例７の部分正面図。
【図３２】実施例８の部分正面図等。
【図３３】実施例１０の部分正面図。
【図３４】実施例９の部分正面図等。
【図３５】実施例１１の部分正面図。
【図３６】実施例１２の部分正面図。
【図３７】実施例１３の部分正面図。
【図３８】実施例１４の部分正面図。
【図３９】実施例１５の部分正面図。
【図４０】実施例１６の部分正面図。
【図４１】実施例１７の部分正面図。
【図４２】実施例３０の正面図。
【図４３】実施例１８の正面図。
【図４４】実施例１８の正面図。
【図４５】実施例１９の正面図。
【図４６】実施例１９の正面図。
【図４７】実施例２０の正面図。
【図４８】実施例２０の正面図。
【図４９】実施例２１の正面図。
【図５０】実施例２１の正面図。
【図５１】実施例２２の正面図。
【図５２】実施例２２の正面図。
【図５３】実施例２３の部分正面図。
【図５４】実施例２４の部分正面図。
【図５５】実施例２５の部分正面図。
【図５６】実施例２５の部分正面図。
【図５７】実施例２６の正面図。
【図５８】実施例２６の正面図。
【図５９】実施例２７の正面図。
【図６０】実施例２７の正面図。
【図６１】実施例２８の正面図。
【図６２】実施例２９の正面図。
【図６３】実施例１の部分拡大図
【図６４】実施例３１の部分正面図。
【図６５】実施例３８の斜視図。
【図６６】実施例３２の正面図。
【図６７】実施例３２の動作説明図。
【図６８】実施例３２の動作説明図。
【図６９】実施例３２の動作説明図。
【図７０】実施例３３の正面図。
【図７１】実施例３３の動作説明図。
【図７２】実施例３４の正面図。
【図７３】実施例３４の部分拡大図
【図７４】実施例３５の正面図。
【図７５】実施例３５の動作説明図。
【図７６】実施例３５の部分拡大断面図。
【図７７】実施例３５の部分拡大断面図。
【図７８】実施例３２の部分拡大断面図。
【図７９】実施例３６の拡大斜視図。
【図８０】実施例３６の拡大斜視図。
【図８１】実施例３６の拡大斜視図。
【図８２】実施例３７の斜視図。
【図８３】実施例３７の拡大斜視図。
【図８４】実施例３９の拡大斜視図。
【図８５】実施例３９の拡大斜視図。
【図８６】実施例３９の拡大断面図。
【図８７】実施例３９の拡大断面図。
【図８８】実施例３９の拡大断面図。
【図８９】実施例４０の拡大斜視図。
【図９０】実施例４０の拡大斜視図。
【図９１】実施例４１の拡大斜視図。
【図９２】実施例４１の拡大斜視図。
【図９３】実施例４２の斜視図。
【図９４】実施例４２の拡大斜視図。
【図９５】実施例４３の拡大斜視図。
【図９６】実施例４３の拡大斜視図。
【図９７】実施例４３の拡大斜視図。
【図９８】実施例４４の斜視図。
【図９９】実施例４５の斜視図。
【図１００】実施例４６の部分拡大断面図。
【図１０１】実施例４７の斜視図。
【図１０２】実施例４７の部分正面図。
【図１０３】実施例４７の第１部材の先端側から見た、挿通孔の図。
【図１０４】実施例４８の部分正面図。
【図１０５】実施例４８の第１部材の先端側から見た、挿通孔の図。
【０２８７】
（１）        実施例１
（１ａ）      実施例２
（１ｂ）      実施例３
（１ｃ）      実施例４
（１ｄ）      実施例５
（１ｅ）      実施例６
（１ｆ）      実施例７
（１ｈ）      実施例８
（１ｊ）      実施例９
（１ｋ）      実施例１０
（１ｎ）      実施例１１
（１ｍ）      実施例１２
（１ｐ）      実施例１３
（１ｑ）      実施例１４
（１ｒ）      実施例１５
（１ｓ）      実施例１６
（１ｔ）      実施例１７
（１ｕ）      実施例１８
（１ｖ）      実施例１９
（１ｗ）      実施例２０
（１ｘ）      実施例２１
（１ｙ）      実施例２２
（１ｚ）      実施例２３
（１ｚａ）    実施例２４
（１ｚｂ）    実施例２５
（１ｚｃ）    実施例２６
（１ｚｄ）    実施例２７
（１ｚｅ）    実施例２８
（１ｚｆ）    実施例２９
（１ｚｈ）    実施例３０
（１ｚｊ）    実施例３１
（１ｚｋ）    実施例３２
（１ｚｎ）    実施例３３
（１ｚｍ）    実施例３４
（１ｚｐ）    実施例３５
（１ｚｑ）    実施例３６
（１ｚｒ）    実施例３７
（１ｚｓ）    実施例３８
（１ｚｔ）    実施例４３
（１ｚｕ）    実施例４４
（１ｚｖ）    実施例４０
（１ｚｗ）    実施例４２
（１ｚｘ）    実施例３９
（１ｚｙ）    実施例４１
（１ａａ）    実施例４５
（１ｂｂ）    実施例４６
（１ｃｃ）    実施例４７
（１ｄｄ）    実施例４８
（２）        袋の口
（３）        雌部材
（４）        容積部
（５）        雄部材
（６）        開口部
（７）        口径
（８）        空間
間隙
（９）        脚部
（１０）      一端
（１１）      反対の側
（１２）      奥部
（１３）      外端
端部
（１４）      中心部
（１５）      先端外側
（１６）      顎部
（１７）      内面
（１８）      差し入れ開口
差し入れ口
（１９）      筒状
（２０）      周縁
（２１）      外壁
（２２）      膝の上部
（２３）      膝部
（２４）      膝の下部
（２５）      上面部
（２６）      側面部
（２７）      内壁
（２８）      収納部
（２９）      差し入れ第２開口
（３０）      顎受け部
（３１）      傾斜辺
（３２）      押圧部
（３３）      上部
（３４）      下部
（３５）      下壁
（３６）      内壁
（３７）      窓穴部
（３８）      側壁
（３９）      下端
（４０）      基部
（４１）      鍔部
（４２）      上辺
（４３）      側辺
（４４）      下辺
（４５）      内側辺
（４６）      線状部
（４７）      ストッパー（容積部表面）
（４８）      側壁
（４９）      表面
（５０）      裏面
（５１）      外側の端部
（５２）      内側の端部
（５３）      ストッパー（雌部材内壁）
（５４）      一端（容積部表面）
（５５）      一端（雌部材内壁）
（５６）      ストッパー（容積部側面）
（５７）      側面
（５８）      一端（容積部下側）
（５９）      一端（容積部側面）
（６０）      一端（脚部下側）
（６１）      一端（雌部材側壁）
（６２）      一端（雌部材上端）
（６３）      孔
（６４）      側壁
（６５）      案内部
（６６）      孔
（６７）      孔
（６８）      挿入口
（６９）      環状片
（７０）      端部
（７１）      孔
（７２）      紐装着部
（７３）      紐装着部
（７４）      環状片
（７５）      第２下壁
（７６）      紐装着部
（７７）      隙間
（７８）      案内凹部
（７９）      案内凸部
（８０）      中脚
（８１）      内壁
（８２）      下部開口
（８３）      下部開口
（８４）      下部開口
（８５）      下部開口
（８６）      下部開口
（８７）      ガイドリブ
（８８）      第２収納部
（８９）      先端
（９０）      接続点
（９１）      端面
（９２）      端面
（９３）      後端側（第１部材）
（９４）      第２部材
（９５）      第１部材
（９６）      下部の側面
（９７）      第１突部
（９８）      第２突部
（９９）      側面
（１００）    突状部
（１０１）    両端
（１０２）    隙間
（１０３）    空間部
（１０４）    押止部
（１０５）    一端
（１０６）    一端
（１０７）    連接体
連接した部位
（１０８）    案内部
（１０９）    挿通孔
（１１０）    側面
（１１１）    内面
（１１２）    係合突起
（１１３）    係止片
（１１４）    バックル部
（１１５）    筒状体
（１１６）    後端（第２部材）
（１１７）    係止孔
（１１８）    取っ手
（１１９）    接着部
（１２０）    ヒンジ
（１２１）    上方
（１２２）    一端
（１２３）    上面
（１２４）    切り込み
（１２５）    接続部
（Ｄ）        脚部間の最小長さ（負荷時）
（Ｅ）        脚部間の長さ
外径
（Ｆ）        差し入れ開口の最小長さ
（Ｇ）        外壁と外壁との間の最小長さ
（Ｈ）        容積部の最大長さ
（Ｊ）        内壁と内壁との間の長さ
内径
（Ｌ）        開口部の長さ
（Ｐ）        脚部間の長さ
（Ｑ）        側壁の長さ
（Ｒ）        開口部の最小長さ
（Ｖ）        開口部の最大長さ
（Ｗ１）      内径寸法
（Ｗ２）      外径寸法
（Ｗ３）      外径寸法
（Ｗ４）      外径寸法
（Ｗ５）      外径
（Ｗ６）      開口部導入長さ
（Ｗ７）      開口部導入長さ
（Ｗ８）      板厚
（Ｗ９）      内径
（Ｗ１０）    内径
（Ｗ１１）    厚さ
（Ｗ１２）    縦幅
（Ｘ１）      線
（Ｘ２）      線
（Ｘ３）      方向
（Ｘ４）      線
（Ｘ５）      線
（Ｘ６）      方向
（Ｙ１）      切り込んだ幅
（Ｚ１）      側面の高さ寸法
（Ｚ２）      中央部の高さ寸法
（Ｚ３）      側面の高さ寸法
（Ｚ４）      中央部の高さ寸法
（矢印Ｋ）    下方向
（矢印Ｎ）    内向き
（矢印Ｍ）    戻り方向
（矢印Ｏ）    外向き
（矢印Ｓ）    差し入れる方向
係止する方向
（矢印Ｔ）    直交する方向
（矢印Ｕ）    上方向
【図１】
2013209157.tif 000003
【図２】
2013209157.tif 000004
【図３】
2013209157.tif 000005
【図４】
2013209157.tif 000006
【図５】
2013209157.tif 000007
【図６】
2013209157.tif 000008
【図７】
2013209157.tif 000009
【図８】
2013209157.tif 000010
【図９】
2013209157.tif 000011
【図１０】
2013209157.tif 000012
【図１１】
2013209157.tif 000013
【図１２】
2013209157.tif 000014
【図１３】
2013209157.tif 000015
【図１４】
2013209157.tif 000016
【図１５】
2013209157.tif 000017
【図１６】
2013209157.tif 000018
【図１７】
2013209157.tif 000019
【図１８】
2013209157.tif 000020
【図１９】
2013209157.tif 000021
【図２０】
2013209157.tif 000022
【図２１】
2013209157.tif 000023
【図２２】
2013209157.tif 000024
【図２３】
2013209157.tif 000025
【図２４】
2013209157.tif 000026
【図２５】
2013209157.tif 000027
【図２６】
2013209157.tif 000028
【図２７】
2013209157.tif 000029
【図２８】
2013209157.tif 000030
【図２９】
2013209157.tif 000031
【図３０】
2013209157.tif 000032
【図３１】
2013209157.tif 000033
【図３２】
2013209157.tif 000034
【図３３】
2013209157.tif 000035
【図３４】
2013209157.tif 000036
【図３５】
2013209157.tif 000037
【図３６】
2013209157.tif 000038
【図３７】
2013209157.tif 000039
【図３８】
2013209157.tif 000040
【図３９】
2013209157.tif 000041
【図４０】
2013209157.tif 000042
【図４１】
2013209157.tif 000043
【図４２】
2013209157.tif 000044
【図４３】
2013209157.tif 000045
【図４４】
2013209157.tif 000046
【図４５】
2013209157.tif 000047
【図４６】
2013209157.tif 000048
【図４７】
2013209157.tif 000049
【図４８】
2013209157.tif 000050
【図４９】
2013209157.tif 000051
【図５０】
2013209157.tif 000052
【図５１】
2013209157.tif 000053
【図５２】
2013209157.tif 000054
【図５３】
2013209157.tif 000055
【図５４】
2013209157.tif 000056
【図５５】
2013209157.tif 000057
【図５６】
2013209157.tif 000058
【図５７】
2013209157.tif 000059
【図５８】
2013209157.tif 000060
【図５９】
2013209157.tif 000061
【図６０】
2013209157.tif 000062
【図６１】
2013209157.tif 000063
【図６２】
2013209157.tif 000064
【図６３】
2013209157.tif 000065
【図６４】
2013209157.tif 000066
【図６５】
2013209157.tif 000067
【図６６】
2013209157.tif 000068
【図６７】
2013209157.tif 000069
【図６８】
2013209157.tif 000070
【図６９】
2013209157.tif 000071
【図７０】
2013209157.tif 000072
【図７１】
2013209157.tif 000073
【図７２】
2013209157.tif 000074
【図７３】
2013209157.tif 000075
【図７４】
2013209157.tif 000076
【図７５】
2013209157.tif 000077
【図７６】
2013209157.tif 000078
【図７７】
2013209157.tif 000079
【図７８】
2013209157.tif 000080
【図７９】
2013209157.tif 000081
【図８０】
2013209157.tif 000082
【図８１】
2013209157.tif 000083
【図８２】
2013209157.tif 000084
【図８３】
2013209157.tif 000085
【図８４】
2013209157.tif 000086
【図８５】
2013209157.tif 000087
【図８６】
2013209157.tif 000088
【図８７】
2013209157.tif 000089
【図８８】
2013209157.tif 000090
【図８９】
2013209157.tif 000091
【図９０】
2013209157.tif 000092
【図９１】
2013209157.tif 000093
【図９２】
2013209157.tif 000094
【図９３】
2013209157.tif 000095
【図９４】
2013209157.tif 000096
【図９５】
2013209157.tif 000097
【図９６】
2013209157.tif 000098
【図９７】
2013209157.tif 000099
【図９８】
2013209157.tif 000100
【図９９】
2013209157.tif 000101
【図１００】
2013209157.tif 000102
【図１０１】
2013209157.tif 000103
【図１０２】
2013209157.tif 000104
【図１０３】
2013209157.tif 000105
【図１０４】
2013209157.tif 000106
【図１０５】
2013209157.tif 000107